(57)【要約】  本発明の実施形態は、エアインターフェース技術の設定方法、装置、および無線通信システムを提供し、通信分野に関し、ＵＥのために同じキャリア上で複数のＡＩ技術を設定することにおいて無線アクセスデバイスをサポートするための方法を提供し、それにより、同じキャリア上でのリソースの利用率および使用柔軟性を向上させる。設定方法は、無線アクセスデバイスが同じキャリア上で設定される必要がある少なくとも２つのＡＩ技術を決定する段階と、無線アクセスデバイスが少なくとも２つのＡＩ技術の設定情報を決定する段階と、無線アクセスデバイスが少なくとも２つのＡＩ技術の設定情報をＵＥへ送信する段階とを備え、ここで、少なくとも２つのＡＩ技術の設定情報は、ＵＥにより、同じキャリア上で少なくとも２つのＡＩ技術を設定するために用いられる。
2019507558.tif 000002
【特許請求の範囲】
【請求項１】
エアインターフェースＡＩ技術の設定方法であって、
無線アクセスデバイスが、同じキャリア上で設定される必要がある少なくとも２つのＡＩ技術を決定する段階と、
前記無線アクセスデバイスが、前記少なくとも２つのＡＩ技術の設定情報を決定する段階と、
前記無線アクセスデバイスが、前記少なくとも２つのＡＩ技術の前記設定情報をユーザ機器ＵＥへ送信する段階と
を備え、
前記少なくとも２つのＡＩ技術の前記設定情報は、前記ＵＥにより、前記同じキャリア上で前記少なくとも２つのＡＩ技術を設定するために用いられる、
設定方法。
【請求項２】
前記少なくとも２つのＡＩ技術の前記設定情報は、第１の特定周波数範囲および共通周波数範囲を含み、前記第１の特定周波数範囲は、前記少なくとも２つのＡＩ技術に対応する、前記無線アクセスデバイスにより予め設定された第１の周波数サブ範囲を含み、前記第１の周波数サブ範囲は、前記少なくとも２つのＡＩ技術に対応する制御情報を伝送するために用いられ、前記共通周波数範囲は、前記無線アクセスデバイスにより、前記ＵＥのリソース要求に基づき、前記少なくとも２つのＡＩ技術に対応するリソースを割り当てるために用いられる、
請求項１に記載の設定方法。
【請求項３】
前記少なくとも２つのＡＩ技術の前記設定情報はさらに、第２の特定周波数範囲を含み、前記第２の特定周波数範囲は、前記少なくとも２つのＡＩ技術のそれぞれに対応する、前記無線アクセスデバイスにより予め設定された第２の周波数サブ範囲を含み、前記第２の周波数サブ範囲は、前記無線アクセスデバイスにより、前記ＵＥの前記リソース要求に基づき、前記ＡＩ技術に対応するリソースを割り当てるために用いられる、
請求項２に記載の設定方法。
【請求項４】
前記少なくとも２つのＡＩ技術の前記設定情報は、媒体アクセス制御ＭＡＣ機能ユニットの設定情報を含み、前記ＭＡＣ機能ユニットは、共通ＭＡＣ機能ユニットおよび少なくとも１つの特定ＭＡＣ機能ユニットのうち少なくとも１つを含み、前記共通ＭＡＣ機能ユニットは、前記少なくとも１つの特定ＭＡＣ機能ユニットに対応するか、または、前記共通ＭＡＣ機能ユニットは、前記少なくとも２つのＡＩ技術に対応し、前記少なくとも１つの特定ＭＡＣ機能ユニットは、前記少なくとも２つのＡＩ技術に対応する、
請求項１に記載の設定方法。
【請求項５】
前記無線アクセスデバイスが、前記少なくとも２つのＡＩ技術の前記設定情報をＵＥへ送信する前記段階の後に、前記設定方法はさらに、
前記無線アクセスデバイスが、前記同じキャリア上で前記少なくとも２つのＡＩ技術に対応するリソースを前記ＵＥに割り当てる段階と、
前記無線アクセスデバイスが、予め設定されたサブキャリア間隔と、前記少なくとも２つのＡＩ技術のそれぞれに対応する伝送時間間隔ＴＴＩの長さとに基づき、リソース割り当て情報のリソース位置を決定する段階であって、前記リソース割り当て情報は、前記ＡＩ技術に対応するリソースを示すために用いられる、段階と、
前記無線アクセスデバイスが、前記リソース位置に基づき、前記リソース割り当て情報を前記ＵＥへ送信する段階と
を備える、
請求項１から４のいずれか一項に記載の設定方法。
【請求項６】
前記無線アクセスデバイスが、前記少なくとも２つのＡＩ技術の前記設定情報をＵＥへ送信する前記段階の後に、前記設定方法はさらに、
前記無線アクセスデバイスが、前記同じキャリア上で前記少なくとも２つのＡＩ技術に対応するリソースを前記ＵＥに割り当てる段階と、
前記無線アクセスデバイスが、前記少なくとも２つのＡＩ技術のそれぞれのサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記無線アクセスデバイスが、前記リソース位置に基づき、前記リソース割り当て情報を前記ＵＥへ送信する段階と
を備える、
請求項１から４のいずれか一項に記載の設定方法。
【請求項７】
前記無線アクセスデバイスが、前記少なくとも２つのＡＩ技術の前記設定情報をＵＥへ送信する前記段階の後に、前記設定方法はさらに、
前記無線アクセスデバイスが、前記同じキャリア上で前記少なくとも２つのＡＩ技術に対応するリソースを前記ＵＥに割り当てる段階と、
前記無線アクセスデバイスが、前記少なくとも２つのＡＩ技術のそれぞれに対応する第１の周波数サブ範囲において、前記ＡＩ技術のサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記無線アクセスデバイスが、前記リソース位置に基づき、前記リソース割り当て情報を前記ＵＥへ送信する段階と
を備える、
請求項１から４のいずれか一項に記載の設定方法。
【請求項８】
前記設定方法はさらに、
前記無線アクセスデバイスが、前記少なくとも２つのＡＩ技術に対応する測定情報を前記ＵＥへ送信する段階を備え、
前記測定情報は、測定を実行するよう前記ＵＥに命令するために用いられ、かつ、
前記測定情報は、測定対象を含み、前記測定対象は、各ＡＩ技術に対応する第１の周波数範囲であるか、または、
前記測定情報は、測定対象および測定サブ対象を含み、前記測定対象は、各ＡＩ技術に対応するキャリアであり、前記測定サブ対象は、各ＡＩ技術に対応する第１の周波数範囲である、
請求項１から７のいずれか一項に記載の設定方法。
【請求項９】
前記測定情報はさらに、少なくとも１つのサブフレーム設定情報を含み、前記少なくとも１つのサブフレーム設定情報は、前記少なくとも１つのサブフレーム設定情報により示されたサブフレーム上で測定を実行するよう前記ＵＥに命令するために用いられる、
請求項８に記載の設定方法。
【請求項１０】
前記設定方法はさらに、
第１のＴＴＩにおいて、前記無線アクセスデバイスが、前記第１の周波数範囲において、前記少なくとも２つのＡＩ技術における第１のＡＩ技術に対応する測定情報をアクティブ化し、前記無線アクセスデバイスが、第２の周波数範囲において、前記第１のＡＩ技術に対応する前記測定情報を非アクティブ化する段階を備える
請求項８または９に記載の設定方法。
【請求項１１】
前記設定方法はさらに、
前記無線アクセスデバイスが、前記少なくとも２つのＡＩ技術のそれぞれのために同じ物理アップリンク制御チャネルＰＵＣＣＨを設定する段階、または、
前記無線アクセスデバイスが、前記少なくとも２つのＡＩ技術のそれぞれのために異なるＰＵＣＣＨを設定する段階、または、
前記無線アクセスデバイスが、前記少なくとも２つのＡＩ技術のうちの一部のために異なるＰＵＣＣＨを設定し、前記無線アクセスデバイスが、前記少なくとも２つのＡＩ技術のうちの前記一部以外の他のＡＩ技術のために、前記一部のＡＩ技術のうち少なくとも１つのためのＰＵＣＣＨと同じＰＵＣＣＨを設定する段階を備える、
請求項１から１０のいずれか一項に記載の設定方法。
【請求項１２】
前記設定方法はさらに、
前記無線アクセスデバイスが、前記少なくとも２つのＡＩ技術のうちの一部のために異なる物理ダウンリンク制御チャネルＰＤＣＣＨ／拡張物理ダウンリンク制御チャネルＥＰＤＣＣＨを設定し、前記無線アクセスデバイスが、前記少なくとも２つのＡＩ技術のうちの前記一部以外の他のＡＩ技術のために、前記一部のＡＩ技術のうち少なくとも１つのためのＰＤＣＣＨ／ＥＰＤＣＣＨと同じＰＤＣＣＨ／ＥＰＤＣＣＨを設定する段階を備え、
前記他のＡＩ技術および前記少なくとも１つのＡＩ技術は、異なるキャリアに対応する、
請求項１から１１のいずれか一項に記載の設定方法。
【請求項１３】
エアインターフェースＡＩ技術の設定方法であって、
ユーザ機器ＵＥが、無線アクセスデバイスにより送信された、同じキャリア上の少なくとも２つのＡＩ技術の設定情報を受信する段階と、
前記ＵＥが、前記少なくとも２つのＡＩ技術の前記設定情報に基づき、前記同じキャリア上で前記少なくとも２つＡＩ技術を設定する段階と
を備える
設定方法。
【請求項１４】
前記ＵＥが、前記少なくとも２つのＡＩ技術の前記設定情報に基づき、前記同じキャリア上で前記少なくとも２つのＡＩ技術を設定する前記段階の後に、前記設定方法はさらに、
前記ＵＥが、予め設定されたサブキャリア間隔と、前記少なくとも２つのＡＩ技術のそれぞれに対応する伝送時間間隔ＴＴＩの長さとに基づき、リソース割り当て情報のリソース位置を決定する段階であって、前記リソース割り当て情報は、前記ＡＩ技術に対応するリソースを示すために用いられる、段階と、
前記ＵＥが、前記リソース位置に基づき、前記無線アクセスデバイスにより送信された前記リソース割り当て情報を受信する段階とを備える、
請求項１３に記載の設定方法。
【請求項１５】
前記ＵＥが、前記少なくとも２つのＡＩ技術の前記設定情報に基づき、前記同じキャリア上で前記少なくとも２つのＡＩ技術を設定する前記段階の後に、前記設定方法はさらに、
前記ＵＥが、ＡＩ技術ごとのサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記ＵＥが、前記リソース位置に基づき、前記無線アクセスデバイスにより送信された前記リソース割り当て情報を受信する段階とを備える、
請求項１３に記載の設定方法。
【請求項１６】
前記ＵＥが、前記少なくとも２つのＡＩ技術の前記設定情報に基づき、前記同じキャリア上で前記少なくとも２つのＡＩ技術を設定する前記段階の後に、前記設定方法はさらに、
前記ＵＥが、前記少なくとも２つのＡＩ技術のそれぞれに対応する第１の特定周波数範囲において、前記ＡＩ技術のサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記ＵＥが、前記リソース位置に基づき、前記無線アクセスデバイスにより送信されたリソース割り当て情報を受信する段階とを備える、
請求項１３に記載の設定方法。
【請求項１７】
無線アクセスデバイスであって、
同じキャリア上で設定される必要がある少なくとも２つのＡＩ技術と、前記少なくとも２つのＡＩ技術の設定情報とを決定するよう構成される決定ユニットと、
前記決定ユニットにより決定された、前記少なくとも２つのＡＩ技術の前記設定情報を、ユーザ機器ＵＥへ送信するよう構成される送信ユニットと
を備え、
前記少なくとも２つのＡＩ技術の前記設定情報は、前記ＵＥにより、前記同じキャリア上で前記少なくとも２つのＡＩ技術を設定するために用いられる、
無線アクセスデバイス。
【請求項１８】
前記少なくとも２つのＡＩ技術の前記設定情報は、第１の特定周波数範囲および共通周波数範囲を含み、前記第１の特定周波数範囲は、前記無線アクセスデバイスにより予め設定された、前記少なくとも２つのＡＩ技術に対応する第１の周波数サブ範囲を含み、前記第１の周波数サブ範囲は、前記少なくとも２つのＡＩ技術に対応する制御情報を伝送するために用いられ、前記共通周波数範囲は、前記無線アクセスデバイスにより、前記ＵＥのリソース要求に基づき、前記少なくとも２つのＡＩ技術に対応するリソースを割り当てるために用いられる、
請求項１７に記載の無線アクセスデバイス。
【請求項１９】
前記少なくとも２つのＡＩ技術の前記設定情報はさらに、第２の特定周波数範囲を含み、前記第２の特定周波数範囲は、前記無線アクセスデバイスにより予め設定された、前記少なくとも２つのＡＩ技術のそれぞれに対応する第２の周波数サブ範囲を含み、前記第２の周波数サブ範囲は、前記無線アクセスデバイスにより、前記ＵＥの前記リソース要求に基づき、前記ＡＩ技術に対応するリソースを割り当てるために用いられる、
請求項１８に記載の無線アクセスデバイス。
【請求項２０】
前記少なくとも２つのＡＩ技術の前記設定情報は、媒体アクセス制御ＭＡＣ機能ユニットの設定情報を含み、前記ＭＡＣ機能ユニットは、共通ＭＡＣ機能ユニットおよび少なくとも１つの特定ＭＡＣ機能ユニットのうち少なくとも１つを含み、前記共通ＭＡＣ機能ユニットは、前記少なくとも１つの特定ＭＡＣ機能ユニットに対応するか、または、前記共通ＭＡＣ機能ユニットは、前記少なくとも２つのＡＩ技術に対応し、前記少なくとも１つの特定ＭＡＣ機能ユニットは、前記少なくとも２つのＡＩ技術に対応する、
請求項１７に記載の無線アクセスデバイス。
【請求項２１】
前記無線アクセスデバイスはさらに、割り当てユニットを備え、
前記割り当てユニットは、前記送信ユニットが前記少なくとも２つのＡＩ技術の前記設定情報を前記ＵＥへ送信した後に、前記同じキャリア上で前記少なくとも２つのＡＩ技術に対応するリソースを前記ＵＥに割り当てるよう構成され、
前記決定ユニットはさらに、予め設定されたサブキャリア間隔と、前記少なくとも２つのＡＩ技術のそれぞれに対応する伝送時間間隔ＴＴＩの長さとに基づき、リソース割り当て情報のリソース位置を決定するよう構成され、前記リソース割り当て情報は、前記ＡＩ技術に対応する、前記割り当てユニットにより割り当てられたリソースを示すために用いられ、
前記送信ユニットはさらに、前記決定ユニットにより決定された前記リソース位置に基づき、前記リソース割り当て情報を前記ＵＥへ送信するよう構成される、
請求項１７から１９のいずれか一項に記載の無線アクセスデバイス。
【請求項２２】
前記無線アクセスデバイスはさらに、割り当てユニットを備え、
前記割り当てユニットは、前記送信ユニットが前記少なくとも２つのＡＩ技術の前記設定情報を前記ＵＥへ送信した後に、前記同じキャリア上で前記少なくとも２つのＡＩ技術に対応するリソースを前記ＵＥに割り当てるよう構成され、
前記決定ユニットはさらに、前記少なくとも２つのＡＩ技術のそれぞれのサブキャリア間隔と、前記ＡＩ技術のＴＴＩの長さとに基づき、リソース割り当て情報のリソース位置を決定するよう構成され、前記リソース割り当て情報は、前記割り当てユニットにより割り当てられた、前記ＡＩ技術に対応するリソースを示すために用いられ、
前記送信ユニットはさらに、前記決定ユニットにより決定された前記リソース位置に基づき、前記リソース割り当て情報を前記ＵＥへ送信するよう構成される、
請求項１７から１９のいずれか一項に記載の無線アクセスデバイス。
【請求項２３】
前記無線アクセスデバイスはさらに、割り当てユニットを備え、
前記割り当てユニットは、前記送信ユニットが前記少なくとも２つのＡＩ技術の前記設定情報を前記ＵＥへ送信した後に、前記同じキャリア上で前記少なくとも２つのＡＩ技術に対応するリソースを前記ＵＥに割り当てるよう構成され、
前記決定ユニットはさらに、前記少なくとも２つのＡＩ技術のそれぞれに対応する第１の周波数サブ範囲において、前記ＡＩ技術のサブキャリア間隔と、前記ＡＩ技術のＴＴＩの長さとに基づき、リソース割り当て情報のリソース位置を決定するよう構成され、前記リソース割り当て情報は、前記割り当てユニットにより割り当てられた、前記ＡＩ技術に対応するリソースを示すために用いられ、
前記送信ユニットはさらに、前記決定ユニットにより決定された前記リソース位置に基づき、前記リソース割り当て情報を前記ＵＥへ送信するよう構成される、
請求項１７から１９のいずれか一項に記載の無線アクセスデバイス。
【請求項２４】
前記送信ユニットはさらに、前記少なくとも２つのＡＩ技術に対応する測定情報を前記ＵＥへ送信するよう構成され、前記測定情報は、測定を実行するよう前記ＵＥに命令するために用いられ、
前記測定情報は、測定対象を含み、前記測定対象は、各ＡＩ技術に対応する第１の周波数範囲であるか、または、
前記測定情報は、測定対象および測定サブ対象を含み、前記測定対象は、各ＡＩ技術に対応するキャリアであり、前記測定サブ対象は、各ＡＩ技術に対応する第１の周波数範囲である、
請求項１７から２３のいずれか一項に記載の無線アクセスデバイス。
【請求項２５】
前記測定情報はさらに、少なくとも１つのサブフレーム設定情報を含み、前記少なくとも１つのサブフレーム設定情報は、前記少なくとも１つのサブフレーム設定情報により示されたサブフレーム上で測定を実行するよう前記ＵＥに命令するために用いられる、
請求項２４に記載の無線アクセスデバイス。
【請求項２６】
前記無線アクセスデバイスはさらに、アクティブ化ユニットを含み、
前記アクティブ化ユニットは、第１のＴＴＩにおいて、前記第１の周波数範囲において、前記決定ユニットにより決定された前記少なくとも２つのＡＩ技術における第１のＡＩ技術に対応する測定情報をアクティブ化し、第２周波数範囲において、前記第１のＡＩ技術に対応する前記測定情報を非アクティブ化するよう構成される、
請求項２４または２５に記載の無線アクセスデバイス。
【請求項２７】
前記無線アクセスデバイスはさらに、設定ユニットを備え、
前記設定ユニットは、前記決定ユニットにより決定された前記少なくとも２つのＡＩ技術のそれぞれのために同じ物理アップリンク制御チャネルＰＵＣＣＨを設定するよう構成されるか、または、
前記設定ユニットは、前記決定ユニットにより決定された前記少なくとも２つのＡＩ技術のそれぞれのために異なるＰＵＣＣＨを設定するよう構成されるか、または、
前記設定ユニットは、前記決定ユニットにより決定された前記少なくとも２つのＡＩ技術のうちの一部のために異なるＰＵＣＣＨを設定し、前記少なくとも２つのＡＩ技術のうちの前記一部以外の他のＡＩ技術のために、前記一部のＡＩ技術のうち少なくとも１つのＰＵＣＣＨと同じＰＵＣＣＨを設定するよう構成される、
請求項１７から２６のいずれか一項に記載の無線アクセスデバイス。
【請求項２８】
前記無線アクセスデバイスはさらに、設定ユニットを備え、
前記設定ユニットは、前記決定ユニットにより決定された前記少なくとも２つのＡＩ技術のうちの一部のために異なる物理ダウンリンク制御チャネルＰＤＣＣＨ／拡張物理ダウンリンク制御チャネルＥＰＤＣＣＨを設定し、前記少なくとも２つのＡＩ技術のうちの前記一部以外の他のＡＩ技術のために、前記一部のＡＩ技術のうち少なくとも１つのＰＤＣＣＨ／ＥＰＤＣＣＨと同じＰＤＣＣＨ／ＥＰＤＣＣＨを設定するよう構成され、前記他のＡＩ技術および前記少なくとも１つのＡＩ技術は、異なるキャリアに対応する、
請求項１７から２７のいずれか一項に記載の無線アクセスデバイス。
【請求項２９】
無線アクセスデバイスにより送信された、同じキャリア上の少なくとも２つのＡＩ技術の設定情報を受信するよう構成される受信ユニットと、
前記受信ユニットにより受信された、前記少なくとも２つのＡＩ技術の前記設定情報に基づき、前記同じキャリア上で前記少なくとも２つＡＩ技術を設定するよう構成される設定ユニットと
を備える
ユーザ機器ＵＥ。
【請求項３０】
前記ＵＥはさらに、決定ユニットを備え、
前記決定ユニットは、前記設定ユニットが前記少なくとも２つのＡＩ技術の前記設定情報に基づき、前記同じキャリア上で前記少なくとも２つのＡＩ技術を設定した後に、予め設定されたサブキャリア間隔と、前記少なくとも２つのＡＩ技術のそれぞれに対応する伝送時間間隔ＴＴＩの長さとに基づき、リソース割り当て情報のリソース位置を決定するよう構成され、前記リソース割り当て情報は、前記ＡＩ技術に対応するリソースを示すために用いられ、
前記受信ユニットはさらに、前記決定ユニットにより決定された前記リソース位置に基づき、前記無線アクセスデバイスにより送信された前記リソース割り当て情報を受信するよう構成される、
請求項２９に記載のＵＥ。
【請求項３１】
前記ＵＥはさらに、決定ユニットを備え、
前記決定ユニットは、前記設定ユニットが前記少なくとも２つのＡＩ技術の前記設定情報に基づき、前記同じキャリア上で前記少なくとも２つのＡＩ技術を設定した後に、ＡＩ技術ごとのサブキャリア間隔と、前記ＡＩ技術のＴＴＩの長さとに基づき、リソース割り当て情報のリソース位置を決定するよう構成され、前記リソース割り当て情報は、前記ＡＩ技術に対応するリソースを示すために用いられ、
前記受信ユニットはさらに、前記決定ユニットにより決定された前記リソース位置に基づき、前記無線アクセスデバイスにより送信された前記リソース割り当て情報を受信するよう構成される、
請求項２９に記載のＵＥ。
【請求項３２】
前記ＵＥはさらに、決定ユニットを備え、
前記決定ユニットは、前記設定ユニットが前記少なくとも２つのＡＩ技術の前記設定情報に基づき、前記同じキャリア上で前記少なくとも２つのＡＩ技術を設定した後に、前記少なくとも２つのＡＩ技術のそれぞれに対応する第１の特定周波数範囲において、前記ＡＩ技術のサブキャリア間隔と、前記ＡＩ技術のＴＴＩの長さとに基づき、リソース割り当て情報のリソース位置を決定するよう構成され、前記リソース割り当て情報は、前記ＡＩ技術に対応するリソースを示すために用いられ、
前記受信ユニットはさらに、前記決定ユニットにより決定された前記リソース位置に基づき、前記無線アクセスデバイスにより送信された前記リソース割り当て情報を受信するよう構成される、
請求項２９に記載のＵＥ。
【発明の詳細な説明】
【技術分野】
【０００１】
［関連出願の相互参照］
本出願は、２０１６年３月４日に中国特許庁に出願された「エアインターフェース技術の設定方法、装置、および無線通信システム」と題する中国特許出願第２０１６１０１２７９０３．５号に基づく優先権を主張し、当該出願は、その全体が参照されることにより本明細書に組み込まれている。
【０００２】
本発明の実施形態は、通信分野に関し、特に、エアインターフェース技術の設定方法、装置、および無線通信システムに関する。
【背景技術】
【０００３】
通信技術の継続的な発展に伴い、無線通信システムがより多様なサービス要求およびシナリオをサポートするようになる。場合によって、かなり異なるサービス品質（ｑｕａｌｉｔｙ  ｏｆ  ｓｅｒｖｉｃｅ、ＱｏＳ）要求を有するサービスはまた、エアインターフェース（ａｉｒ  ｉｎｔｅｒｆａｃｅ、ＡＩ）技術に対して異なる要求を有する。例えば、モバイルブロードバンド（ｍｏｂｉｌｅ  ｂｒｏａｄｂａｎｄ、ＭＢＢ）サービスおよび超高信頼低遅延通信（ｕｌｔｒａ  ｒｅｌｉａｂｌｅ  ｌｏｗ  ｌａｔｅｎｃｙ  ｃｏｍｍｕｎｉｃａｔｉｏｎ、ＵＲＬＬＣ）サービスは、ＡＩ技術に対して異なる要求を有する。従って、より多様なサービス要求をサポートするため、無線通信システムは、増量するＡＩ技術をサポートする必要がある。
【０００４】
現在の無線通信システムにおいて、基地局がユーザ機器（ｕｓｅｒ  ｅｑｕｉｐｍｅｎｔ、ＵＥ）のためにＡＩ技術を設定する場合、基地局は、１つのキャリア上で１つＡＩ技術のみを設定できる。すなわち、基地局は、ＵＥのために異なるキャリア上でしか異なるＡＩ技術を設定し得ず、これにより、ＵＥは、複数のＡＩ技術を同時に用いることができる。
【０００５】
しかしながら、現在の無線通信システムにおいて、基地局がＵＥのために１つのキャリア上で１つのＡＩ技術のみを設定し得るので、当該キャリア上でのリソース利用率が比較的低い。加えて、オペレータが１つのキャリアのみをサポートする場合、オペレータが複数のＡＩ技術をサポートすることができないので、オペレータは、多様なサービス要求を満たすことができず、当該キャリア上でのリソースの使用柔軟性の低下をもたらす。
【発明の概要】
【０００６】
本発明の実施形態は、エアインターフェース技術の設定方法、装置、および無線通信システムを提供し、ＵＥのために同じキャリア上で複数のＡＩ技術を設定することにおいて無線アクセスデバイスをサポートするための方法を提供し、それにより、同じキャリア上でのリソースの利用率および使用柔軟性を向上させる。
【０００７】
前述の目的を達成するために、以下の技術的解決手段が本発明の実施形態において用いられる。
【０００８】
第１の態様によれば、本発明の実施形態は、ＡＩ技術の設定方法を提供し、当該設定方法は、無線アクセスデバイスが同じキャリア上で設定されることが必要な少なくとも２つのＡＩ技術を決定する段階と、無線アクセスデバイスが少なくとも２つのＡＩ技術の設定情報を決定する段階と、無線アクセスデバイスが少なくとも２つのＡＩ技術の設定情報をユーザ機器ＵＥへ送信する段階とを備え、ここで、少なくとも２つのＡＩ技術の設定情報は、同じキャリア上で少なくとも２つのＡＩ技術を設定するためにＵＥにより用いられる。
【０００９】
本発明の本実施形態において提供されているＡＩ技術の設定方法において、無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されているＡＩ技術の設定方法を用いることにより、無線アクセスデバイスは、ＵＥのために同じキャリア上での複数のＡＩ技術の設定がサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性が向上する。
【００１０】
任意選択的に、本発明の本実施形態において、無線アクセスデバイスが少なくとも２つのＡＩ技術の設定情報をＵＥへ送信する段階の後に、本発明の本実施形態において提供されている設定方法はさらに、無線アクセスデバイスが同じキャリア上で少なくとも２つのＡＩ技術に対応するリソースをＵＥに割り当てる段階と、無線アクセスデバイスが予め設定されたサブキャリア間隔と、少なくとも２つのＡＩ技術のそれぞれに対応する伝送時間間隔ＴＴＩの長さとに基づき、リソース割り当て情報のリソース位置を決定する段階と、無線アクセスデバイスがリソース位置に基づき、リソース割り当て情報をＵＥへ送信する段階とを備え、ここで、リソース割り当て情報は、ＡＩ技術に対応するリソースを示すために用いられる。
【００１１】
任意選択的に、本発明の本実施形態において、無線アクセスデバイスが少なくとも２つのＡＩ技術の設定情報をＵＥへ送信する段階の後に、本発明の本実施形態において提供されている設定方法はさらに、無線アクセスデバイスが同じキャリア上で少なくとも２つのＡＩ技術に対応するリソースをＵＥに割り当てる段階と、無線アクセスデバイスが少なくとも２つのＡＩ技術のそれぞれのサブキャリア間隔と、ＡＩ技術のＴＴＩの長さとに基づき、リソース割り当て情報のリソース位置を決定する段階と、無線アクセスデバイスがリソース位置に基づき、リソース割り当て情報をＵＥへ送信する段階とを備え、ここで、リソース割り当て情報は、ＡＩ技術に対応するリソースを示すために用いられる。
【００１２】
任意選択的に、本発明の本実施形態において、無線アクセスデバイスが少なくとも２つのＡＩ技術の設定情報をＵＥへ送信する段階の後に、本発明の本実施形態において提供されている設定方法はさらに、無線アクセスデバイスが同じキャリア上で少なくとも２つのＡＩ技術に対応するリソースをＵＥに割り当てる段階と、無線アクセスデバイスが少なくとも２つのＡＩ技術のそれぞれに対応する第１の周波数サブ範囲において、ＡＩ技術のサブキャリア間隔と、ＡＩ技術のＴＴＩの長さとに基づき、リソース割り当て情報のリソース位置を決定する段階と、無線アクセスデバイスがリソース位置に基づき、リソース割り当て情報をＵＥへ送信する段階とを備え、ここで、リソース割り当て情報は、ＡＩ技術に対応するリソースを示すために用いられる。
【００１３】
本発明の本実施形態において、無線アクセスデバイスは、前述の３つの方法における予め合意された方法に基づき、リソース割り当て情報のリソース位置を決定してよい。従って、無線アクセスデバイスがリソース位置においてリソース割り当て情報をＵＥへ送信したとき、ＵＥがリソース位置でリソース割り当て情報を受信できることを保証できる。
【００１４】
任意選択的に、本発明の本実施形態において提供されている設定方法はさらに、無線アクセスデバイスが少なくとも２つのＡＩ技術に対応する測定情報をＵＥへ送信する段階を備え、ここで、測定情報は、測定を実行するようＵＥに命令するために用いられる。
【００１５】
本発明の本実施形態において提供されているＡＩ技術の設定方法において、複数のＡＩ技術の場合においてＵＥにより実行される測定をサポートできるので、複数のＡＩ技術の場合においてＵＥの移動管理およびより効率的なリソース割り当てを実現することができる。
【００１６】
任意選択的に、本発明の本実施形態において提供されている設定方法はさらに、第１のＴＴＩにおいて、無線アクセスデバイスが、第１の周波数範囲において、少なくとも２つのＡＩ技術における第１のＡＩ技術に対応する測定情報をアクティブ化し、無線アクセスデバイスが、第２の周波数範囲において、第１のＡＩ技術に対応する測定情報を非アクティブ化する段階を備える。
【００１７】
本発明の本実施形態において提供されているＡＩ技術の設定方法において、ＡＩ技術に対応する測定情報をアクティブ化および非アクティブ化できるので、ＵＥにより実行される測定が各ＡＩ技術に対応する周波数範囲およびＴＴＩにおける変更に柔軟に適応されることができることを保証できる。
【００１８】
任意選択的に、本発明の本実施形態において提供されている設定方法はさらに、無線アクセスデバイスが少なくとも２つのＡＩ技術のそれぞれのために、同じ物理アップリンク制御チャネルＰＵＣＣＨを設定する段階、または、無線アクセスデバイスが少なくとも２つのＡＩ技術のそれぞれのために、異なるＰＵＣＣＨを設定する段階、または、無線アクセスデバイスが少なくとも２つのＡＩ技術のうちの一部のために異なるＰＵＣＣＨを設定し、無線アクセスデバイスが少なくとも２つのＡＩ技術のうちの一部以外の他のＡＩ技術のために、当該一部のＡＩ技術のうち少なくとも１つのＰＵＣＣＨと同じＰＵＣＣＨを設定する段階を備える。
【００１９】
本発明の本実施形態において、無線アクセスデバイスがＵＥのためにＰＵＣＣＨを設定する場合、前述の３つの設定方法における対応する設定方法が、異なる応用シナリオに基づき、選択され得て、それにより、適応してＰＵＣＣＨの数量を低減させ、アップリンク信号の電力ピークを低減させ、異なるＡＩ技術のために用いられる測定の異なる単位を回避する。
【００２０】
さらに、本実施形態において提供されている、無線アクセスデバイスが複数のＡＩ技術のためにＰＵＣＣＨを設定する方法において、ハイブリッド自動反復要求ＨＡＲＱフィードバック、スケジューリング要求、チャネル状態情報ＣＳＩフィードバック、電力制御、および同様のものが、複数のＡＩ技術の場合においてサポートを受けることができる。従って、リソースはより柔軟に割り当てられることができ、それにより、リソース利用率が向上する。
【００２１】
任意選択的に、本発明の本実施形態において提供されている設定方法はさらに、無線アクセスデバイスが、少なくとも２つのＡＩ技術のうちの一部のために、異なる物理ダウンリンク制御チャネルＰＤＣＣＨ／拡張物理ダウンリンク制御チャネルＥＰＤＣＣＨを設定し、無線アクセスデバイスが、少なくとも２つのＡＩ技術のうちの一部以外の他のＡＩ技術のために、当該一部のＡＩ技術のうち少なくとも１つのＰＤＣＣＨ／ＥＰＤＣＣＨと同じＰＤＣＣＨ／ＥＰＤＣＣＨを設定する段階を備え、ここで、当該他のＡＩ技術および当該少なくとも１つのＡＩ技術は、異なるキャリアに対応する。
【００２２】
本実施形態において提供されている、無線アクセスデバイスが複数のＡＩ技術のためにＰＤＣＣＨ／ＥＰＤＣＣＨを設定する方法において、同じＰＤＣＣＨ／ＥＰＤＣＣＨは、同じキャリアまたは異なるキャリア上で異なるＡＩのために設定されてよい。従って、リソースはより柔軟に割り当てられることができ、それにより、リソース利用率が向上する。
【００２３】
第２の態様によれば、本発明の実施形態は、ＡＩ技術の設定方法を提供し、当該設定方法は、ＵＥが、同じキャリア上で、無線アクセスデバイスにより送信された、少なくとも２つのＡＩ技術の設定情報を受信する段階と、ＵＥが、少なくとも２つのＡＩ技術の設定情報に基づき、同じキャリア上で、少なくとも２つのＡＩ技術を設定する段階とを備える。
【００２４】
本発明の本実施形態において提供されているＡＩ技術の設定方法において、ＵＥは、無線アクセスデバイスにより送信された、同じキャリア上で設定される必要がある少なくとも２つのＡＩ技術の設定情報を受信し得て、ＵＥは、少なくとも２つのＡＩ技術の設定情報に基づき、同じキャリア上で少なくとも２つのＡＩ技術を設定し得る。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより同じキャリア上でのリソースの利用率および使用柔軟性を向上させる。
【００２５】
任意選択的に、本発明の本実施形態において、ＵＥが、少なくとも２つのＡＩ技術の設定情報に基づき、同じキャリア上で少なくとも２つのＡＩ技術を設定する段階の後に、本発明の本実施形態において提供されている設定方法はさらに、ＵＥが、予め設定されたサブキャリア間隔と、少なくとも２つのＡＩ技術のそれぞれに対応するＴＴＩの長さとに基づき、リソース割り当て情報のリソース位置を決定する段階と、ＵＥが、リソース位置に基づき、無線アクセスデバイスにより送信されたリソース割り当て情報を受信する段階とを備え、ここで、リソース割り当て情報は、ＡＩ技術に対応するリソースを示すために用いられる。
【００２６】
任意選択的に、本発明の本実施形態において、ＵＥが、少なくとも２つのＡＩ技術の設定情報に基づき、同じキャリア上で少なくとも２つのＡＩ技術を設定する段階の後に、本発明の本実施形態において提供されている設定方法はさらに、ＵＥが、ＡＩ技術ごとのサブキャリア間隔と、ＡＩ技術のＴＴＩの長さとに基づき、リソース割り当て情報のリソース位置を決定する段階と、ＵＥが、リソース位置に基づき、無線アクセスデバイスにより送信されたリソース割り当て情報を受信する段階とを備え、ここで、リソース割り当て情報は、ＡＩ技術に対応するリソースを示すために用いられる。
【００２７】
任意選択的に、本発明の本実施形態において、ＵＥが、少なくとも２つのＡＩ技術の設定情報に基づき、同じキャリア上で少なくとも２つのＡＩ技術を設定する段階の後に、本発明の本実施形態において提供されている設定方法はさらに、ＵＥが、少なくとも２つのＡＩ技術のそれぞれに対応する第１の特定周波数範囲において、ＡＩ技術のサブキャリア間隔とＡＩ技術のＴＴＩの長さとに基づき、リソース割り当て情報のリソース位置を決定する段階と、ＵＥが、リソース位置に基づき、無線アクセスデバイスにより送信されたリソース割り当て情報によりを受信する段階とを備え、ここで、リソース割り当て情報は、ＡＩ技術に対応するリソースを示すために用いられる。
【００２８】
本発明の本実施形態において、無線アクセスデバイスは、前述の３つの方法における予め合意された方法に基づき、リソース割り当て情報のリソース位置を決定してよい。従って、無線アクセスデバイスがリソース位置でリソース割り当て情報をＵＥへ送信したとき、ＵＥがリソース位置でリソース割り当て情報を受信できることを保証できる。さらに、ＵＥは、リソース割り当て情報に基づき、無線アクセスデバイスによりＵＥに割り当てられたリソースを知ることができ、当該リソース上でサービスを伝送できる。
【００２９】
第３の態様によれば、本発明の実施形態は、無線アクセスデバイスを提供し、当該無線アクセスデバイスは、同じキャリア上で設定される必要がある少なくとも２つのＡＩ技術と、少なくとも２つのＡＩ技術の設定情報とを決定するよう構成される決定ユニットと、決定ユニットにより決定された、少なくとも２つのＡＩ技術の設定情報をＵＥへ送信するよう構成される送信ユニットとを備え、ここで、少なくとも２つのＡＩ技術の設定情報は、同じキャリア上で少なくとも２つのＡＩ技術を設定するためにＵＥにより用いられる。
【００３０】
本発明の本実施形態において、無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【００３１】
任意選択的に、本発明の本実施形態において、無線アクセスデバイスはさらに、割り当てユニットを備え、割り当てユニットは、送信ユニットが少なくとも２つのＡＩ技術の設定情報をＵＥへ送信した後に、同じキャリア上で少なくとも２つのＡＩ技術に対応するリソースをＵＥに割り当てるように構成され、決定ユニットはさらに、予め設定されたサブキャリア間隔と少なくとも２つのＡＩ技術のそれぞれに対応するＴＴＩの長さとに基づき、リソース割り当て情報のリソース位置を決定するよう構成され、ここで、リソース割り当て情報は、割り当てユニットにより割り当てられた、ＡＩ技術に対応するリソースを示すために用いられ、送信ユニットはさらに、決定ユニットにより決定されたリソース位置に基づき、リソース割り当て情報をＵＥへ送信するよう構成される。
【００３２】
任意選択的に、本発明の本実施形態において、無線アクセスデバイスはさらに、割り当てユニットを備え、割り当てユニットは、送信ユニットが少なくとも２つのＡＩ技術の設定情報をＵＥへ送信した後に、同じキャリア上で少なくとも２つのＡＩ技術に対応するリソースをＵＥに割り当てるよう構成され、決定ユニットはさらに、少なくとも２つのＡＩ技術のそれぞれのサブキャリア間隔と、ＡＩ技術のＴＴＩの長さとに基づき、リソース割り当て情報のリソース位置を決定するよう構成され、ここで、リソース割り当て情報は、割り当てユニットにより割り当てられた、ＡＩ技術に対応するリソースを示すために用いられ、送信ユニットはさらに、決定ユニットにより決定されたリソース位置に基づき、リソース割り当て情報をＵＥへ送信するよう構成される。
【００３３】
任意選択的に、本発明の本実施形態において、無線アクセスデバイスはさらに、割り当てユニットを備え、割り当てユニットは、送信ユニットが少なくとも２つのＡＩ技術の設定情報をＵＥへ送信した後に、同じキャリア上で少なくとも２つのＡＩ技術に対応するリソースをＵＥに割り当てるよう構成され、決定ユニットはさらに、少なくとも２つのＡＩ技術のそれぞれに対応する第１の周波数サブ範囲において、ＡＩ技術のサブキャリア間隔と、ＡＩ技術のＴＴＩの長さとに基づき、リソース割り当て情報のリソース位置を決定するよう構成され、ここで、リソース割り当て情報は、割り当てユニットにより割り当てられた、ＡＩ技術に対応するリソースを示すために用いられ、送信ユニットはさらに、決定ユニットにより決定されたリソース位置に基づき、リソース割り当て情報をＵＥへ送信するよう構成される。
【００３４】
任意選択的に、本発明の本実施形態において、送信ユニットはさらに、少なくとも２つのＡＩ技術に対応する測定情報をＵＥへ送信するよう構成され、ここで、測定情報は、測定を実行するようＵＥに命令するために用いられる。
【００３５】
任意選択的に、本発明の本実施形態において、無線アクセスデバイスはさらに、アクティブ化ユニットを備え、アクティブ化ユニットは、第１のＴＴＩにおいて、第１の周波数範囲において、決定ユニットにより決定された少なくとも２つのＡＩ技術における第１のＡＩ技術に対応する測定情報をアクティブ化し、第２の周波数範囲において、第１のＡＩ技術に対応する測定情報を非アクティブ化するよう構成される。
【００３６】
任意選択的に、本発明の本実施形態において、無線アクセスデバイスはさらに、設定ユニットを備え、設定ユニットは、決定ユニットにより決定された少なくとも２つのＡＩ技術のそれぞれのために同じＰＵＣＣＨを設定するか、または、決定ユニットにより決定された少なくとも２つのＡＩ技術のそれぞれのために異なるＰＵＣＣＨを設定するか、または、決定ユニットにより決定された少なくとも２つのＡＩ技術のうちの一部のために異なるＰＵＣＣＨを設定し、少なくとも２つのＡＩ技術のうちの一部以外の他のＡＩ技術のために、当該一部のＡＩ技術のうち少なくとも１つのＰＵＣＣＨと同じＰＵＣＣＨを設定するよう構成される。
【００３７】
任意選択的に、本発明の本実施形態において、無線アクセスデバイスはさらに、設定ユニットを備え、設定ユニットは、決定ユニットにより決定された少なくとも２つのＡＩ技術のうちの一部のために異なるＰＤＣＣＨ／ＥＰＤＣＣＨを設定し、少なくとも２つのＡＩ技術のうちの一部以外の他のＡＩ技術のために、当該一部のＡＩ技術のうち少なくとも１つのＰＤＣＣＨ／ＥＰＤＣＣＨと同じＰＤＣＣＨ／ＥＰＤＣＣＨを設定するよう構成され、ここで、当該他のＡＩ技術および当該少なくとも１つのＡＩ技術は、異なるキャリアに対応する。
【００３８】
第３の態様の任意選択的な実装方式の技術的効果について、第１の態様の対応する任意選択的な実装方式の技術的効果の関連説明を参照されたく、詳細はここでは再び説明されない。
【００３９】
第４の態様によれば、本発明の実施形態はＵＥを提供し、当該ＵＥは、無線アクセスデバイスにより送信された、同じキャリア上の少なくとも２つのＡＩ技術の設定情報を受信するよう構成される受信ユニットと、受信ユニットにより受信された、少なくとも２つのＡＩ技術の設定情報に基づき、同じキャリア上で少なくとも２つのＡＩ技術を設定するよう構成される設定ユニットとを備える。
【００４０】
本発明の本実施形態において、ＵＥは、無線アクセスデバイスにより送信された、同じキャリア上で設定される必要がある少なくとも２つのＡＩ技術の設定情報を受信してよく、ＵＥは、少なくとも２つのＡＩ技術の設定情報に基づき、同じキャリア上で少なくとも２つのＡＩ技術を設定してよい。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【００４１】
任意選択的に、本発明の本実施形態において、ＵＥはさらに、決定ユニットを備え、決定ユニットは、設定ユニットが少なくとも２つのＡＩ技術の設定情報に基づき、同じキャリア上で少なくとも２つのＡＩ技術を設定した後に、予め設定されたサブキャリア間隔と、少なくとも２つのＡＩ技術のそれぞれに対応するＴＴＩの長さとに基づき、リソース割り当て情報のリソース位置を決定するよう構成され、ここで、リソース割り当て情報は、ＡＩ技術に対応するリソースを示すために用いられ、受信ユニットはさらに、決定ユニットにより決定されたリソース位置に基づき、無線アクセスデバイスにより送信されたリソース割り当て情報を受信するよう構成される。
【００４２】
任意選択的に、本発明の本実施形態において、ＵＥはさらに、決定ユニットを備え、決定ユニットは、設定ユニットが、少なくとも２つのＡＩ技術の設定情報に基づき、同じキャリア上で少なくとも２つのＡＩ技術を設定した後に、ＡＩ技術ごとのサブキャリア間隔と、ＡＩ技術のＴＴＩの長さとに基づき、リソース割り当て情報のリソース位置を決定するよう構成され、ここで、リソース割り当て情報は、ＡＩ技術に対応するリソースを示すために用いられ、受信ユニットはさらに、決定ユニットにより決定されたリソース位置に基づき、無線アクセスデバイスにより送信されたリソース割り当て情報を受信するよう構成される。
【００４３】
任意選択的に、本発明の本実施形態において、ＵＥはさらに、決定ユニットを備え、決定ユニットは、設定ユニットが少なくとも２つのＡＩ技術の設定情報に基づき、同じキャリア上で少なくとも２つのＡＩ技術を設定した後に、少なくとも２つのＡＩ技術のそれぞれに対応する第１の特定周波数範囲において、ＡＩ技術のサブキャリア間隔と、ＡＩ技術のＴＴＩの長さとに基づき、リソース割り当て情報のリソース位置を決定するよう構成され、ここで、リソース割り当て情報は、ＡＩ技術に対応するリソースを示すために用いられ、受信ユニットはさらに、決定ユニットにより決定されたリソース位置に基づき、無線アクセスデバイスにより送信されたリソース割り当て情報を受信するよう構成される。
【００４４】
第４の態様の任意選択的な実装方式の技術的効果について、第２の態様の対応する任意選択的な実装方式の技術的効果の関連説明を参照されたく、詳細はここでは再び説明されない。
【００４５】
任意選択的に、第１から第４の態様において、可能な実装方式が以下である。少なくとも２つのＡＩ技術の設定情報は、第１の特定周波数範囲および共通周波数範囲を含み、第１の特定周波数範囲は、無線アクセスデバイスにより予め設定された、少なくとも２つのＡＩ技術に対応する第１の周波数サブ範囲を含み、第１の周波数サブ範囲は、少なくとも２つのＡＩ技術に対応する制御情報を伝送するために用いられ、共通周波数範囲は、ＵＥのリソース要求に基づき、少なくとも２つのＡＩ技術に対応するリソースを割り当てるために無線アクセスデバイスにより用いられる。
【００４６】
さらに、第１から第４の態様において、前述の可能な実装方式に基づき、他の可能な実装方式が以下である。少なくとも２つのＡＩ技術の設定情報はさらに、第２の特定周波数範囲を含み、第２の特定周波数範囲は、無線アクセスデバイスにより予め設定された、少なくとも２つのＡＩ技術のそれぞれに対応する第２の周波数サブ範囲を含み、第２周波数サブ範囲は、ＵＥのリソース要求に基づき、ＡＩ技術に対応するリソースを割り当てるために無線アクセスデバイスにより用いられる。
【００４７】
第１の特定周波数範囲、第２の特定周波数範囲、および共通周波数範囲は、同じキャリア上の周波数範囲である。第１の特定周波数範囲における第１の周波数サブ範囲および第２の特定周波数範囲における第２の周波数サブ範囲は両方とも、無線アクセスデバイスにより予め設定される。共通周波数範囲は、少なくとも２つのＡＩ技術に共通する周波数範囲であってよい。すなわち、無線アクセスデバイスは、ＵＥのリソース要求に基づき、共通周波数範囲において、少なくとも２つのＡＩ技術に対応するリソースをリアルタイムでＵＥに動的に割り当て得る。
【００４８】
任意選択的に、第１から第４の態様において、少なくとも２つのＡＩ技術の設定情報は、媒体アクセス制御ＭＡＣ機能ユニットの設定情報を含み、ＭＡＣ機能ユニットは、共通ＭＡＣ機能ユニットおよび少なくとも１つの特定ＭＡＣ機能ユニットのうち少なくとも１つを含み、共通ＭＡＣ機能ユニットは、少なくとも１つの特定ＭＡＣ機能ユニットに対応するか、または、共通ＭＡＣ機能ユニットは、少なくとも２つのＡＩ技術に対応し、少なくとも１つの特定ＭＡＣ機能ユニットは、少なくとも２つのＡＩ技術に対応する。
【００４９】
さらに、第１から第４の態様において、少なくとも２つのＡＩ技術の設定情報はさらに、少なくとも２つのＡＩ技術と論理チャネルとの間のマッピング関係を含む。
【００５０】
任意選択的に、ＭＡＣ機能ユニットは、以下のいくつかの具体的な実現形式を有する。
【００５１】
ａ．ＭＡＣ機能ユニットは、１つの共通ＭＡＣ機能ユニットを含む。
【００５２】
ｂ．ＭＡＣ機能ユニットは、少なくとも１つの特定ＭＡＣ機能ユニットを含む。
【００５３】
ｃ．ＭＡＣ機能ユニットは、１つの共通ＭＡＣ機能ユニットおよび少なくとも１つの特定ＭＡＣ機能ユニットを含む。
【００５４】
本発明の実施形態において、ＵＥは、無線アクセスデバイスにより送信された設定情報に基づき、ＵＥにおけるＭＡＣ機能ユニットを前述の３つの形態に設定し、これにより、ＵＥは、同じキャリア上での少なくとも２つのＡＩ技術の使用においてサポートを受けることができ、それにより、同じキャリア上でのリソースの利用率および使用柔軟性が向上する。
【００５５】
任意選択的に、第１および第３の態様において、測定情報は、測定対象を含み、測定対象は、各ＡＩ技術に対応する第１の周波数範囲である。代替的に、測定情報は、測定対象および測定サブ対象を含み、測定対象は、各ＡＩ技術に対応するキャリアであり、測定サブ対象は、各ＡＩ技術に対応する第１の周波数範囲である。
【００５６】
さらに、第１および第３の態様において、測定情報はさらに、少なくとも１つのサブフレーム設定情報を含み、少なくとも１つのサブフレーム設定情報は、少なくとも１つのサブフレーム設定情報により示されたサブフレーム上で測定を実行するようＵＥに命令するために用いられる。
【００５７】
前述の説明に関連して、本発明の実施形態において、可能な実装方式が以下である。測定情報は、１つまたは少なくとも２つの測定対象を含んでよい。測定情報が１つの測定対象を含むとき、少なくとも２つのＡＩ技術の全てが測定対象に対応する。測定情報が少なくとも２つの測定対象を含むとき、各ＡＩ技術は、１つの測定対象に対応する。
【００５８】
他の可能な実装方式が以下である。測定情報は、１つまたは少なくとも２つの測定対象および測定サブ対象を含んでよい。具体的には、以下のいくつかの組み合わせが含まれてよい。
【００５９】
Ａ．測定情報は、１つの測定対象および１つの測定サブ対象を含む。少なくとも２つのＡＩ技術の全ては、測定対象および測定サブ対象に対応する。
【００６０】
Ｂ．測定情報は、１つの測定対象および少なくとも２つの測定サブ対象を含む。少なくとも２つのＡＩ技術の全ては、測定対象に対応し、各ＡＩ技術は、１つの測定サブ対象に対応する。
【００６１】
Ｃ．測定情報は、少なくとも２つの測定対象および少なくとも２つの測定サブ対象を含む。各ＡＩ技術は、１つの測定対象および１つの測定サブ対象に対応する。
【００６２】
本発明の本実施形態において提供されているＡＩ技術の設定方法において、ＵＥにより実行された測定が複数のＡＩ技術の場合においてサポートを受けることができるので、ＵＥの移動管理およびより効率的なリソース割り当てが複数のＡＩ技術の場合において実現されることができる。
【００６３】
第５の態様によれば、本発明の実施形態は、無線アクセスデバイスを提供する。無線アクセスデバイスは、少なくとも１つのプロセッサと、トランシーバと、メモリと、システムバスとを備える。
【００６４】
メモリは、コンピュータ実行可能命令を記憶するよう構成される。少なくとも１つのプロセッサと、メモリと、トランシーバとは、システムバスを用いることにより、接続され、互いに通信を行う。無線アクセスデバイスが動作したとき、少なくとも１つのプロセッサは、メモリにおいて記憶されているコンピュータ実行可能命令を実行し、これにより、無線アクセスデバイスは、第１の態様または第１の態様の任意選択的な実装方式のうち任意の１つに係るＡＩ技術の設定方法を実行する。
【００６５】
第６の態様によれば、本発明の実施形態は、コンピュータ可読記憶媒体を提供する。コンピュータ可読記憶媒体は、１つまたは複数のプログラムを記憶する。１つまたは複数のプログラムは、命令を含む。無線アクセスデバイスの少なくとも１つのプロセッサが命令を実行したとき、無線アクセスデバイスは、第１の態様または第１の態様の任意選択的な実装方式のうち任意の１つに係るＡＩ技術の設定方法を実行する。
【００６６】
第７の態様によれば、本発明の実施形態は、システムチップを提供する。システムチップは、少なくとも１つのプロセッサと、入出力インターフェースと、メモリと、バスとを備える。
【００６７】
メモリは、コンピュータ実行可能命令を記憶するよう構成される。少なくとも１つのプロセッサと、メモリと、入出力インターフェースとは、バスを用いることにより、接続され、互いに通信を行う。システムチップが動作したとき、少なくとも１つのプロセッサは、メモリにおいて記憶されているコンピュータ実行可能命令を実行し、これにより、システムチップは、第１の態様または第１の態様の任意選択的な実装方式のうち任意の１つに係るＡＩ技術の設定方法を実行する。
【００６８】
第５、第６、および第７の態様の技術的効果について、第１および第３の態様の技術的効果の関連説明を参照されたく、詳細はここでは再び説明されない。
【００６９】
第８の態様によれば、本発明の実施形態は、ＵＥを提供する。ＵＥは、少なくとも１つのプロセッサと、トランシーバと、メモリと、システムバスとを備える。
【００７０】
メモリは、コンピュータ実行可能命令を記憶するよう構成される。少なくとも１つのプロセッサと、メモリと、トランシーバとは、システムバスを用いることにより、接続され、互いに通信を行う。ＵＥが動作したとき、少なくとも１つのプロセッサは、メモリにおいて記憶されているコンピュータ実行可能命令を実行し、これにより、ＵＥは、第２の態様または第２の態様の任意選択的な実装方式のうち任意の１つに係るＡＩ技術の設定方法を実行する。
【００７１】
第９の態様によれば、本発明の実施形態は、コンピュータ可読記憶媒体を提供する。コンピュータ可読記憶媒体は、１つまたは複数のプログラムを記憶する。１つまたは複数のプログラムは、命令を含む。ＵＥの少なくとも１つのプロセッサが命令を実行したとき、ＵＥは、第２の態様または第２の態様の任意選択的な実装方式のうち任意の１つに係るＡＩ技術の設定方法を実行する。
【００７２】
第１０の態様によれば、本発明の実施形態は、システムチップを提供する。システムチップは、少なくとも１つのプロセッサと、入出力インターフェースと、メモリと、バスとを備える。
【００７３】
メモリは、コンピュータ実行可能命令を記憶するよう構成される。少なくとも１つのプロセッサと、メモリと、入出力インターフェースとは、バスを用いることにより、接続され、互いに通信を行う。システムチップが動作したとき、少なくとも１つのプロセッサは、メモリにおいて記憶されているコンピュータ実行可能命令を実行し、これにより、システムチップは、第２の態様または第２の態様の任意選択的な実装方式のうち任意の１つに係るＡＩ技術の設定方法を実行する。
【００７４】
第８、第９、および第１０の態様の技術的効果について、第２および第４の態様の技術的効果の関連説明を参照されたく、詳細はここでは再び説明されない。
【００７５】
第７および第１０の態様におけるシステムチップは、システムオンチップ（ｓｙｓｔｅｍ  ｏｎ  ａ  ｃｈｉｐ、ＳＯＣ）であってよく、または、本発明の実施形態に係るＡＩ技術の設定方法を実行できる別のチップであってよい。
【００７６】
さらに、第７の態様におけるシステムチップは、本発明の実施形態における無線アクセスデバイスのシステムチップであってよく、第１０の態様のシステムチップは、本発明の実施形態におけるＵＥのシステムチップであってよい。
【００７７】
第１１の態様によれば、本発明の実施形態は、無線通信システムを提供する。無線通信システムは、第３の態様に係る無線アクセスデバイスと、第４の態様に係るＵＥとを備える。代替的に、無線通信システムは、第５の態様に係る無線アクセスデバイスと、第６の態様に係るＵＥとを備える。
【００７８】
第１２の態様によれば、本発明の実施形態は、無線通信システムを提供する。無線通信システムは、第３の態様に係る無線アクセスデバイスを備える。代替的に、無線通信システムは、第５の態様に係る無線アクセスデバイスを備える。
【００７９】
本発明の実施形態において提供されている無線通信システムにおいて、無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の実施形態において提供されているＡＩ技術の設定方法を用いることにより、無線アクセスデバイスは、ＵＥのための同じキャリア上での複数のＡＩ技術の設定においてサポートを受けることができ、これにより、複数のＡＩ技術をより柔軟に使用し、無線通信システムにおいて複数のＡＩ技術を使用することが必要な応用シナリオにより良好に適応され、それにより、同じキャリア上でのリソースの利用率および使用柔軟性を向上させる。
【図面の簡単な説明】
【００８０】
【図１】本発明の実施形態に係る無線通信システムの構造概略図である。
【００８１】
【図２】本発明の実施形態に係るＡＩ技術の設定方法の第１の概略図である。
【００８２】
【図３】本発明の実施形態に係る設定情報の第１の概略図である。
【００８３】
【図３Ａ】本発明の実施形態に係る設定情報の第２の概略図である。
【００８４】
【図４】本発明の実施形態に係る設定情報の第３の概略図である。
【００８５】
【図５】本発明の実施形態に係る設定情報の第４の概略図である。
【００８６】
【図６】本発明の実施形態に係る設定情報の第５の概略図である。
【００８７】
【図７】本発明の実施形態に係る設定情報の第６の概略図である。
【００８８】
【図８】本発明の実施形態に係るＡＩ技術の設定方法の第２の概略図である。
【００８９】
【図９】本発明の実施形態に係るＡＩ技術に対応する測定情報のアクティブ化および非アクティブ化の概略図である。
【００９０】
【図１０】本発明の実施形態に係る基地局による、ＡＩ技術のためのＰＵＣＣＨの設定の第１の概略図である。
【００９１】
【図１１】本発明の実施形態に係る基地局による、ＡＩ技術のためのＰＵＣＣＨの設定の第２の概略図である。
【００９２】
【図１２】本発明の実施形態に係る基地局による、ＡＩ技術のためのＰＵＣＣＨの設定の第３の概略図である。
【００９３】
【図１３】本発明の実施形態に係る基地局による、ＡＩ技術のためのＰＤＣＣＨ／ＥＰＤＣＣＨの設定の概略図である。
【００９４】
【図１４】本発明の実施形態に係る無線アクセスデバイスの第１の概略構造図である。
【００９５】
【図１５】本発明の実施形態に係る無線アクセスデバイスの第２の構造概略図である。
【００９６】
【図１６】本発明の実施形態に係る無線アクセスデバイスの第３の概略構造図である。
【００９７】
【図１７】本発明の実施形態に係る無線アクセスデバイスの第４の概略構造図である。
【００９８】
【図１８】本発明の実施形態に係るＵＥの第１の概略構造図である。
【００９９】
【図１９】本発明の実施形態に係るＵＥの第２の構造概略図である。
【０１００】
【図２０】本発明の実施形態に係る無線アクセスデバイスのハードウェア概略図である。
【０１０１】
【図２１】本発明の実施形態に係るＵＥのハードウェア概略図である。
【０１０２】
【図２２】本発明の実施形態に係るシステムチップの第１のハードウェア概略図である。
【０１０３】
【図２３】本発明の実施形態に係るシステムチップの第２のハードウェア概略図である。
【発明を実施するための形態】
【０１０４】
本明細書における「および／または」という用語は、関連する対象物を説明するために関連関係のみを説明し、３つの関係が存在し得ることを表す。例えば、Ａおよび／またはＢは、Ａのみが存在する、ＡおよびＢの両方が存在する、およびＢのみが存在するという３つの場合を表す。加えて、本明細書における「／」という記号は概して、関連する対象物の間の「または」という関係を示す。例えば、Ａ／Ｂは、ＡまたはＢと理解されてよい。
【０１０５】
本発明の実施形態における明細書および特許請求の範囲において、「第１」、「第２」、「第３」、「第４」などの用語は、異なる対象物を区別することを意図しているが、対象物の特定の順序を示すものではない。例えば、第１の特定周波数範囲、第２の特定周波数範囲、および同様のものは、特定周波数範囲の特定の順序を説明することではなく、異なる特定周波数範囲を区別することを意図する。
【０１０６】
本発明の実施形態において、別段の記載がない限り、以下の実施形態において現れている「複数の」は、２つまたは２つより多いことを意味する。例えば、複数の無線アクセスデバイスは、２つまたはそれより多い無線アクセスデバイスを意味する。本発明の以下の実施形態において、「複数の」および「少なくとも２つ」は、同じ意味を表してよい。両方とも、２つまたは２つより多いことを表すことができ、置き換え可能である。
【０１０７】
加えて、本発明の実施形態において、「例示的な」または「例えば」という表現は、例、図示、または説明を与えることを表すために用いられる。本発明の実施形態における、「例示的な」または「例えば」として説明されている任意の実施形態または設計方式は、より好ましいもの、または、別の実施形態または設計方式よりも多い利点を有しているものとして解釈されるべきではない。正確にいうと、「例示的な」または「例えば」という表現、または同様の表現の使用は、具体的な方式で関連するコンセプトを表すことを意図する。
【０１０８】
加えて、「備える」、「含む」、「有する」という用語、および本発明の実施形態の説明において言及されているそれらの任意の他の派生語は、非排他的な包含をカバーすることを意図する。例えば、一連の段階またはユニットを含む処理、方法、システム、製品、またはデバイスは、列挙されている段階またはユニットに限定されず、任意選択的に、列挙されていない別の段階またはユニットをさらに含むか、または、任意選択的に、処理、方法、製品、またはデバイスの別の固有の段階またはユニットをさらに含む。
【０１０９】
以下の記載において、限定するためではなく、説明するために、特定システム構造、インターフェース、技術などの具体的な詳細が提供され、本出願に対する十分な理解を容易にする。しかしながら、本出願はこれらの具体的な詳細がなくても他の実施形態において実装され得ることを、当業者であれば認識するべきである。他の場合において、周知の装置、回路、および方法の詳述されている説明が省略され、これにより、本出願は、不必要な詳細により不明瞭にされることなく、説明される。
【０１１０】
本発明の以下の実施形態において、「サービス」および「データ」は、同様の意味を有し、置き換え可能である。例えば、ＵＥおよび無線アクセスデバイスがサービスを伝送することは、ＵＥおよび無線アクセスデバイスがデータを伝送することであると理解されてよい。代替的に、ＵＥおよび無線アクセスデバイスがデータを伝送することは、ＵＥおよび無線アクセスデバイスがサービスを伝送することであると理解されてよい。
【０１１１】
本発明の実施形態において、ＵＥおよび無線アクセスデバイスの間で伝送されるサービス／データは、シグナリングおよびユーザデータを含んでよい。このことは、本発明の実施形態において具体的に限定されない。
【０１１２】
本発明の実施形態において提供されているＡＩ技術の設定方法は、無線通信システムに適用されてよい。無線通信システムは、１つまたは複数の無線アクセスデバイスと、無線アクセスデバイスによりサービスを提供されるＵＥとを含んでよい。ＵＥが無線アクセスデバイス／いくつかの無線アクセスデバイスのカバレージ内に位置し得るので、ＵＥにサービスを提供する１つまたは複数のサービングセルが存在し得る。ＵＥにサービスを提供する複数のサービングセルが存在する場合、ＵＥは、キャリアアグリゲーション（ｃａｒｒｉｅｒ  ａｇｇｒｅｇａｔｉｏｎ、ＣＡ）モード、デュアルコネクティビティ（ｄｕａｌ  ｃｏｎｎｅｃｔｉｖｉｔｙ、ＤＣ）モード（すなわち、ＣＡにおけるキャリアが複数の基地局により提供される）、または、多地点協調送受信（ｃｏｏｒｄｉｎａｔｅｄ  ｍｕｌｔｉｐｌｅ  ｐｏｉｎｔ  ｔｒａｎｓｍｉｓｓｉｏｎ、ＣｏＭＰ）モードにおいて動作し得る。少なくとも１つのサービングセルは、少なくとも２つのＡＩ技術を提供してよく、無線アクセスデバイスは、ＵＥのために少なくとも２つのＡＩ技術のうち１つまたは複数を設定してよい。無線アクセスデバイスにより用いられる、ＵＥのためにＡＩ技術を設定する方法は、従来技術における方法と同じであり、詳細はここでは説明されない。本発明の実施形態は、無線アクセスデバイスがＵＥのために少なくとも２つのＡＩ技術を設定する例を用いることのみにより、説明される。
【０１１３】
本発明の実施形態において提供される無線通信システムは、ユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）、符号分割多重接続（ｃｏｄｅ  ｄｉｖｉｓｉｏｎ  ｍｕｌｔｉｐｌｅ  ａｃｃｅｓｓ、ＣＤＭＡ）システム、無線ローカルエリアネットワーク（ｗｉｒｅｌｅｓｓ  ｌｏｃａｌ  ａｒｅａ  ｎｅｔｗｏｒｋ、ＷＬＡＮ）、第５世代移動通信（ｔｈｅ  ５ｔｈ  ｇｅｎｅｒａｔｉｏｎ  ｍｏｂｉｌｅ  ｃｏｍｍｕｎｉｃａｔｉｏｎ、５Ｇ）技術を用いる通信システム、または同様のものであってよい。
【０１１４】
図１において示されているように、図１は、本発明の実施形態に係る可能な無線通信システムの構造概略図である。図１において示されている無線通信システムにおいて、無線アクセスデバイス１が、本発明の本実施形態において提供されているＡＩ技術の設定方法を用いることにより、ＵＥ２のためにＡＩ技術を設定する。例えば、無線アクセスデバイスが少なくとも２つのＡＩ技術をサポートできるものと仮定する。無線アクセスデバイスは、少なくとも２つのＡＩ技術の設定情報を決定し、少なくとも２つのＡＩ技術の設定情報をＵＥへ送信することにより、ＵＥのために少なくとも２つのＡＩ技術を設定し得る。無線アクセスデバイスがＵＥのために少なくとも２つのＡＩ技術を設定した後に、ＵＥおよび無線アクセスデバイスは、少なくとも２つのＡＩ技術を用いてサービスを伝送し得る。
【０１１５】
本発明の本実施形態において、無線アクセスデバイスは、基地局、分散型基地局、クラウド無線アクセスネットワーク（ｃｌｏｕｄ   ＲＡＮ、ＣＲＡＮ）デバイス、無線アクセスネットワークコントローラおよび基地局を含むアクセスネットワークデバイス、または同様のものであってよい。分散型基地局またはＣＲＡＮデバイスは、ベースバンドユニット（ｂａｓｅ  ｂａｎｄ  ｕｎｉｔ、ＢＢＵ）、および遠隔無線ユニット（ｒｅｍｏｔｅ  ｒａｄｉｏ  ｕｎｉｔ、ＲＲＵ）を含んでよい。ＣＲＡＮデバイスは、フレキシブルプロトコルレイヤリングを有するＣＲＡＮデバイスであってもよい。フレキシブルプロトコルレイヤリングを有するＣＲＡＮデバイスは具体的に、進化型ＢＢＵおよび進化型ＲＲＵを含んでよい。進化型ＢＢＵおよび進化型ＲＲＵはそれぞれ、無線プロトコル層の一部または全てを有してよい。無線プロトコル層は、パケットデータコンバージェンスプロトコル（ｐａｃｋｅｔ  ｄａｔａ  ｃｏｎｖｅｒｇｅｎｃｅ  ｐｒｏｔｏｃｏｌ、ＰＤＣＰ）層、無線リンク制御（ｒａｄｉｏ  ｌｉｎｋ  ｃｏｎｔｒｏｌ、ＲＬＣ）層、媒体アクセス制御（ｍｅｄｉａ  ａｃｃｅｓｓ  ｃｏｎｔｒｏｌ、ＭＡＣ）層、および物理層（ｐｈｙｓｉｃａｌ  ｌａｙｅｒ、ＰＨＹ）を含む。ＲＲＵはさらに、無線周波数（ｒａｄｉｏ  ｆｒｅｑｕｅｎｃｙ、ＲＦ）部分を含む。
【０１１６】
ＵＥは、無線端末であってよい。無線端末は、音声および／またはデータ接続性をユーザに提供するデバイス、無線接続機能を有するハンドヘルドデバイス、または無線モデムと接続される別の処理デバイスを指してよい。無線端末は、無線アクセスネットワーク（Ｒａｄｉｏ  Ａｃｃｅｓｓ  Ｎｅｔｗｏｒｋ、ＲＡＮ）を用いることにより、１つまたは複数のコアネットワークと通信を行ってよい。無線端末は、（「セルラ」電話とも称される）携帯電話などのモバイル端末、およびモバイル端末を有するコンピュータであってよく、例えば、無線アクセスネットワークと音声および／またはデータを交換する、ポータブルモバイル装置、ポケットサイズのモバイル装置、ハンドヘルドモバイル装置、コンピュータ内蔵モバイル装置、または車載型モバイル装置であってよい。例えば、無線端末は、パーソナル通信サービス（ｐｅｒｓｏｎａｌ  ｃｏｍｍｕｎｉｃａｔｉｏｎ  ｓｅｒｖｉｃｅ、ＰＣＳ）電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、またはパーソナルデジタルアシスタント（ｐｅｒｓｏｎａｌ  ｄｉｇｉｔａｌ  ａｓｓｉｓｔａｎｔ、ＰＤＡ）などのデバイスであってよい。無線端末は、システム、加入者ユニット（ｓｕｂｓｃｒｉｂｅｒ  ｕｎｉｔ）、加入者局（ｓｕｂｓｃｒｉｂｅｒ  ｓｔａｔｉｏｎ）、移動局（ｍｏｂｉｌｅ  ｓｔａｔｉｏｎ）、移動体（ｍｏｂｉｌｅ）、遠隔局（ｒｅｍｏｔｅ  ｓｔａｔｉｏｎ）、アクセスポイント（ａｃｃｅｓｓ  ｐｏｉｎｔ）、遠隔端末（ｒｅｍｏｔｅ  ｔｅｒｍｉｎａｌ）、アクセス端末（ａｃｃｅｓｓ  ｔｅｒｍｉｎａｌ）、ユーザ端末（ｕｓｅｒ  ｔｅｒｍｉｎａｌ）、ユーザエージェント（ｕｓｅｒ  ａｇｅｎｔ）、またはユーザ機器（ｕｓｅｒ  ｅｑｕｉｐｍｅｎｔ）とも称されてよい。
【０１１７】
本発明の実施形態において提供されているＡＩ技術の設定方法をより明確にかつ簡便に説明するために、以下の方法の実施形態の全ては、無線アクセスデバイスが基地局である例を用いることにより説明される。もちろん、以下の方法の実施形態における基地局は代替的に、前述の分散型基地局、ＣＲＡＮデバイス、または、無線アクセスネットワークコントローラおよび基地局を含むアクセスネットワークデバイスと置き換えられてよく、詳細は、本発明の実施形態において再び説明されない。
【０１１８】
例えば、図１において示されている無線通信システムの構造概略図に基づき、本発明の実施形態は、図２において示されているように、ＡＩ技術の設定方法を提供する。方法は、以下の段階を備えてよい。
【０１１９】
Ｓ１０１：基地局が、同じキャリア上で設定される必要がある少なくとも２つのＡＩ技術を決定する。
【０１２０】
Ｓ１０２：基地局が、少なくとも２つのＡＩ技術の設定情報を決定する。
【０１２１】
Ｓ１０３：基地局が、少なくとも２つのＡＩ技術の設定情報をＵＥへ送信する。
【０１２２】
Ｓ１０４：ＵＥが、基地局により送信された少なくとも２つのＡＩ技術の設定情報を受信する。
【０１２３】
Ｓ１０５：ＵＥが、少なくとも２つのＡＩ技術の設定情報に基づき、同じキャリア上で少なくとも２つのＡＩ技術を設定する。
【０１２４】
本発明の本実施形態において提供されているＡＩ技術の設定方法において、基地局は、同じキャリア上で設定される必要がある少なくとも２つのＡＩ技術と、少なくとも２つのＡＩ技術の設定情報とを決定してよく、基地局は、少なくとも２つのＡＩ技術の設定情報をＵＥへ送信してよく、これにより、ＵＥは、同じキャリア上で少なくとも２つのＡＩ技術を設定する。従って、本発明の本実施形態において提供されているＡＩ技術の設定方法を用いることにより、基地局は、ＵＥのための同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０１２５】
本発明の本実施形態において複数のＡＩ技術を使用する必要がある応用シナリオは、複数のＡＩ技術が１つのキャリア上で使用されるシナリオを含んでよく、または複数のＡＩ技術が複数のキャリア（ＣＡシナリオ、ＤＣシナリオ、ＣｏＭＰシナリオ、または同様のもの）上で使用されるシナリオを含んでよい。複数のＡＩ技術が複数のキャリア上で使用されるシナリオにおいて、複数のＡＩ技術は、複数のキャリアのうち少なくとも１つで使用される。
【０１２６】
本発明の本実施形態において、基地局は、少なくとも２つのＡＩ技術をサポートする。ＡＩ技術は、無線インターフェース技術（ｒａｄｉｏ  ｉｎｔｅｒｆａｃｅ  ｔｅｃｈｎｏｌｏｇｙ、ＲＩＴ）、または無線インターフェースプロトコル（ｒａｄｉｏ  ｉｎｔｅｒｆａｃｅ  ｐｒｏｔｏｃｏｌ、ＲＩＰ）とも称されてよい。ＡＩ技術は通常、多重接続（ｍｕｌｔｉｐｌ  ａｃｃｅｓｓ）方式、変調および符号化方式（ｍｏｄｕｌａｔｉｏｎ  ａｎｄ  ｃｏｄｉｎｇ  ｓｃｈｅｍｅ、ＭＣＳ）、フレーム構造（ｆｒａｍｅ  ｓｔｒｕｃｔｕｒｅ）、物理チャネル（ｐｈｙｓｉｃａｌ  ｃｈａｎｎｅｌ）、トランスポートチャンネル（ｔｒａｎｓｐｏｒｔ  ｃｈａｎｎｅｌ）、論理チャネル（ｌｏｇｉｃａｌ  ｃｈａｎｎｅｌ）、ＭＡＣ、ＲＬＣ、ＰＤＣＰ、無線リソース制御（ｒａｄｉｏ  ｒｅｓｏｕｒｃｅ  ｃｏｎｔｒｏｌ、ＲＲＣ）、および同様のものを含んでよい。
【０１２７】
前述の多重接続方式は、時間分割多重接続（ｔｉｍｅ  ｄｉｖｉｓｉｏｎ  ｍｕｌｔｉｐｌｅ  ａｃｃｅｓｓ、ＴＤＭＡ）方式、周波数分割多重接続（ｆｒｅｑｕｅｎｃｙ  ｄｉｖｉｓｉｏｎ  ｍｕｌｔｉｐｌｅ  ａｃｃｅｓｓ、ＦＤＭＡ）方式、符号分割多重接続（ｃｏｄｅ  ｄｉｖｉｓｉｏｎ  ｍｕｌｔｉｐｌｅ  ａｃｃｅｓｓ、ＣＤＭＡ）、直交周波数分割多重接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）方式、単一キャリア周波数分割多重接続（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）方式、および同様のものを含んでよい。
【０１２８】
前述のフレーム構造は通常、物理層上でデータを伝送するフォーマットおよび対応するパラメータを指す。異なる無線通信システムは通常、それぞれの特定のフレーム構造を用いる。例えば、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）ロングタームエボリューション（ｌｏｎｇ  Ｔｅｒｍ  Ｅｖｏｌｕｔｉｏｎ、ＬＴＥ）システムのフレーム構造は、周波数分割多重化（ｆｒｅｑｕｅｎｃｙ  ｄｉｖｉｓｉｏｎ  ｍｕｌｔｉｐｌｅｘｉｎｇ、ＦＤＤ）のために用いられるタイプＩ（Ｔｙｐｅ  Ｉ）のフレーム構造、および時間分割多重化（ｔｉｍｅ  ｄｉｖｉｓｉｏｎ  ｍｕｌｔｉｐｌｅｘｉｎｇ、ＴＤＤ）のために用いられるタイプＩＩ（Ｔｙｐｅ  ＩＩ）のフレーム構造を含む。タイプＩのフレーム構造およびタイプＩＩのフレーム構造はそれぞれ、１ｍｓの長さを有する１０個のサブフレーム（ｓｕｂｆｒａｍｅ）を含む。タイプＩのフレーム構造とタイプＩＩのフレーム構造との間の主な差異は、特殊サブフレームがタイプＩＩのフレーム構造に導入されているという点にある。特殊サブフレームは、ダウンリンクパイロットタイムスロット（ｄｏｗｎｌｉｎｋ  ｐｉｌｏｔ  ｔｉｍｅ  ｓｌｏｔ、ＤｗＰＴＳ）、ガード間隔（ｇｕａｒｄ  ｐｅｒｉｏｄ、ＧＰ）、およびアップリンクパイロットタイムスロット（ｕｐｌｉｎｋ  ｐｉｌｏｔ  ｔｉｍｅ  ｓｌｏｔ、ＵｐＰＴＳ）という３つの特殊タイムスロットを含む。ＤｗＰＴＳは常に、ダウンリンクデータを送信するために用いられ、ＵｐＰＴＳは常に、アップリンクデータを送信するために用いられ、ＧＰは、ダウンリンクからアップリンクへの変換のためのガード時間間隔である。タイプＩのフレーム構造におけるサブフレームは、異なる周波数範囲に基づき、アップリンクサブフレームおよびダウンリンクサブフレームに分類される。アップリンクサブフレームおよびダウンリンクサブフレームは、任意の伝送時間間隔（ｔｒａｎｓｍｉｓｓｉｏｎ  ｔｉｍｅ  ｉｎｔｅｒｖａｌ、ＴＴＩ）で同時に用いられることができる。タイプＩＩのフレーム構造におけるサブフレームは、アップリンクサブフレームおよびダウンリンクサブフレームに分類される。アップリンクサブフレームまたはダウンリンクサブフレームのみが任意のＴＴＩで用いられることができ、１つのＴＴＩの時間長さは、１つのサブフレームの時間長さに等しい。
【０１２９】
本発明の本実施形態において、少なくとも２つのＡＩ技術は、前述の複数のＡＩ技術のうち少なくとも１つがその他のＡＩ技術と異なることを意味する。例えば、基地局が、少なくとも２つのフレーム構造、例えば、タイプＩのフレーム構造およびタイプＩＩのフレーム構造をサポートする場合、基地局は、少なくとも２つのＡＩ技術をサポートするとみなされてよい。基地局が、少なくとも１つのフレーム構造および少なくとも１つの多重接続方式、例えば、タイプＩのフレーム構造およびＣＤＭＡ方式をサポートする場合、基地局が少なくとも２つのＡＩ技術をサポートするともみなされてよい。
【０１３０】
本発明の本実施形態において、Ｓ１０１において基地局により決定された、同じキャリア上で設定される必要がある少なくとも２つのＡＩ技術は、基地局によりサポートを受けることができる少なくとも２つのＡＩ技術である。
【０１３１】
Ｓ１０２において、基地局が、同じキャリア上で設定される必要がある少なくとも２つのＡＩ技術を決定した後に、基地局は、少なくとも２つのＡＩ技術の設定情報を決定してよい。Ｓ１０３において示されているように、基地局は、少なくとも２つのＡＩ技術の設定情報をＵＥへ送信し、これにより、Ｓ１０４よびＳ１０５において示されているように、ＵＥは、少なくとも２つのＡＩ技術の設定情報に基づき、同じキャリア上で少なくとも２つのＡＩ技術を設定する。
【０１３２】
任意選択的に、本発明の本実施形態において、１つのキャリア上で少なくとも２つのＡＩ技術の設定をサポートするために、対応する技術的サポートも物理層上で必要とされる。例えば、物理層上で、フィルタリングを用いた直交分割多重化（ｆｉｌｔｅｒｅｄ  ｏｒｔｈｏｇｏｎａｌ  ｄｉｖｉｓｉｏｎ  ｍｕｌｔｉｐｌｅｘｉｎｇ、ｆｉｌｔｅｒｅｄ  ＯＦＤＭ）技術が、異なるＡＩ技術を分離させるために用いられる。異なるＡＩ技術は、異なるＯＦＤＭパラメータ、例えば、異なるサブキャリア間隔、異なるサブフレームの長さ、および異なるサイクリックプレフィックス（ｃｙｃｌｉｃ  ｐｒｅｆｉｘ、ＣＰ）の長さを用いることにより設定されてよい。より高次のレイヤのプロトコル機能の点から、対応する技術的サポートも必要とされる。例えば、適したＭＡＣプロトコルが、異なるサービス特徴に基づき、サービスをＡＩ技術に一致させる必要があり、それにより、無線リソースを複数の異なるＡＩ技術に割り当てる。
【０１３３】
本発明の本実施形態において、少なくとも２つのＡＩ技術の設定情報は、以下のうち１つであってよい。
【０１３４】
（１）少なくとも２つのＡＩ技術の設定情報は、第１の特定周波数範囲および共通周波数範囲を含む。第１の特定周波数範囲は、基地局により予め設定された、少なくとも２つのＡＩ技術に対応する第１の周波数サブ範囲を含む。第１の周波数サブ範囲は、少なくとも２つのＡＩ技術に対応する制御情報を伝送するために用いられる。共通周波数範囲は、ＵＥのリソース要求に基づき、少なくとも２つのＡＩ技術に対応するリソースを割り当てるために基地局により用いられる。
【０１３５】
前述の（１）において、第１の特定周波数範囲および共通周波数範囲は、同じキャリア上の周波数範囲である。１つまたは少なくとも２つの第１の周波数サブ範囲が存在し得る。１つの第１の周波数サブ範囲が存在するとき、第１の周波数サブ範囲は、少なくとも２つのＡＩ技術に対応する制御情報を伝送するために用いられてよい。すなわち、少なくとも２つのＡＩ技術に対応する制御情報は全て、第１の周波数サブ範囲において伝送される。少なくとも２つの第１の周波数サブ範囲が存在するとき、少なくとも２つの第１の周波数サブ範囲は、少なくとも２つのＡＩ技術と一対一の対応関係にある。すなわち、１つの第１の周波数サブ範囲は、１つのＡＩ技術に対応する制御情報を伝送するために用いられる。代替的に、少なくとも２つの第１の周波数サブ範囲が存在するとき、少なくとも２つの第１の周波数サブ範囲のうち１つは、少なくとも２つのＡＩ技術のうちの一部に対応し、少なくとも２つの第１の周波数サブ範囲における、当該１つの第１の周波数サブ範囲以外の他の第１の周波数サブ範囲は、少なくとも２つのＡＩ技術における、当該一部のＡＩ技術以外の他のＡＩ技術に対応する。
【０１３６】
制御情報は、各ＡＩ技術に対応する、基地局によりＵＥに割り当てられたリソース割り当て情報を示すために用いられてよい。制御情報は、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）、または拡張ＰＤＣＣＨ（ｅｎｈａｎｃｅｄ  ＰＤＣＣＨ、ＥＰＤＣＣＨ）を用いることにより示されてよい。すなわち、基地局は、ＰＤＣＣＨまたはＥＰＤＣＣＨを用いることにより、各ＡＩ技術に対応するリソース割り当て情報をＵＥへ送信してよい。
【０１３７】
第１の特定周波数範囲における第１の周波数サブ範囲は、基地局により予め設定される。共通周波数範囲は、少なくとも２つのＡＩ技術に共通する周波数範囲であってよい。すなわち、基地局は、少なくとも２つのＡＩ技術に対応するリソースを、ＵＥのリソース要求に基づき、共通周波数範囲において、リアルタイムでＵＥに動的に割り当ててよい。
【０１３８】
例えば、図３において示されているように、基地局は、キャリア上の第１の特定周波数範囲において、第１の周波数サブ範囲Ａおよび第１の周波数サブ範囲Ｂを予め設定してよい。第１の周波数サブ範囲Ａは、ＡＩ−１に対応する制御情報を伝送するために用いられ、第１の周波数サブ範囲Ｂは、ＡＩ−２に対応する制御情報を伝送するために用いられる。基地局は、ＵＥのリソース要求に基づき、キャリア上の共通周波数範囲においてリアルタイムでリソースを動的に割り当ててよい。例えば、ある時点において、基地局は、ＵＥのリソース要求に基づき、キャリア上の共通周波数範囲においてＡＩ−１に対応するリソース１およびＡＩ−２に対応するリソース２をＵＥに割り当ててよい。別の時刻において、基地局は、ＵＥのリソース要求に基づき、キャリア上の共通周波数範囲において、ＡＩ−１に対応するリソース２およびＡＩ−２に対応するリソース１をＵＥに割り当ててよい。このように、共通周波数範囲におけるリソースは、ＵＥのリソース要求に基づき、リアルタイムで動的に割り当てられることができ、それにより、リソース利用率を向上させ、より柔軟なリソース使用方式を提供する。
【０１３９】
前述の（１）において言及されている周波数範囲は代替的に、時間範囲であってよいことに注意すべきである。言い換えれば、本発明の本実施形態において提供されているＡＩ技術の設定方法において、時間範囲は代替的に、少なくとも２つのＡＩ技術のために設定されてよい。具体的には、第１の特定時間範囲および共通時間範囲は、少なくとも２つのＡＩ技術のために設定されてよい。言い換えれば、本発明の本実施形態において提供されている少なくとも２つのＡＩ技術の設定情報は、第１の特定時間範囲および共通時間範囲を含んでよい。第１の特定時間範囲は、基地局により予め設定された、少なくとも２つのＡＩ技術に対応する第１の時間サブ範囲を含む。第１の時間サブ範囲は、少なくとも２つのＡＩ技術に対応する制御情報を伝送するために用いられる。共通時間範囲は、ＵＥのリソース要求に基づき、少なくとも２つのＡＩ技術に対応するリソースを割り当てるために基地局により用いられる。
【０１４０】
共通周波数範囲は具体的に、ＵＥのリソース要求に基づき、少なくとも２つのＡＩ技術に対応する周波数リソースを割り当てるために基地局により用いられることが理解され得る。共通時間範囲は具体的に、ＵＥのリソース要求に基づき、少なくとも２つのＡＩ技術に対応する時間リソースを割り当てるために基地局により用いられる。
【０１４１】
例えば、図３Ａにおいて示されているように、基地局は、キャリア上の第１の特定時間範囲において、第１の時間サブ範囲ＡＡおよび第１の時間サブ範囲ＢＢを予め設定してよい。第１の時間サブ範囲ＡＡは、ＡＩ−１に対応する制御情報を伝送するために用いられ、第１の時間サブ範囲ＢＢは、ＡＩ−２に対応する制御情報を伝送するために用いられる。基地局は、ＵＥのリソース要求に基づき、キャリア上の共通時間範囲において、リアルタイムでリソースを動的に割り当ててよい。例えば、ある時点において、基地局は、ＵＥのリソース要求に基づき、キャリア上の共通時間範囲においてＡＩ−１に対応するリソース１ＡおよびＡＩ−２に対応するリソース２ＡをＵＥに割り当ててよい。別の時刻において、基地局は、ＵＥのリソース要求に基づき、キャリア上の共通時間範囲においてＡＩ−１に対応するリソース２ＡおよびＡＩ−２に対応するリソース１ＡをＵＥに割り当ててよい。このように、共通時間範囲におけるリソースは、ＵＥのリソース要求に基づき、リアルタイムで動的に割り当てられることができ、それにより、リソース利用率を向上させ、より柔軟なリソース使用方式を提供する。
【０１４２】
時間範囲の他の説明について、前述の実施形態における第１の周波数範囲および第１の周波数サブ範囲の関連説明を参照されたく、詳細はここでは再び説明されない。
【０１４３】
本発明の本実施形態において提供されているＡＩ技術の設定方法において、周波数範囲および時間範囲は代替的に、少なくとも２つのＡＩ技術のために設定されてよい。具体的には、第１の特定周波数範囲、共通周波数範囲、第１の特定時間範囲、および共通時間範囲は、少なくとも２つのＡＩ技術のために設定されてよい。言い換えれば、少なくとも２つのＡＩ技術の設定情報は、第１の特定周波数範囲、共通周波数範囲、第１の特定時間範囲、および共通時間範囲を含んでよい。
【０１４４】
本発明の本実施形態において提供されているＡＩ技術の設定方法において、少なくとも２つのＡＩ技術の設定情報の具体的な内容は、実際の使用要求に基づき決定されてよい。このことは、本発明の本実施形態において限定されない。
【０１４５】
（２）少なくとも２つのＡＩ技術の設定情報は、第１の特定周波数範囲、第２の特定周波数範囲、および共通周波数範囲を含む。第１の特定周波数範囲は、基地局により予め設定された、少なくとも２つのＡＩ技術に対応する第１の周波数サブ範囲を含む。第１の周波数サブ範囲は、少なくとも２つのＡＩ技術に対応する制御情報を伝送するために用いられる。第２の特定周波数範囲は、基地局により予め設定された、少なくとも２つのＡＩ技術のそれぞれに対応する第２の周波数サブ範囲を含む。第２の周波数サブ範囲は、ＵＥのリソース要求に基づき、ＡＩ技術に対応するリソースを割り当てるために基地局により用いられる。共通周波数範囲は、ＵＥのリソース要求に基づき、少なくとも２つのＡＩ技術に対応するリソースを割り当てるために、基地局により用いられる。
【０１４６】
前述の（２）において、第１の特定周波数範囲、第２の特定周波数範囲、および共通周波数範囲は、同じキャリア上の周波数範囲である。第２の特定周波数範囲における第２の周波数サブ範囲も、基地局により予め設定される。
【０１４７】
第１の特定周波数範囲、第１の周波数サブ範囲、および共通周波数範囲の説明について、具体的には、前述の（１）における第１の特定周波数範囲、第１の周波数サブ範囲、および共通周波数範囲の関連説明を参照されたく、詳細はここでは再び説明されない。
【０１４８】
少なくとも２つの第２の周波数サブ範囲が存在し得る。少なくとも２つの第２の周波数サブ範囲が存在するとき、少なくとも２つの第２の周波数サブ範囲は、少なくとも２つのＡＩ技術と一対一の対応関係にある。すなわち、１つの第２の周波数サブ範囲は、ＵＥのリソース要求に基づき、１つのＡＩ技術に対応するリソースを伝送するために基地局により用いられる。代替的に、少なくとも２つの第２の周波数サブ範囲が存在するとき、少なくとも２つの第２の周波数サブ範囲のうち１つが少なくとも２つのＡＩ技術のうちの一部に対応し、少なくとも２つの第２の周波数サブ範囲における、当該１つの第２の周波数サブ範囲以外の他の第２の周波数サブ範囲は、少なくとも２つのＡＩ技術における、当該一部のＡＩ技術以外の他のＡＩ技術に対応する。
【０１４９】
基地局が第２の周波数サブ範囲においてＡＩ技術に対応するリソースをＵＥに割り当てたとき、第２の周波数サブ範囲におけるリソースがＵＥのリソース要求を満たすことができない場合、基地局はさらに、共通周波数範囲において、ＡＩ技術に対応するリソースをＵＥに割り当ててよいことに注意すべきである。
【０１５０】
例えば、図４において示されているように、基地局は、キャリア上の第１の特定周波数範囲において、第１の周波数サブ範囲Ａおよび第１の周波数サブ範囲Ｂを予め設定してよい。第１の周波数サブ範囲Ａは、ＡＩ−１に対応する制御情報を伝送するために用いられ、第１の周波数サブ範囲Ｂは、ＡＩ−２に対応する制御情報を伝送するために用いられる。基地局は、キャリア上の第２の特定周波数範囲において、第２の周波数サブ範囲Ｃおよび第２の周波数サブ範囲Ｄを予め設定してよい。第２の周波数サブ範囲Ｃは、ＵＥのリソース要求に基づき、ＡＩ−１に対応するリソース１を割り当てるために基地局により用いられ、第２の周波数サブ範囲Ｄは、ＵＥのリソース要求に基づき、ＡＩ−２に対応するリソース２を割り当てるために基地局により用いられる。基地局は、ＵＥのリソース要求に基づき、キャリア上の共通周波数範囲において、リアルタイムでリソースを動的に割り当ててよい。例えば、ＴＴＩにおいて、第２の周波数サブ範囲Ｃおよび第２の周波数サブ範囲ＤにおけるリソースがＵＥのリソース要求を満たすことができない場合、基地局はさらに、キャリア上の共通周波数範囲において、ＡＩ−１に対応するリソース３およびＡＩ−２に対応するリソース４をＵＥに割り当ててよい。別の時刻において、第２の周波数サブ範囲Ｃおよび第２の周波数サブ範囲ＤにおけるリソースがまだＵＥのリソース要求を満たすことができない場合、基地局はさらに、キャリア上の共通周波数範囲において、ＡＩ−１に対応するリソース４およびＡＩ−２に対応するリソース３をＵＥに割り当ててよい。このように、共通周波数範囲におけるリソースは、ＵＥのリソース要求に基づき、リアルタイムで動的に割り当てられることができ、それにより、リソース利用率を向上させ、より柔軟なリソース使用方式を提供する。
【０１５１】
前述の（２）において言及されている周波数範囲は代替的に、時間範囲であってよいことに注意すべきである。言い換えれば、本発明の本実施形態において提供されているＡＩ技術の設定方法において、時間範囲は代替的に、少なくとも２つのＡＩ技術のために設定されてよい。具体的には、第１の特定時間範囲、第２の特定時間範囲、および共通時間範囲は、少なくとも２つのＡＩ技術のために設定されてよい。言い換えれば、本発明の本実施形態において提供されている少なくとも２つのＡＩ技術の設定情報は、第１の特定時間範囲、第２の特定時間範囲、および共通時間範囲を含んでよい。第２の特定時間範囲は、基地局により予め設定された、少なくとも２つのＡＩ技術のそれぞれに対応する第２の時間サブ範囲を含み、第２の時間サブ範囲は、ＵＥのリソース要求に基づき、ＡＩ技術に対応するリソースを割り当てるために基地局により用いられる。
【０１５２】
第２の時間サブ範囲は具体的に、ＵＥのリソース要求に基づき、ＡＩ技術に対応する時間リソースを割り当てるために基地局により用いられることが理解され得る。
【０１５３】
第１の特定時間範囲および共通時間範囲の説明について、前述の（１）における第１の特定時間範囲および共通時間範囲の関連説明を参照されたく、詳細はここでは再び説明されない。
【０１５４】
本発明の本実施形態において提供されているＡＩ技術の設定方法において、周波数範囲および時間範囲は代替的に、少なくとも２つのＡＩ技術のために設定されてよい。具体的には、第１の特定周波数範囲、第２の特定周波数範囲、共通周波数範囲、第１の特定時間範囲、第２の特定時間範囲、および共通時間範囲は、少なくとも２つのＡＩ技術のために設定されてよい。言い換えれば、少なくとも２つのＡＩ技術の設定情報は、第１の特定周波数範囲、第２の特定周波数範囲、共通周波数範囲、第１の特定時間範囲、第２の特定時間範囲、および共通時間範囲を含んでよい。
【０１５５】
本発明の本実施形態において提供されているＡＩ技術の設定方法において、少なくとも２つのＡＩ技術の設定情報の具体的な内容は、実際の使用要求に基づき、決定されてよい。このことは、本発明の本実施形態において限定されない。
【０１５６】
（３）少なくとも２つのＡＩ技術の設定情報は、ＭＡＣ機能ユニットの設定情報を含む。ＭＡＣ機能ユニットは、共通ＭＡＣ機能ユニットおよび少なくとも１つの特定ＭＡＣ機能ユニットのうち少なくとも１つを含む。共通ＭＡＣ機能ユニットは、少なくとも１つの特定ＭＡＣ機能ユニットに対応するか、または共通ＭＡＣ機能ユニットは、少なくとも２つのＡＩ技術に対応する。少なくとも１つの特定ＭＡＣ機能ユニットは、少なくとも２つのＡＩ技術に対応する。
【０１５７】
任意選択的に、少なくとも２つのＡＩ技術の設定情報はさらに、少なくとも２つのＡＩ技術と論理チャネルとの間のマッピング関係を含む。
【０１５８】
前述の（３）において、ＭＡＣ機能ユニットは、以下のいくつかの具体的な実現形式を有する。
【０１５９】
ａ．ＭＡＣ機能ユニットは、１つの共通ＭＡＣ機能ユニットを含む。
【０１６０】
図５において示されているように、本実施形態において、ＭＡＣ機能ユニットは、１つの共通ＭＡＣ機能ユニットのみを含んでよい。共通ＭＡＣ機能ユニットは、少なくとも２つのＡＩ技術に対応する。すなわち、共通ＭＡＣ機能ユニットは、少なくとも２つのＡＩ技術に対応する情報を処理するために用いられる。
【０１６１】
ｂ．ＭＡＣ機能ユニットは、少なくとも１つの特定ＭＡＣ機能ユニットを含む。
【０１６２】
図６において示されているように、本実施形態において、ＭＡＣ機能ユニットは、少なくとも１つの特定ＭＡＣ機能ユニットを含んでよい。少なくとも１つの特定ＭＡＣ機能ユニットは、少なくとも２つのＡＩ技術に対応する。すなわち、少なくとも１つの特定ＭＡＣ機能ユニットは、少なくとも２つのＡＩ技術に対応する情報を処理するために用いられる。図６において、２つのＡＩ技術、および２つの特定ＭＡＣ機能ユニットを含むＭＡＣ機能ユニットのみを例として説明のために用いる。図６において、２つの特定ＭＡＣ機能ユニットは、２つのＡＩ技術と一対一の対応関係にあり、各特定ＭＡＣ機能ユニットは、１つのＡＩ技術に対応する情報を処理するために用いられる。ＭＡＣ機能ユニットが２つより多い特定ＭＡＣ機能ユニットを含む場合は、図６における場合と同様であり、詳細はここでは再び説明されない。
【０１６３】
具体的には、ＭＡＣ機能ユニットが１つの特定ＭＡＣ機能ユニットのみを含むとき、特定ＭＡＣ機能ユニットの機能は、前述のａにおける共通ＭＡＣ機能ユニットの機能と同じであり、詳細はここでは再び説明されない。ＭＡＣ機能ユニットが少なくとも２つの特定ＭＡＣ機能ユニットを含むとき、少なくとも２つの特定ＭＡＣ機能ユニットは、少なくとも２つのＡＩ技術と一対一の対応関係にある。言い換えれば、各特定ＭＡＣ機能ユニットは、１つのＡＩ技術に対応し、各特定ＭＡＣ機能ユニットは、１つのＡＩ技術に対応する情報を処理するために用いられる。
【０１６４】
ｃ．ＭＡＣ機能ユニットは、１つの共通ＭＡＣ機能ユニットおよび少なくとも１つの特定ＭＡＣ機能ユニットを含む。
【０１６５】
図７において示されているように、本実施形態において、ＭＡＣ機能ユニットは、１つの共通ＭＡＣ機能ユニットおよび少なくとも１つの特定ＭＡＣ機能ユニットを含んでよい。共通ＭＡＣ機能ユニットは、少なくとも１つの特定ＭＡＣ機能ユニットに対応し、少なくとも１つの特定ＭＡＣ機能ユニットは、少なくとも２つのＡＩ技術と一対一の対応関係にある。図７において、２つのＡＩ技術および２つの特定ＭＡＣ機能ユニットのみを例として説明のために用いる。図７において、２つの特定ＭＡＣ機能ユニットは、２つのＡＩ技術と一対一の対応関係にあり、各特定ＭＡＣ機能ユニットは、１つのＡＩ技術に対応する情報を処理するために用いられる。ＭＡＣ機能ユニットが２つより多い特定ＭＡＣ機能ユニットを含む場合は、図７における場合と同様であり、詳細はここでは再び説明されない。
【０１６６】
少なくとも１つの特定ＭＡＣ機能ユニットの具体的な説明について、前述のｂにおける少なくとも１つの特定ＭＡＣ機能ユニットの関連説明を参照されたく、詳細はここでは再び説明されない。
【０１６７】
加えて、図５、図６、および図７はさらに、論理チャネル（ｌｏｇｉｃ  ｃｈａｎｎｅｌ、ＬＣＨ）と少なくとも２つのＡＩ技術との間の対応関係を示す。例えば、図５において示されているように、ＬＣＨ１、ＬＣＨ２、ＬＣＨ３、およびＬＣＨ４は全て、ＡＩ−１およびＡＩ−２に対応する。図６および図７において示されているように、ＬＣＨ１およびＬＣＨ２はＡＩ−２に対応し、ＬＣＨ３およびＬＣＨ４はＡＩ−１に対応する。 
【０１６８】
図５、図６、および図７は、例として、１つのキャリア（例えば、キャリア１またはＣＣ１）のみを用いることにより説明されることに注意すべきである。実際の応用において、複数のキャリアがさらに含まれてよく、ＡＩ−１およびＡＩ−２などの少なくとも２つのＡＩ技術が、各キャリア上で用いられる。
【０１６９】
本発明の本実施形態において、ＵＥは、基地局により送信された設定情報に基づき、ＵＥにおけるＭＡＣ機能ユニットを前述の３つの形態に設定し、これにより、ＵＥは、同じキャリア上での少なくとも２つのＡＩ技術の使用においてサポートを受けることができ、それにより、同じキャリア上でのリソースの利用率および使用柔軟性が向上する。
【０１７０】
任意選択的に、本発明の本実施形態において、基地局は、ＲＲＣ接続再設定メッセージを用いることにより、少なくとも２つのＡＩ技術の設定情報をＵＥへ送信してよい。
【０１７１】
具体的には、まず、基地局は、最初にＵＥのためにＡＩ−１を設定する。例えば、ＡＩ−１は、ロングタームエボリューション（ｌｏｎｇ  ｔｅｒｍ  ｅｖｏｌｕｔｉｏｎ、ＬＴＥ）システムによりサポートを受けるＡＩ技術であってよい。そして、ＵＥは、従来技術に従って、基地局へのＲＲＣ接続を確立する（従来技術におけるＲＲＣ接続確立処理を参照されたく、詳細はここでは説明されない）。最後に、基地局は、ＲＲＣ接続再設定メッセージをＵＥへ送信する。ＲＲＣ接続再設定メッセージは、設定される必要がある少なくとも２つのＡＩ技術の設定情報を含む。
【０１７２】
例えば、少なくとも２つのＡＩ技術のそれぞれが位置するキャリアのインデックス（すなわち、ＡＩ技術とセルとの間の関連、ここで、インデックスは、例えば、キャリア１またはＣＣ１である）、各ＡＩ技術に対応するセルの物理セル識別子、各ＡＩ技術に対応するＥＰＤＣＣＨの設定情報、各ＡＩ技術に対応する物理共有チャネル（ｐｈｙｓｉｃａｌ  ｓｈａｒｅｄ  ｃｈａｎｎｅｌ、ＰＳＣＨ）の設定情報、各ＡＩ技術に対応するＰＵＣＣＨの設定情報、サウンディング参照信号（ｓｏｕｎｄｉｎｇ  ｒｅｆｅｒｅｎｃｅ  ｓｉｇｎａｌ、ＳＲＳ）の設定情報、無線リソース管理（ｒａｄｉｏ  ｒｅｓｏｕｒｃｅ  ｍａｎａｇｅｍｅｎｔ、ＲＲＭ）測定の設定情報、チャネル状態情報（ｃｈａｎｎｅｌ  ｓｔａｔｅ  ｉｎｆｏｒｍａｔｉｏｎ、ＣＳＩ）測定の設定情報、クロスキャリアスケジューリングの設定情報、および同様のものは、ＲＲＣ接続再設定メッセージにおけるＡＩ技術追加／変更メッセージリスト（ＡＩＴｏＡｄｄＭｏｄＬｉｓｔ）において示されてよい。前述の設定情報は、ＡＩ技術の設定情報に関連付けられる。ＡＩ技術の設定情報は主に、フレーム構造、多重接続方式、および波形などの最も基本の物理層設定情報を含む。加えて、基地局は、各ＡＩ技術のユニバーサル無線リソース設定情報を、システム情報（ｓｙｓｔｅｍ  ｉｎｆｏｒｍａｔｉｏｎ、ＳＩ）に追加してよい。
【０１７３】
任意選択的に、基地局はさらに、ＡＩ技術に対して、アクティブ化または非アクティブ化動作を実行してよい。例えば、ＵＥがＡＩ−１を用いることによりサービス伝送を完了した後に、ＵＥがＡＩ−１に対して他のサービス要求を一時的に有しない場合、基地局は、ＵＥのためにＡＩ−１を非アクティブ化してよい。さらに、基地局がＡＩ−１を非アクティブ化した後に、ＵＥは、これ以上、ＡＩ−１を用いることにより基地局と通信を行わない。例えば、ＵＥは、これ以上、ＡＩ−１を用いることによりデータを受信しないか、または、これ以上、ＡＩ−１を用いることによりデータを送信しない。ある期間後に、ＵＥがさらにＡＩ−１に対して他のサービス要求を有する場合、基地局は再び、ＵＥのためにＡＩ−１をアクティブ化してよい。
【０１７４】
さらに、ＵＥがセル１におけるＡＩ−１を用いるものと仮定する。ＵＥがセル１からセル２へハンドオーバされたとき、セル２にサービスを提供する基地局は、ＵＥのためにＡＩ−２を設定してよい。加えて、ＵＥが任意のサービスのためにＡＩ−２を使用しないとき、基地局は、ＡＩ−２と、基地局によりＵＥに割り当てられた、ＡＩ−２に対応するリソースとを削除してよい。
【０１７５】
本発明の本実施形態において、基地局は、ＡＩ技術をアクティブ化または非アクティブ化してよく、基地局は、必要とされないＡＩと、ＡＩに対応するリソースとを削除してよい。従って、複数のＡＩ技術の使用柔軟性を向上させることができ、基地局が複数のＡＩ技術をサポートするとき、キャリア上でリソースを比較的柔軟に用いることができ、それにより、リソース利用率を向上させる。
【０１７６】
任意選択的に、図２に関連して、図８において示されているように、本発明の本実施形態において提供されているＡＩ技術の設定方法はさらに、以下の段階を含んでよい。
【０１７７】
Ｓ１０６：基地局が、同じキャリア上で少なくとも２つのＡＩ技術に対応するリソースをＵＥに割り当てる。
【０１７８】
Ｓ１０７：基地局が、リソース割り当て情報のリソース位置を決定し、ここで、リソース割り当て情報は、各ＡＩ技術に対応するリソースを示すために用いられる。
【０１７９】
本発明の本実施形態において、Ｓ１０７は具体的に、以下のうち１つとして実装されてよい。
【０１８０】
Ｓ１０７ａ：基地局は、予め設定されたサブキャリア間隔と少なくとも２つのＡＩ技術のそれぞれに対応するＴＴＩの長さとに基づき、リソース割り当て情報のリソース位置を決定し、ここで、リソース割り当て情報は、ＡＩ技術に対応するリソースを示すために用いられる。
【０１８１】
例えば、少なくとも２つのＡＩ技術がＡＩ−１およびＡＩ−２を含むものと仮定する。この場合、Ｓ１０７ａにおける方法を用いることにより、基地局は、予め設定されたサブキャリア間隔とＡＩ−１に対応するＴＴＩの長さとに基づき、ＡＩ−１に対応するリソース割り当て情報のリソース位置を決定してよい。リソース割り当て情報は、ＡＩ−１に対応するリソースを示すために用いられる。それに対応して、基地局は、予め設定されたサブキャリア間隔とＡＩ−２に対応するＴＴＩの長さとに基づき、ＡＩ−２に対応するリソース割り当て情報のリソース位置を決定してよい。リソース割り当て情報は、ＡＩ−２に対応するリソースを示すために用いられる。
【０１８２】
Ｓ１０７ｂ：基地局は、少なくとも２つのＡＩ技術のそれぞれのサブキャリア間隔とＡＩ技術のＴＴＩの長さとに基づき、リソース割り当て情報のリソース位置を決定し、ここで、リソース割り当て情報は、ＡＩ技術に対応するリソースを示すために用いられる。
【０１８３】
例えば、少なくとも２つのＡＩ技術がＡＩ−１およびＡＩ−２を含むものと仮定する。この場合、Ｓ１０７ｂにおける方法を用いることにより、基地局は、ＡＩ−１のサブキャリア間隔とＡＩ−１のＴＴＩの長さとに基づき、ＡＩ−１のリソース割り当て情報のリソース位置を決定してよい。リソース割り当て情報は、ＡＩ−１に対応するリソースを示すために用いられる。それに対応して、基地局は、ＡＩ−２のサブキャリア間隔とＡＩ−２のＴＴＩの長さとに基づき、ＡＩ−２のリソース割り当て情報のリソース位置を決定してよい。リソース割り当て情報は、ＡＩ−２に対応するリソースを示すために用いられる。
【０１８４】
Ｓ１０７ｃ：基地局は、少なくとも２つのＡＩ技術のそれぞれに対応する第１の周波数サブ範囲において、ＡＩ技術のサブキャリア間隔とＡＩ技術のＴＴＩの長さとに基づき、リソース割り当て情報のリソース位置を決定し、ここで、リソース割り当て情報は、ＡＩ技術に対応するリソースを示すために用いられる。
【０１８５】
例えば、少なくとも２つのＡＩ技術がＡＩ−１およびＡＩ−２を含むものと仮定する。この場合、Ｓ１０７ｃにおける方法を用いることにより、基地局は、ＡＩ−１のサブキャリア間隔とＡＩ−１のＴＴＩの長さとに基づき、ＡＩ−１に対応する第１の周波数サブ範囲においてＡＩ−１のリソース割り当て情報のリソース位置を決定してよい。リソース割り当て情報は、ＡＩ−１に対応するリソースを示すために用いられる。それに対応して、基地局は、ＡＩ−２に対応する第１の周波数サブ範囲において、ＡＩ−２のサブキャリア間隔とＡＩ−２のＴＴＩの長さとに基づき、ＡＩ−２のリソース割り当て情報のリソース位置を決定してよい。リソース割り当て情報は、ＡＩ−２に対応するリソースを示すために用いられる。
【０１８６】
Ｓ１０７ａおよびＳ１０７ｂは、１つの第１の周波数サブ範囲が存在する場合に対応し、Ｓ１０７ｃは、少なくとも２つの第１の周波数サブ範囲が存在する場合に対応することに注意すべきである。
【０１８７】
Ｓ１０８：基地局が、リソース位置に基づき、リソース割り当て情報をＵＥへ送信する。
【０１８８】
Ｓ１０９：ＵＥが、リソース割り当て情報のリソース位置を決定し、ここで、リソース割り当て情報は、各ＡＩ技術に対応するリソースを示すために用いられる。
【０１８９】
Ｓ１０９において、ＵＥにより用いられる、リソース割り当て情報のリソース位置を決定する方法は、Ｓ１０７において示されている、基地局により用いられる、リソース割り当て情報のリソース位置を決定する方法と同様である。具体的な説明について、Ｓ１０７ａ、Ｓ１０７ｂ、およびＳ１０７ｃにおける関連説明を参照されたく、詳細はここでは再び説明されない。
【０１９０】
本発明の本実施形態におけるＳ１０６からＳ１０８およびＳ１０９の実行順序に対して限定が課されないことに注意すべきである。すなわち、本発明の本実施形態において、Ｓ１０６からＳ１０８がまず実行されてよく、Ｓ１０９が次に実行されてよく、または、Ｓ１０９がまず実行されてよく、Ｓ１０６からＳ１０８が次に実行されてよい。代替的に、Ｓ１０６からＳ１０８およびＳ１０９は、同時に実行されてよい。
【０１９１】
Ｓ１１０：ＵＥが、リソース位置に基づき、基地局により送信されたリソース割り当て情報を受信する。
【０１９２】
基地局が各ＡＩ技術に対応するリソース割り当て情報のリソース位置を決定した後に、基地局は、リソース位置に基づき、リソース割り当て情報をＵＥへ送信してよい。それに対応して、ＵＥが各ＡＩ技術に対応するリソース割り当て情報のリソース位置を決定した後に、ＵＥは、リソース位置に基づき、基地局により送信されたリソース割り当て情報を受信してよく、これにより、ＵＥは、リソース割り当て情報に基づき、各ＡＩ技術に対応するリソースを決定してよい。
【０１９３】
本発明の本実施形態において、基地局およびＵＥは、リソース割り当て情報のリソース位置を決定するための方法に対して予め合意してよい。すなわち、基地局およびＵＥは、同じ方法を用いてリソース割り当て情報のリソース位置を決定することに予め合意してよい。例えば、基地局およびＵＥは、Ｓ１０７ａにおいて示されている方法を用いてリソース割り当て情報のリソース位置を決定することに予め合意してよく、基地局およびＵＥは、Ｓ１０７ｂにおいて示されている方法を用いてリソース割り当て情報のリソース位置を決定することに予め合意してよく、または、基地局およびＵＥは、Ｓ１０７ｃにおいて示されている方法を用いてリソース割り当て情報のリソース位置を決定することに予め合意してよい。具体的には、合意／選択は、実際の使用要求に基づき、実行されてよい。このことは、本発明の本実施形態において限定されない。
【０１９４】
本発明の本実施形態において、基地局およびＵＥは、予め合意された方法に基づき、リソース割り当て情報のリソース位置を決定してよい。従って、基地局がリソース位置でリソース割り当て情報をＵＥへ送信したとき、ＵＥは、リソース位置でリソース割り当て情報を受信することができる。さらに、ＵＥは、リソース割り当て情報に基づき、基地局によりＵＥに割り当てられたリソースを知ることができ、当該リソース上でサービスを伝送することができる。
【０１９５】
任意選択的に、Ｓ１１０の後に、本発明の本実施形態において提供されているＡＩ技術の設定方法はさらに、以下の段階を含んでよい。
【０１９６】
Ｓ２０１：ＵＥが、リソース割り当て情報により示されたリソースを決定する。
【０１９７】
Ｓ２０２：ＵＥおよび基地局が、リソース上でサービスを伝送する。
【０１９８】
本発明の本実施形態において、ＵＥが基地局により送信されたリソース割り当て情報を受信した後に、ＵＥは、リソース割り当て情報により示されたリソースを決定してよい。具体的には、リソース割り当て情報により示されたリソースは、サービスを伝送するためにＵＥおよび基地局により用いられ、通常、ＵＥおよび基地局は、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、または物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を用いることにより、サービスを伝送してよい。従って、ＵＥは、ＰＤＳＣＨまたはＰＵＳＣＨ上でリソース割り当て情報により示されたリソースを決定してよい。ＵＥおよび基地局がダウンリンクサービスを伝送する場合、ＵＥおよび基地局は、ＰＤＳＣＨ上でダウンリンクサービスを伝送してよい。ＵＥおよび基地局がアップリンクサービスを伝送する場合、ＵＥおよび基地局は、ＰＵＳＣＨ上でアップリンクサービスを伝送してよい。
【０１９９】
任意選択的に、本発明の本実施形態において、Ｓ２０１は具体的に、Ｓ２０１ａ、Ｓ２０１ｂ、およびＳ２０１ｃのうち少なくとも１つとして実装されてよい。
【０２００】
Ｓ２０１ａ：ＵＥが、予め設定されたサブキャリア間隔と、少なくとも２つのＡＩ技術のそれぞれに対応するＴＴＩの長さとに基づき、リソース割り当て情報により示されたリソースを決定する。
【０２０１】
Ｓ２０１ｂ：ＵＥが、少なくとも２つのＡＩ技術のそれぞれのサブキャリア間隔と、ＡＩ技術のＴＴＩの長さとに基づき、リソース割り当て情報により示されたリソースを決定する。
【０２０２】
Ｓ２０１ｃ：ＵＥが、少なくとも２つのＡＩ技術のそれぞれに対応する第２の周波数サブ範囲において、ＡＩ技術のサブキャリア間隔とＡＩ技術のＴＴＩの長さとに基づき、リソース割り当て情報により示されたリソースを決定する。
【０２０３】
Ｓ２０１ａの説明について、具体的には、Ｓ１０７ａにおける関連説明を参照されたい。Ｓ２０１ｂの説明について、具体的には、Ｓ１０７ｂにおける関連説明を参照されたい。Ｓ２０１ｃの説明について、具体的には、Ｓ１０７ｃにおける関連説明を参照されたい。詳細はここでは再び説明されない。
【０２０４】
任意選択的に、図２に関連して、本発明の本実施形態において提供されているＡＩ技術の設定方法はさらに、以下の段階を含んでよい。
【０２０５】
Ｓ１１１：基地局が、少なくとも２つのＡＩ技術に対応する測定情報をＵＥへ送信し、ここで、測定情報は、測定を実行するようＵＥに命令するために用いられる。
【０２０６】
任意選択的に、本発明の本実施形態において、測定情報は具体的に、以下のいくつかの可能な実装方式形態を有してよい。
【０２０７】
一可能な実装方式が、測定情報は測定対象を含み、測定対象は各ＡＩ技術に対応する第１の周波数範囲であることである。
【０２０８】
本発明の本実施形態において、測定情報は、１つまたは少なくとも２つの測定対象を含んでよい。測定情報が１つの測定対象を含むとき、少なくとも２つのＡＩ技術の全てが測定対象に対応する。測定情報が少なくとも２つの測定対象を含むとき、各ＡＩ技術は、１つの測定対象に対応する。
【０２０９】
例えば、１つの測定対象が存在する場合、１つの第１の周波数範囲が存在する。ＡＩ技術ごとに、ＵＥは、第１の周波数範囲において測定を実行し得る。少なくとも２つの測定対象が存在する場合、少なくとも２つの第１の周波数範囲が存在する。ＡＩ技術ごとに、ＵＥは、ＡＩ技術に対応する第１の周波数範囲において測定を実行し得る。
【０２１０】
他の可能な実装方式が、測定情報は、測定対象および測定サブ対象を含み、測定対象は、各ＡＩ技術に対応するキャリアであり、測定サブ対象は、各ＡＩ技術に対応する第１の周波数範囲であることである。
【０２１１】
本発明の本実施形態において、測定情報は、１つまたは少なくとも２つの測定対象および測定サブ対象を含んでよい。具体的に、以下のいくつかの組み合わせが含まれてよい。
【０２１２】
Ａ．測定情報は、１つの測定対象および１つの測定サブ対象を含む。少なくとも２つのＡＩ技術の全ては、測定対象および測定サブ対象に対応する。
【０２１３】
例えば、１つの測定対象および１つの測定サブ対象が存在する場合、１つのキャリアおよび１つの第１の周波数範囲が存在する。ＡＩ技術ごとに、ＵＥは、キャリア上で第１の周波数範囲において測定を実行してよい。
【０２１４】
Ｂ．測定情報は、１つの測定対象および少なくとも２つの測定サブ対象を含む。少なくとも２つのＡＩ技術の全ては、測定対象に対応し、各ＡＩ技術は、１つの測定サブ対象に対応する。
【０２１５】
例えば、１つの測定対象および少なくとも２つの測定サブ対象が存在する場合、１つのキャリアおよび少なくとも２つの第１の周波数範囲が存在する。ＡＩ技術ごとに、ＵＥはキャリア上のＡＩ技術に対応する第１の周波数範囲において測定を実行してよい。
【０２１６】
Ｃ．測定情報は、少なくとも２つの測定対象および少なくとも２つの測定サブ対象を含む。各ＡＩ技術が１つの測定対象および１つの測定サブ対象に対応する。
【０２１７】
例えば、少なくとも２つの測定対象および少なくとも２つの測定サブ対象が存在する場合、少なくとも２つのキャリアおよび少なくとも２つの第１の周波数範囲が存在する。ＡＩ技術ごとに、ＵＥは、キャリア上でＡＩ技術に対応する第１の周波数範囲において測定を実行してよい。
【０２１８】
任意選択的に、本発明の本実施形態において、測定情報はさらに、少なくとも１つのサブフレーム設定情報を含んでよく、少なくとも１つのサブフレーム設定情報は、少なくとも１つのサブフレーム設定情報により示されたサブフレーム上で測定を実行するようＵＥに命令するために用いられる。
【０２１９】
例えば、測定情報が１つのサブフレーム設定情報を含むとき、全てのＡＩ技術は、サブフレーム設定情報に対応する。すなわち、ＡＩ技術ごとに、ＵＥは、サブフレーム設定情報により示されたサブフレーム上で測定を実行する。測定情報が少なくとも２つのサブフレーム設定情報を含むとき、各ＡＩ技術は、１つのサブフレーム設定情報に対応する。すなわち、ＡＩ技術ごとに、ＵＥは、ＡＩ技術に対応するサブフレーム設定情報により示されたサブフレーム上で測定を実行する。
【０２２０】
本発明の本実施形態において提供されているＡＩ技術の設定方法において、複数のＡＩ技術の場合にＵＥにより実行されている測定をサポートすることができるので、ＵＥ移動管理およびより効率的なリソース割り当てを複数のＡＩ技術の場合に実装することができる。
【０２２１】
任意選択的に、図２に関連して、本発明の本実施形態において提供されているＡＩ技術の設定方法はさらに、以下の段階を含んでよい。
【０２２２】
Ｓ１１２：第１のＴＴＩにおいて、基地局が、第１の周波数範囲において少なくとも２つのＡＩ技術における第１のＡＩ技術に対応する測定情報をアクティブ化し、第２の周波数範囲において第１のＡＩ技術に対応する測定情報を非アクティブ化する。
【０２２３】
本発明の本実施形態において、基地局が第１のＴＴＩにおいて、第１の周波数範囲を第１のＡＩ技術に割り当てるものと仮定する。すなわち、第１のＴＴＩにおいて、ＵＥは、通信のために第１の周波数範囲において第１のＡＩ技術を用いる。第１のＴＴＩにおいて、基地局は、第１の周波数範囲において、第１のＡＩ技術に対応する、（測定対象、または測定対象および測定サブ対象を含む）測定情報をアクティブ化し、第２の周波数範囲（第１のＴＴＩの前に基地局により第１のＡＩ技術に割り当てられた周波数範囲）において、第１のＡＩ技術に対応する測定情報を非アクティブ化する。基地局が第２のＴＴＩにおいて第２の周波数範囲を第１のＡＩ技術に割り当てるものと仮定する。すなわち、第２のＴＴＩにおいて、ＵＥは、通信のために第２の周波数範囲において第１のＡＩ技術を用いる。第２のＴＴＩにおいて、基地局は、第２の周波数範囲において、第１のＡＩ技術に対応する測定情報をアクティブ化し、第１の周波数範囲（第２のＴＴＩの前に第１のＴＴＩにおいて基地局により第１のＡＩ技術に割り当てられた周波数範囲）において、第１のＡＩ技術に対応する測定情報を非アクティブ化する。このように、ＵＥにより実行される測定が各ＡＩ技術に対応する周波数範囲およびＴＴＩにおける変更に柔軟に適応されることができることを保証できる。
【０２２４】
第１のＡＩ技術に対応する測定情報を基地局によりアクティブ化することは具体的には、第１のＡＩ技術に対応する測定対象、または、第１のＡＩ技術に対応する測定対象および測定サブ対象を基地局によりアクティブ化することであってよい。第１のＡＩ技術に対応する測定情報を基地局により非アクティブ化することは具体的に、第１のＡＩ技術に対応する測定対象、または、第１のＡＩ技術に対応する測定対象および測定サブ対象を基地局により非アクティブ化することであってよい。
【０２２５】
第１の周波数範囲および第２の周波数範囲は、前述の共通周波数範囲における２つの周波数範囲であってよい。
【０２２６】
例えば、図９において示されているように、図９は、ＴＴＩにおいて、本発明の実施形態に係る、周波数範囲におけるＡＩ技術のアクティブ化、および、別の周波数範囲（ＴＴＩの前に基地局によりＡＩ技術に割り当てられｒた周波数範囲）におけるＡＩ技術の非アクティブ化の概略図である。
【０２２７】
図９において、ＡＩ技術がＡＩ−１であり、基地局がＴＴＩ−１において周波数範囲１をＡＩ−１に割り当て、かつ、基地局がＴＴＩ−２において周波数範囲２をＡＩ−１に割り当てるものと仮定する。ＴＴＩ−２において、基地局は、周波数範囲２においてＡＩ−１に対応する測定情報をアクティブ化し、周波数範囲１においてＡＩ−１に対応する測定情報を非アクティブ化する必要がある。基地局がさらにＴＴＩ−３において周波数範囲１をＡＩ−１に割り当てるものと仮定する。ＴＴＩ−３において、基地局は、周波数範囲１においてＡＩ−１に対応する測定情報をアクティブ化し、周波数範囲２においてＡＩ−１に対応する測定情報を非アクティブ化する必要がある。
【０２２８】
ＵＥにより実行される測定は、ＲＲＭ測定、ＣＳＩ測定、および同様のものを含んでよいことに注意すべきである。Ｓ１１１およびＳ１１２において説明される内容は全て、ＲＲＭ測定についてのものである。ＣＳＩ測定において、ＡＩ技術ごとに、基地局は、ＡＩ技術に基づき、ＣＳＩ測定帯域幅範囲において全帯域幅測定およびサブバンド測定を設定してよい。サブバンド測定において、各サブバンドは、ＡＩ技術のための測定帯域幅の一部である。複数のサブバンドの和が、ＡＩ技術の測定帯域幅未満であるか、またはＡＩ技術の測定帯域幅に等しい。
【０２２９】
さらに、ＲＲＭ測定は、移動管理を実行するためにＵＥにより用いられてよく、ＣＳＩ測定は、リソースをＵＥに動的に割り当てるために基地局により用いられてよい。
【０２３０】
本発明の本実施形態において提供されているＡＩ技術の設定方法において、ＡＩ技術に対応する測定情報をアクティブ化および非アクティブ化することができるので、ＵＥにより実行される測定が各ＡＩ技術に対応する周波数範囲おおびＴＴＩにおける変更に柔軟に適応されることができることを保証できる。
【０２３１】
本発明の本実施形態において提供されているＡＩ技術の設定方法は、基地局間ハンドオーバシナリオ、デュアルコネクティビティシナリオ、または基地局間のキャリアアグリゲーションシナリオに適用されてよい。基地局間ハンドオーバシナリオは、例として用いられる。ＵＥにサービスを提供する現在の基地局が基地局１であるものと仮定する。基地局１の信号品質が予め設定された条件を満たさない（例えば、基地局１の信号品質が予め設定された信号品質閾値未満である）と基地局１が決定したとき、基地局１は、基地局１に隣接する（基地局２であると仮定される）基地局の信号品質を測定するようＵＥを設定する必要がある。基地局１が基地局２の信号品質を測定するようＵＥを設定する前に、基地局１はまず、基地局２によりサポートを受ける少なくとも２つのＡＩ技術の測定設定情報を取得する必要がある。
【０２３２】
例えば、本発明の本実施形態において提供されているＡＩ技術の設定方法はさらに、Ｓ１およびＳ２を含んでよい。
【０２３３】
Ｓ１：基地局１が、要求メッセージを基地局２へ送信し、ここで、要求メッセージは、基地局２によりサポートを受ける少なくとも２つのＡＩ技術の測定設定情報を要求するために用いられる。
【０２３４】
基地局２によりサポートを受ける少なくとも２つのＡＩ技術の測定設定情報は、基地局２のサービングセルおよび基地局２の近接セル（すなわち、基地局２のサービングセルに隣接するセル）によりサポートあれる少なくとも２つのＡＩ技術の測定設定情報である。基地局２のサービングセルおよび基地局２の近接セルによりサポートを受ける少なくとも２つのＡＩ技術は、基地局２のサービングセルおよび基地局２の近接セルによりサポートを受けるＡＩ技術の一部または全てを含んでよい。
【０２３５】
本発明の本実施形態において、要求メッセージは、測定設定情報を基地局１により取得する必要がある少なくとも２つのＡＩ技術の識別子を含んでよい。基地局２が基地局１により送信された要求メッセージを受信した後に、基地局２は、要求メッセージにおいて保持されている識別子に基づき、測定設定情報を基地局１により取得する必要がある少なくとも２つのＡＩ技術を決定してよい。
【０２３６】
任意選択的に、本発明の本実施形態において、測定設定情報を基地局１により取得する必要がある少なくとも２つのＡＩ技術の識別子は、少なくとも２つのＡＩ技術のインデックス、少なくとも２つのＡＩ技術のＩＤ、または同様のものであってよい。具体的には、識別子は、実際の使用要求に基づき、決定されてよい。このことは、本発明の本実施形態において限定されない。測定設定情報を基地局１により取得する必要がある少なくとも２つのＡＩ技術の識別子は、基地局２のサービングセルおよび基地局２の近接セルによりサポートを受けるＡＩ技術の一部または全ての識別子を含んでよいことが理解され得る。
【０２３７】
任意選択的に、本発明の本実施形態において、Ｓ１における要求メッセージは、基地局１と基地局２との間のＸ２インターフェースを確立するためのＸ２確立要求メッセージにおいて保持されてよい。すなわち、基地局１は、要求メッセージをＸ２確立要求メッセージに追加することにより、要求メッセージを基地局２へ送信してよい。
【０２３８】
任意選択的に、本発明の本実施形態において、Ｓ１における要求メッセージは、基地局１と基地局２との間のＸ２インターフェースを用いることにより送信されてよい。すなわち、基地局１は、基地局１と基地局２との間のＸ２インターフェースを用いることにより、要求メッセージを基地局２へ送信してよい。
【０２３９】
Ｓ２：基地局２が、第１の応答メッセージを基地局１へ送信し、ここで、第１の応答メッセージは、基地局２によりサポートを受ける少なくとも２つのＡＩ技術の測定設定情報を戻すために用いられる。
【０２４０】
任意選択的に、本発明の本実施形態において、基地局２によりサポートを受ける少なくとも２つのＡＩ技術の測定設定情報は、基地局２のサービングセル基地局２の近接セルによりサポートを受ける少なくとも２つのＡＩ技術に対応する周波数セグメント、少なくとも２つのＡＩ技術に対応する周波数セグメントと、中心周波数セグメントとの間のオフセット、少なくとも２つのＡＩ技術の測定帯域幅、少なくとも２つのＡＩ技術の測定領域の上方および下方境界、少なくとも２つのＡＩ技術に対応する測定信号の位置、少なくとも２つのＡＩ技術に対応する測定時刻、および同様のもののうち少なくとも１つであってよい。
【０２４１】
測定時刻は、サブフレーム、符号、タイムスロット（ｓｌｏｔ）、またはミニスロット（ｍｉｎｉ−ｓｌｏｔ）などの、測定のために用いられることができる任意の時間単位であってよい。具体的には、時間単位は、実際の使用要求に基づき、決定されてよい。このことは本発明の本実施形態において限定されない。
【０２４２】
任意選択的に、本発明の本実施形態において、Ｓ２における第１の応答メッセージは、基地局１と基地局２との間のＸ２インターフェースを確立するためのＸ２確立応答メッセージにおいて保持されてよい。すなわち、基地局２は、第１の応答メッセージをＸ２確立応答メッセージに追加することにより、第１の応答メッセージを基地局１へ送信してよい。
【０２４３】
任意選択的に、本発明の本実施形態において、Ｓ２における第１の応答メッセージは、基地局１と基地局２との間のＸ２インターフェースを用いることにより送信されてよい。すなわち、基地局２は、基地局１と基地局２との間のＸ２インターフェースを用いることにより、第１の応答メッセージを基地局１へ送信してよい。
【０２４４】
任意選択的に、本発明の本実施形態において、基地局２は、基地局１の信号品質を測定するようＵＥを設定する必要があってもよい。例えば、可能な実装方式が、Ｓ１は以下のＳ１０と置き換えられてよいことである。
【０２４５】
Ｓ１０：基地局１が、要求メッセージおよび基地局１によりサポートを受ける少なくとも２つのＡＩ技術の測定設定情報を、基地局２へ送信する。
【０２４６】
基地局１によりサポートを受ける少なくとも２つのＡＩ技術の測定設定情報は、基地局１のサービングセルおよび基地局１近接セルによりサポートを受ける少なくとも２つのＡＩ技術に対応する周波数セグメント、少なくとも２つのＡＩ技術に対応する周波数セグメントと中心周波数セグメントとの間のオフセット、少なくとも２つのＡＩ技術の測定帯域幅、少なくとも２つのＡＩ技術の測定領域の上方および下方境界、少なくとも２つのＡＩ技術に対応する測定信号の位置、ならびに少なくとも２つのＡＩ技術の対応する測定時刻のうち少なくとも１つであってよい。
【０２４７】
測定時刻の説明について、基地局２によりサポートを受ける少なくとも２つのＡＩ技術の測定設定情報における測定時刻の関連説明を参照されたく、詳細はここでは再び説明されない。
【０２４８】
基地局１により基地局２へ送信される要求メッセージの説明について、Ｓ１において基地局１により基地局２へ送信される要求メッセージの関連説明を参照されたい。基地局１によりサポートを受ける少なくとも２つのＡＩ技術の測定設定情報の他の説明について、Ｓ１において基地局２によりサポートを受ける少なくとも２つのＡＩ技術の測定設定情報の関連説明を参照されたい。詳細はここで再び説明されない。
【０２４９】
任意選択的に、本発明の本実施形態において、基地局２は、基地局１の信号品質を測定するようＵＥを設定する必要があってもよい。例えば、別の可能な実装方式が、Ｓ１は以下のＳ１１と置き換えられてよく、Ｓ２は以下のＳ２１と置き換えられてよいということである。
【０２５０】
Ｓ１１：基地局１が、基地局１によりサポートを受ける少なくとも２つのＡＩ技術の測定設定情報を基地局２へ送信する。
【０２５１】
Ｓ２１：基地局２が、第２の応答メッセージを基地局１へ送信し、ここで、第２の応答メッセージは、基地局２が基地局１によりサポートを受ける少なくとも２つのＡＩ技術の測定設定情報を成功に受信されていることを確認するために用いられる。
【０２５２】
基地局１によりサポートを受ける少なくとも２つのＡＩ技術の測定設定情報の説明について、Ｓ１において基地局２によりサポートを受ける少なくとも２つのＡＩ技術の測定設定情報の関連説明、およびＳ１０において基地局１によりサポートを受ける少なくとも２つのＡＩ技術測定設定情報の関連説明を参照されたく、詳細はここでは再び説明されない。
【０２５３】
本発明の本実施形態において、Ｓ２１は実行されなくてよいことに注意すべきである。言い換えれば、基地局１がＳ１１を実行した後に、基地局１は、ある期間（例えば、予め設定された期間）において、基地局２により送信された第２の応答メッセージを受信しない場合、基地局１は代替的に、基地局２が基地局１によりサポートを受ける少なくとも２つのＡＩ技術の測定設定情報を成功に受信しているとみなしてよい。
【０２５４】
任意選択的に、基地局２によりサポートを受ける少なくとも２つのＡＩ技術の測定設定情報が変更されたとき、本発明の本実施形態において提供されているＡＩ技術の設定方法はさらに、以下の段階を含んでよい。
【０２５５】
Ｓ３：基地局２が、第１の設定変更メッセージを基地局１へ送信し、ここで、第１の設定変更メッセージは、基地局２によりサポートを受ける少なくとも２つのＡＩ技術の測定設定情報が変更されたことを示すために用いられる。
【０２５６】
任意選択的に、本発明の本実施形態において、基地局２によりサポートを受ける少なくとも２つのＡＩ技術の変更された測定設定情報について、Ｓ２において基地局２によりサポートを受ける少なくとも２つのＡＩ技術の測定設定情報の関連説明を参照されたく、詳細はここでは再び、説明されない。
【０２５７】
本発明の本実施形態において、Ｓ３における第１の設定変更メッセージは、基地局設定更新メッセージにおいて保持されてよい。すなわち、基地局２は、第１の設定変更メッセージを基地局設定更新メッセージに追加することにより、第１の設定変更メッセージを基地局１へ送信してよい。
【０２５８】
本発明の本実施形態において、基地局１によりサポートを受ける少なくとも２つのＡＩ技術の測定設定情報が変更されたとき、基地局１は代替的に、第２の設定変更メッセージを基地局２へ送信してよいことが理解され得る。第２の設定変更メッセージは、基地局１によりサポートを受ける少なくとも２つのＡＩ技術の測定設定情報が変更されたことを示すために用いられる。
【０２５９】
第２の設定変更メッセージの説明について、Ｓ３における第１の設定変更メッセージの関連説明を参照されたく、詳細はここでは再び、説明されない。
【０２６０】
任意選択的に、図２に関連して、本発明の本実施形態において提供されているＡＩ技術の設定方法はさらに、以下の段階を含んでよい。
【０２６１】
Ｓ１１３：基地局が、少なくとも２つのＡＩ技術のそれぞれのために同じ物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を設定する。
【０２６２】
本実施形態において、基地局は、各ＡＩ技術のために同じＰＵＣＣＨを設定する。すなわち、基地局は、キャリア上で共通のＰＵＣＣＨを設定する。共通ＰＵＣＣＨは、各ＡＩ技術に対応する、ハイブリッド自動反復要求（ｈｙｂｒｉｄ  ａｕｔｏｍａｔｉｃ  ｒｅｔｒａｎｓｍｉｓｓｉｏｎ  ｒｅｑｕｅｓｔ、ＨＡＲＱ）フィードバック、スケジューリング要求、ＣＳＩフィードバック、および同様のものを送信するために用いられる。本実施形態において、１つの共通ＰＵＣＣＨのみが１つのキャリア上で用いられるので、アップリンク信号の電力ピークが比較的低い。しかしながら、ＡＩ技術のために用いられる測定の単位が異なるので、測定の異なるユニットが異なるＡＩ技術のために用いられる場合に対処する必要がある。例えば、ＡＩ−１のために用いられるＴＴＩが１ミリ秒であり、ＡＩ−２のために用いられるＴＴＩが０．１ミリ秒である。共通ＰＵＣＣＨが１ミリ秒のＴＴＩ、または、０．１ミリ秒のＴＴＩをサポートするとき、対応する特殊処理は、異なるＴＴＩが用いられるＡＩ技術に対して実行される必要があり、これにより、共通ＰＵＣＣＨによりサポートを受けるＴＴＩに適応される。
【０２６３】
例えば、図１０において示されているように、基地局は、キャリア（例えば、キャリア１またはＣＣ１）上でＡＩ−１、ＡＩ−２、およびＡＩ−３のために同じＰＵＣＣＨを設定する。
【０２６４】
代替的に、Ｓ１１３は、以下の段階と置き換えられてよい。
【０２６５】
Ｓ１１３ａ：基地局が、少なくとも２つのＡＩ技術のそれぞれのために異なるＰＵＣＣＨを設定する。
【０２６６】
ＰＵＣＣＨの説明について、Ｓ１１３におけるＰＵＣＣＨの関連説明を参照されたく、詳細はここでは再び説明されない。
【０２６７】
本実施形態において、Ｓ１１３と比較すると、Ｓ１１３ａにおいて、基地局は、各ＡＩ技術のために異なるＰＵＣＣＨを設定し、これにより、測定の異なる単位が異なるＡＩ技術のために用いられるといった問題を回避し、それにより、実装の複雑さを低減する。例えば、図１１において示されているように、基地局は、キャリア（例えば、キャリア１またはＣＣ１）上でＡＩ−１、ＡＩ−２、およびＡＩ−３のために異なるＰＵＣＣＨを設定する。例えば、基地局は、ＡＩ−１のためにＰＵＣＣＨ１を、ＡＩ−２のためにＰＵＣＣＨ２を、ＡＩ−３のためにＰＵＣＣＨ３を設定する。
【０２６８】
代替的に、Ｓ１１３は、以下の段階と置き換えられてよい。
【０２６９】
Ｓ１１３ｂ：基地局が、少なくとも２つのＡＩ技術の一部のために異なるＰＵＣＣＨを設定し、少なくとも２つのＡＩ技術の一部以外の他のＡＩ技術のために、当該一部のＡＩ技術のうち少なくとも１つのＰＵＣＣＨと同じＰＵＣＣＨを設定する。
【０２７０】
ＰＵＣＣＨの説明について、Ｓ１１３におけるＰＵＣＣＨの関連説明を参照されたく、詳細はここでは再び説明されない。
【０２７１】
本実施形態において、基地局は、一部のＡＩ技術のために異なるＰＵＣＣＨを設定し、他のＡＩ技術のために、当該一部のＡＩ技術のうち少なくとも１つのＰＵＣＣＨと同じＰＵＣＣＨを設定する。同じＰＵＣＣＨが設定されたＡＩ技術について、測定の異なる単位がＡＩ技術のために用いられるという問題を回避することができるのみならず、アップリンク信号の電力ピークも比較的低い。加えて、Ｓ１１３ａと比較すると、本実施形態において、ＰＵＣＣＨの合計数量を低減することができる。
【０２７２】
例えば、図１２において示されているように、基地局は、１つのキャリア（例えば、キャリア１またはＣＣ１）上のＡＩ−１、および別のキャリア（例えば、キャリア２またはＣＣ２）上のＡＩ−２のために同じＰＵＣＣＨを設定し、かつ、当該別のキャリア（例えば、キャリア２またはＣＣ２）上のＡＩ−３のために、ＡＩ−１およびＡＩ−２のために設定したＰＵＣＣＨと異なるＰＵＣＣＨを設定する。例えば、基地局は、ＡＩ−１およびＡＩ−２のためにＰＵＣＣＨ１を設定し、ＡＩ−３のためにＰＵＣＣＨ３を設定する。
【０２７３】
図１２は、ＡＩ−１が１つのキャリアに位置し、ＡＩ−２およびＡＩ−３が別のキャリアに位置する例のみを用いることにより説明されることに注意すべきである。実際の応用において、代替的に、より多くのＡＩ技術がさらに存在してよく、複数のＡＩ技術は、１つのキャリアまたは異なるキャリアに位置してよい。複数のＡＩ技術が１つのキャリアまたは異なるキャリアに位置するかは、実際の使用要求に基づき、具体的に設定されてよい。このことは本発明の本実施形態において限定されない。
【０２７４】
さらに、前述の２つのキャリア上のＡＩ技術は、同じものまたは異なるものであってよい。代替的に、ＡＩ技術のうちの一部が同じものであってよい。このことは本発明の本実施形態において具体的に限定されない。
【０２７５】
任意選択的に、基地局が複数のＰＵＣＣＨを設定したとき、ＵＥは、複数のＰＵＣＣＨおよび物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を同時に送信した場合、ＵＥは、ＵＥの最大伝送電力、またはＵＥが位置するセルの最大伝送電力から複数のＰＵＣＣＨの電力とＰＵＳＣＨの電力の和を引いたものを用いることにより、ＵＥの電力ヘッドルーム（ｐｏｗｅｒ  ｈｅａｄｒｏｏｍ、ＰＨ）情報を取得し、ＰＨ情報を電力ヘッドルームレポート（ｐｏｗｅｒ  ｈｅａｄｒｏｏｍ  ｒｅｐｏｒｔ、ＰＨＲ）に追加することにより、ＰＨ情報を基地局へ送信してよい。
【０２７６】
具体的に、ＵＥは、各ＡＩ技術に対応するＰＨ情報、または、アクティブ化された状態にあるＡＩ技術に対応するＰＨ情報、または、最も高い優先順位を有するＡＩ技術に対応するＰＨ情報を電力ヘッドルームレポートに追加してよい。
【０２７７】
基地局が、本実施形態において提供されている、複数のＡＩ技術のためにＰＵＣＣＨを設定する方法において、ＨＡＲＱフィードバック、スケジューリング要求、ＣＳＩフィードバック、電力制御、および同様のものは、複数のＡＩ技術の場合においてサポートを受けることができる。従って、リソースは、より柔軟に割り当てられることができ、それにより、リソース利用率を向上させる。
【０２７８】
任意選択的に、図２に関連して、本発明の本実施形態において提供されているＡＩ技術の設定方法はさらに、以下の段階を含んでよい。
【０２７９】
Ｓ１１４：基地局が、少なくとも２つのＡＩ技術のうちの一部のために異なるＰＤＣＣＨ／ＥＰＤＣＣＨを設定し、少なくとも２つのＡＩ技術のうちの一部以外の他のＡＩ技術のために、当該一部のＡＩ技術のうち少なくとも１つのためのＰＤＣＣＨ／ＥＰＤＣＣＨと同じＰＤＣＣＨ／ＥＰＤＣＣＨを設定する。
【０２８０】
当該他のＡＩ技術および当該少なくとも１つのＡＩ技術は、異なるキャリアに対応する。
【０２８１】
Ｓ１１４におけるＰＤＣＣＨ／ＥＰＤＣＣＨを設定するために基地局により用いられる方法は、Ｓ１１３ｂにおけるＰＵＣＣＨを設定するために基地局により用いられる方法と同様であることに注意すべきである。具体的な説明について、Ｓ１１３ｂにおけるＰＵＣＣＨを設定するために基地局により用いられる方法の関連説明を参照されたく、詳細はここでは再び説明されない。
【０２８２】
例えば、図１３において示されているように、基地局は、１つのキャリア（例えば、キャリア１またはＣＣ１）上のＡＩ−１および別のキャリア（例えば、キャリア２またはＣＣ２）上のＡＩ−３のために同じＰＤＣＣＨ／ＥＰＤＣＣＨを設定し、かつ、当該別のキャリア（例えば、キャリア２またはＣＣ２）上のＡＩ−２のために、ＡＩ−１およびＡＩ−３のために設定されたＰＤＣＣＨ／ＥＰＤＣＣＨと異なるＰＤＣＣＨ／ＥＰＤＣＣＨを設定する。例えば、基地局は、ＡＩ−１およびＡＩ−３のためにＰＤＣＣＨ１／ＥＰＤＣＣＨ１を設定し、ＡＩ−２のためにＰＤＣＣＨ２／ＥＰＤＣＣＨ２を設定する。
【０２８３】
図１３は、ＡＩ−１が１つのキャリアに位置し、ＡＩ−２およびＡＩ−３が別のキャリアに位置する例のみを用いることにより、説明されることに注意すべきである。実際の応用において、代替的に、複数のＡＩ技術がさらに存在してよく、複数のＡＩ技術は、１つのキャリアまたは異なるキャリアに位置してよい。複数のＡＩ技術が１つのキャリアまたは異なるキャリアに位置するかは、実際の使用要求に基づき、具体的に設定されてよい。このことは本発明の本実施形態において限定されない。
【０２８４】
さらに、前述の２つのキャリア上のＡＩ技術は、同じものまたは異なるものであってよい。代替的に、ＡＩ技術のうちの一部が同じものであってよい。このことは本発明の本実施形態において具体的に限定されない。
【０２８５】
基地局が、本実施形態において提供されている複数のＡＩ技術のためにＰＤＣＣＨ／ＥＰＤＣＣＨを設定する方法において、同じＰＤＣＣＨ／ＥＰＤＣＣＨは、同じキャリアまたは異なるキャリア上で異なるＡＩのために設定されてよい。従って、リソースは、より柔軟に割り当てられることができ、それにより、リソース利用率を向上させる。
【０２８６】
図１４において示されているように、本発明の実施形態は、無線アクセスデバイスを提供する。無線アクセスデバイスは、前述の方法における無線アクセスデバイスにより実行される段階を実行するよう構成される。無線アクセスデバイスは、対応する段階に対応するモジュールを含んでよい。例えば、無線アクセスデバイスは、同じキャリア上で設定される必要がある少なくとも２つのＡＩ技術と、少なくとも２つのＡＩ技術の設定情報とを決定するよう構成される決定ユニット１０と、決定ユニット１０により決定された、少なくとも２つのＡＩ技術の設定情報をＵＥへ送信するよう構成される送信ユニット１１であって、少なくとも２つのＡＩ技術の設定情報は、同じキャリア上で少なくとも２つのＡＩ技術を設定するためにＵＥにより用いられる、送信ユニット１１とを含んでよい。
【０２８７】
任意選択的に、少なくとも２つのＡＩ技術の設定情報は、第１の特定周波数範囲および共通周波数範囲を含み、第１の特定周波数範囲は、無線アクセスデバイスにより予め設定された、少なくとも２つのＡＩ技術に対応する第１の周波数サブ範囲を含み、第１の周波数サブ範囲は、少なくとも２つのＡＩ技術に対応する制御情報を伝送するために用いられ、共通周波数範囲は、ＵＥのリソース要求に基づき、少なくとも２つのＡＩ技術に対応するリソースを割り当てるように無線アクセスデバイスにより用いられる。
【０２８８】
任意選択的に、少なくとも２つのＡＩ技術の設定情報はさらに、第２の特定周波数範囲を含み、第２の特定周波数範囲は、無線アクセスデバイスにより予め設定された、少なくとも２つのＡＩ技術のそれぞれに対応する第２の周波数サブ範囲を含み、第２の周波数サブ範囲は、ＵＥのリソース要求に基づき、ＡＩ技術に対応するリソースを割り当てるために無線アクセスデバイスにより用いられる。
【０２８９】
任意選択的に、少なくとも２つのＡＩ技術の設定情報は、媒体アクセス制御ＭＡＣ機能ユニットの設定情報を含み、ＭＡＣ機能ユニットは、共通ＭＡＣ機能ユニットおよび少なくとも１つの特定ＭＡＣ機能ユニットのうち少なくとも１つを含み、共通ＭＡＣ機能ユニットは、少なくとも１つの特定ＭＡＣ機能ユニットに対応するか、または、共通ＭＡＣ機能ユニットは、少なくとも２つのＡＩ技術に対応し、少なくとも１つの特定ＭＡＣ機能ユニットは、少なくとも２つのＡＩ技術に対応する。
【０２９０】
任意選択的に、図１４に関連して、図１５において示されているように、無線アクセスデバイスはさらに、割り当てユニット１２を含んでよい。
【０２９１】
割り当てユニット１２は、送信ユニット１１が少なくとも２つのＡＩ技術の設定情報をＵＥへ送信した後に、同じキャリア上で少なくとも２つのＡＩ技術に対応するリソースをＵＥに割り当てるよう構成される。
【０２９２】
決定ユニット１０はさらに、予め設定されたサブキャリア間隔と、少なくとも２つのＡＩ技術のそれぞれに対応する伝送時間間隔ＴＴＩの長さとに基づき、リソース割り当て情報のリソース位置を決定するよう構成される。リソース割り当て情報は、割り当てユニット１２により割り当てられた、ＡＩ技術に対応するリソースを示すために用いられ。
【０２９３】
送信ユニット１１はさらに、決定ユニット１０により決定されたリソース位置に基づき、リソース割り当て情報をＵＥへ送信するよう構成される。
【０２９４】
任意選択的に、図１４に関連して、図１５において示されているように、無線アクセスデバイスはさらに、割り当てユニット１２を含んでよい。
【０２９５】
割り当てユニット１２は、送信ユニット１１が少なくとも２つのＡＩ技術の設定情報をＵＥへ送信した後に、同じキャリア上で少なくとも２つのＡＩ技術に対応するリソースをＵＥに割り当てるよう構成される。
【０２９６】
決定ユニット１０はさらに、少なくとも２つのＡＩ技術のそれぞれのサブキャリア間隔と、ＡＩ技術のＴＴＩの長さとに基づき、リソース割り当て情報のリソース位置を決定するよう構成される。リソース割り当て情報は、割り当てユニット１２により割り当てられた、ＡＩ技術に対応するリソースを示すために用いられる。
【０２９７】
送信ユニット１１はさらに、決定ユニット１０により決定されたリソース位置に基づき、リソース割り当て情報をＵＥへ送信するよう構成される。
【０２９８】
任意選択的に、図１４に関連して、図１５において示されているように、無線アクセスデバイスはさらに、割り当てユニット１２を含んでよい。
【０２９９】
割り当てユニット１２は、送信ユニット１１が少なくとも２つのＡＩ技術の設定情報をＵＥへ送信した後に、同じキャリア上で少なくとも２つのＡＩ技術に対応するリソースをＵＥに割り当てるよう構成される。
【０３００】
決定ユニット１０はさらに、ＡＩ技術のサブキャリア間隔とＡＩ技術のＴＴＩの長さとに基づき、少なくとも２つのＡＩ技術のそれぞれに対応する第１の周波数サブ範囲において、リソース割り当て情報のリソース位置を決定するよう構成される。リソース割り当て情報は、割り当てユニット１２により割り当てられた、ＡＩ技術に対応するリソースを示すために用いられる。
【０３０１】
送信ユニット１１はさらに、決定ユニット１０により決定されたリソース位置に基づき、リソース割り当て情報をＵＥへ送信するよう構成される。
【０３０２】
任意選択的に、送信ユニット１１はさらに、少なくとも２つのＡＩ技術に対応する測定情報をＵＥへ送信するよう構成される。測定情報は、測定を実行するようＵＥに命令するために用いられる。
【０３０３】
任意選択的に、測定情報は、測定対象を含み、測定対象は、各ＡＩ技術に対応する第１の周波数範囲である。代替的に、測定情報は、測定対象および測定サブ対象を含み、測定対象は、各ＡＩ技術に対応するキャリアであり、測定サブ対象は、各ＡＩ技術に対応する第１の周波数範囲である。
【０３０４】
任意選択的に、測定情報はさらに、少なくとも１つのサブフレーム設定情報を含み、少なくとも１つのサブフレーム設定情報は、少なくとも１つのサブフレーム設定情報により示されたサブフレーム上で測定を実行するようＵＥに命令するために用いられる。
【０３０５】
任意選択的に、図１４に関連して、図１６において示されているように、無線アクセスデバイスはさらに、アクティブ化ユニット１３を含んでよい。
【０３０６】
アクティブ化ユニット１３は、第１のＴＴＩにおいて、第１の周波数範囲において、決定ユニット１０により決定された少なくとも２つのＡＩ技術における第１のＡＩ技術に対応する測定情報をアクティブ化し、第２の周波数範囲において、第１のＡＩ技術に対応する測定情報を非アクティブ化するよう構成される。
【０３０７】
任意選択的に、図１４に関連して、図１７において示されているように、無線アクセスデバイスはさらに、設定ユニット１４を含んでよい。
【０３０８】
設定ユニット１４は、決定ユニット１０により決定された少なくとも２つのＡＩ技術のそれぞれのために同じＰＵＣＣＨを設定するよう構成されるか、または、設定ユニット１４は、決定ユニット１０により決定された少なくとも２つのＡＩ技術のそれぞれのために異なるＰＵＣＣＨを設定するよう構成されるか、または、設定ユニット１４は、決定ユニット１０により決定された少なくとも２つのＡＩ技術のうちの一部のために異なるＰＵＣＣＨを設定し、少なくとも２つのＡＩ技術のうちの一部以外の他のＡＩ技術のために、当該一部のＡＩ技術のうち少なくとも１つのためのＰＵＣＣＨと同じＰＵＣＣＨを設定するよう構成される。
【０３０９】
任意選択的に、図１４に関連して、図１７において示されているように、無線アクセスデバイスはさらに、設定ユニット１４を含んでよい。
【０３１０】
設定ユニット１４は、決定ユニット１０により決定された少なくとも２つのＡＩ技術のうちの一部のために異なるＰＤＣＣＨ／ＥＰＤＣＣＨを設定し、少なくとも２つのＡＩ技術のうちの一部以外の他のＡＩ技術のために、当該一部のＡＩ技術のうち少なくとも１つのためのＰＤＣＣＨ／ＥＰＤＣＣＨと同じＰＤＣＣＨ／ＥＰＤＣＣＨを設定するよう構成される。当該他のＡＩ技術および当該少なくとも１つのＡＩ技術は、異なるキャリアに対応する。
【０３１１】
本実施形態における無線アクセスデバイスは、図２または図８において示されているＡＩ技術の設定方法における無線アクセスデバイスに対応してよく、本実施形態における無線アクセスデバイスのモジュールの区分および／または機能は全て、図２または図８において示されている方法の手順を実装することを意図していることが理解され得る。繰り返しを回避するために、詳細はここでは再びさらに説明される。
【０３１２】
本発明の本実施形態は、無線アクセスデバイスを提供する。無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３１３】
図１８において示されているように、本発明の実施形態は、ＵＥを提供する。ＵＥは、前述の方法におけるＵＥにより実行される段階を実行するよう構成される。ＵＥは、対応する段階に対応するモジュールを備えてよい。例えば、ＵＥは、無線アクセスデバイスにより送信された、同じキャリア上の少なくとも２つのＡＩ技術の設定情報を受信するよう構成される受信ユニット２０と、受信ユニット２０により受信された、少なくとも２つのＡＩ技術の設定情報に基づき、同じキャリア上で少なくとも２つのＡＩ技術を設定するよう構成される設定ユニット２１とを備えてよい。
【０３１４】
任意選択的に、図１８に関連して、図１９において示されているように、ＵＥはさらに、決定ユニット２２を含んでよい。
【０３１５】
決定ユニット２２は、設定ユニット２１が少なくとも２つのＡＩ技術の設定情報に基づき、同じキャリア上で少なくとも２つのＡＩ技術を設定した後に、予め設定されたサブキャリア間隔と少なくとも２つのＡＩ技術のそれぞれに対応する伝送時間間隔ＴＴＩの長さとに基づき、リソース割り当て情報のリソース位置を決定するよう構成される。リソース割り当て情報は、ＡＩ技術に対応するリソースを示すために用いられる。受信ユニット２０はさらに、決定ユニット２２により決定されたリソース位置に基づき、無線アクセスデバイスにより送信されたリソース割り当て情報を受信するよう構成される。
【０３１６】
任意選択的に、図１８に関連して、図１９において示されているように、ＵＥはさらに、決定ユニット２２を含んでよい。
【０３１７】
決定ユニット２２は、設定ユニット２１が少なくとも２つのＡＩ技術の設定情報に基づき、同じキャリア上で少なくとも２つのＡＩ技術を設定した後に、ＡＩ技術ごとのサブキャリア間隔と、ＡＩ技術のＴＴＩの長さとに基づき、リソース割り当て情報のリソース位置を決定するよう構成される。リソース割り当て情報は、ＡＩ技術に対応するリソースを示すために用いられる。受信ユニット２０はさらに、決定ユニット２２により決定されたリソース位置に基づき、無線アクセスデバイスにより送信されたリソース割り当て情報を受信するよう構成される。
【０３１８】
任意選択的に、図１８に関連して、図１９において示されているように、ＵＥはさらに、決定ユニット２２を含んでよい。
【０３１９】
決定ユニット２２は、設定ユニット２１が少なくとも２つのＡＩ技術の設定情報に基づき、同じキャリア上で少なくとも２つのＡＩ技術を設定した後に、少なくとも２つのＡＩ技術のそれぞれに対応する第１の特定周波数範囲において、ＡＩ技術のサブキャリア間隔とＡＩ技術のＴＴＩの長さとに基づき、リソース割り当て情報のリソース位置を決定するよう構成される。リソース割り当て情報は、ＡＩ技術に対応するリソースを示すために用いられる。受信ユニット２０はさらに、決定ユニット２２により決定されたリソース位置に基づき、無線アクセスデバイスにより送信されたリソース割り当て情報を受信するよう構成される。
【０３２０】
本実施形態におけるＵＥは、図２または図８において示されているＡＩ技術の設定方法におけるＵＥに対応してよく、本実施形態にける無線アクセスデバイスのモジュールの区分および／または機能は全て図２または図８において示されている方法の手順を実装することを意図することが理解され得る。繰り返しを回避するために、詳細はここでは再びさらに説明されない。
【０３２１】
本発明の本実施形態は、ＵＥを提供する。ＵＥは、基地局により送信された、同じキャリア上で設定される必要がある少なくとも２つのＡＩ技術の設定情報を受信してよく、ＵＥは、少なくとも２つのＡＩ技術の設定情報に基づき、同じキャリア上で少なくとも２つのＡＩ技術を設定してよい。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３２２】
図２０において示されているように、本発明の実施形態は、無線アクセスデバイスを提供する。無線アクセスデバイスは、少なくとも１つのプロセッサ３０と、トランシーバ３１と、メモリ３２と、システムバス３３とを備える。
【０３２３】
メモリ３２は、コンピュータ実行可能命令を記憶するよう構成される。少なくとも１つのプロセッサ３０と、メモリ３２と、トランシーバ３１とは、システムバス３３を用いることにより、接続され、互いに通信を行う。無線アクセスデバイスが動作したとき、少なくとも１つのプロセッサ３０は、メモリ３２において記憶されているコンピュータ実行可能命令を実行し、これにより、無線アクセスデバイスは、図２または図８において示されているＡＩ技術の設定方法を実行する。具体的なＡＩ技術の設定方法について、図２または図８の実施形態の関連説明を参照されたく、詳細はここで再び説明されない。
【０３２４】
本実施形態はさらに、記憶媒体を提供する。記憶媒体は、メモリ３２を含んでよい。
【０３２５】
少なくとも１つのプロセッサ３０は、中央演算処理装置（ｃｅｎｔｒａｌ  ｐｒｏｃｅｓｓｉｎｇ  ｕｎｉｔ、ＣＰＵ）であってよい。少なくとも１つのプロセッサ３０は代替的に、別の汎用プロセッサ、デジタル信号プロセッサ（ｄｉｇｉｔａｌ  ｓｉｇｎａｌ  ｐｒｏｃｅｓｓｉｎｇ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）もしくは別のプログラマブルロジックデバイス、ディスクリートゲートもしくはトランジスタロジックデバイス、個別のハードウェア構成要素、または同様のものであってよい。汎用プロセッサは、マイクロプロセッサであってよく、またはプロセッサは、任意の従来のプロセッサまたは同様のものであってよい。
【０３２６】
少なくとも１つのプロセッサ３０は、専用プロセッサであってよい。専用プロセッサは、ベースバンドプロセッサチップ、無線周波数処理チップ、および同様のもののうち少なくとも１つを含んでよい。さらに、専用プロセッサはさらに、無線アクセスデバイスの別の専用処理機能を有するチップを含んでよい。
【０３２７】
メモリ３２は、例えば、ランダムアクセスメモリ（ｒａｎｄｏｍ−ａｃｃｅｓｓ  ｍｅｍｏｒｙ、ＲＡＭ）のような揮発性メモリ（ｖｏｌａｔｉｌｅ  ｍｅｍｏｒｙ）を含んでよい。メモリ３２は代替的に、例えば、リードオンリメモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）のような不揮発性メモリ（ｎｏｎ−ｖｏｌａｔｉｌｅ  ｍｅｍｏｒｙ）を含んでよい。メモリ３２は代替的に、前述のメモリの組み合わせを含んでよい。
【０３２８】
システムバス３３は、データバス、電力バス、コントロールバス、信号ステータスバス、および同様のものを含んでよい。本実施形態において、明確な説明の目的のために、全てのバスは、図２０においてシステムバス３３と示される。
【０３２９】
トランシーバ３１は具体的に、無線アクセスデバイスにおけるトランシーバであってよい。トランシーバは、無線トランシーバであってよい。例えば、無線トランシーバは、無線アクセスデバイスのアンテナ、または同様のものであってよい。少なくとも１つのプロセッサ３０は、トランシーバ３１を用いることにより、ＵＥなどの別のデバイスへデータを送信するか、またはＵＥなどの別のデバイスからデータを受信する。
【０３３０】
具体的な実装過程において、図２または図８において示されている方法の手順における段階は、メモリ３２においてソフトウェア形式で記憶されているコンピュータ実行可能命令を実行することにより、ハードウェア形式でプロセッサ３０により実行されてよい。繰り返しを回避するために、詳細はここでは再び説明されない。
【０３３１】
任意選択的に、本発明の実施形態はさらに、コンピュータ可読記憶媒体を提供する。コンピュータ可読記憶媒体は、１つまたは複数のプログラムを記憶する。１つまたは複数のプログラムは命令を含む。無線アクセスデバイスの少なくとも１つのプロセッサが命令を実行したとき、無線アクセスデバイスは、図２または図８において示されているＡＩ技術の設定方法を実行する。具体的なＡＩ技術の設定方法について、図２または図８の実施形態の関連説明を参照されたく、詳細はここでは再び説明されない。
【０３３２】
本発明の本実施形態は、無線アクセスデバイスを提供する。無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３３３】
図２１において示されているように、本発明の実施形態は、ＵＥを提供する。ＵＥは、少なくとも１つのプロセッサ４０と、トランシーバ４１と、メモリ４２と、システムバス４３とを備える。
【０３３４】
メモリ４２は、コンピュータ実行可能命令を記憶するよう構成される。少なくとも１つのプロセッサ４０と、メモリ４２と、トランシーバ４１とは、システムバス４３を用いることにより、接続され、互いに通信を行う。ＵＥが動作したとき、少なくとも１つのプロセッサ４０は、メモリ４２において記憶されているコンピュータ実行可能命令を実行し、これにより、ＵＥは、図２または図８において示されているＡＩ技術の設定方法を実行する。具体的なＡＩ技術の設定方法について、図２または図８の実施形態の関連説明を参照されたく、詳細はここでは再び説明されない。
【０３３５】
本実施形態はさらに、記憶媒体を提供する。記憶媒体は、メモリ４２を含んでよい。
【０３３６】
少なくとも１つのプロセッサ４０は、ＣＰＵであってよく、または少なくとも１つのプロセッサ４０は、別の汎用プロセッサ、ＤＳＰ、ＡＳＩＣ、ＦＰＧＡもしくは別のプログラマブルロジックデバイス、ディスクリートゲートもしくはトランジスタロジックデバイス、個別のハードウェア構成要素、または同様のものであってよい。汎用プロセッサは、マイクロプロセッサであってよく、またはプロセッサは、任意の従来のプロセッサまたは同様のものであってよい。
【０３３７】
少なくとも１つのプロセッサ４０は、専用プロセッサであってよい。専用プロセッサは、ベースバンドプロセッサチップ、無線周波数処理チップ、および同様のもののうち少なくとも１つを含んでよい。さらに、専用プロセッサはさらに、ＵＥの別の専用処理機能を有するチップを含んでよい。
【０３３８】
メモリ４２は、例えば、ＲＡＭのような揮発性メモリを含んでよい。メモリ４２は代替的に、例えば、ＲＯＭ、フラッシュメモリ、ＨＤＤ、またはＳＳＤのような不揮発性メモリを含んでよい。メモリ４２は代替的に、前述のメモリの組み合わせを含んでよい。
【０３３９】
システムバス４３は、データバス、電力バス、コントロールバス、信号ステータスバス、および同様のものを含んでよい。本実施形態において、明確な説明の目的のために、全てのバスは、図２１においてシステムバス４３と示される。
【０３４０】
トランシーバ４１は具体的に、ＵＥにおけるトランシーバであってよい。トランシーバは、無線トランシーバであってよい。例えば、無線トランシーバは、ＵＥのアンテナ、または同様のものであってよい。少なくとも１つのプロセッサ４０は、トランシーバ４１を用いることにより、無線アクセスデバイスなどの別のデバイスへデータを送信するか、または無線アクセスデバイスなどの別のデバイスからデータを受信する。
【０３４１】
具体的な実装過程において、図２または図８において示されている方法の手順における段階は、メモリ４２においてソフトウェア形式で記憶されているコンピュータ実行可能命令を実行することにより、ハードウェア形式でプロセッサ４０において実行されてよい。繰り返しを回避するために、詳細はここでは再び説明されない。
【０３４２】
任意選択的に、本発明の実施形態はさらに、コンピュータ可読記憶媒体を提供する。コンピュータ可読記憶媒体は、１つまたは複数のプログラムを記憶する。１つまたは複数のプログラムは、命令を含む。ＵＥの少なくとも１つのプロセッサが命令を実行したとき、ＵＥは、図２または図８において示されているＡＩ技術の設定方法を実行する。具体的なＡＩ技術の設定方法について、図２または図８の実施形態の関連説明を参照されたく、詳細はここでは再び説明されない。
【０３４３】
本発明の本実施形態は、ＵＥを提供する。ＵＥは、基地局により送信された、同じキャリア上で設定される必要がある少なくとも２つのＡＩ技術の設定情報を受信してよく、ＵＥは、少なくとも２つのＡＩ技術の設定情報に基づき、同じキャリア上で少なくとも２つのＡＩ技術を設定してよい。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３４４】
図２２において示されているように、本発明の実施形態は、システムチップを提供する。システムチップは、少なくとも１つのプロセッサ５０と、入出力インターフェース５１と、メモリ５２と、バス５３とを備える。
【０３４５】
メモリ５２は、コンピュータ実行可能命令を記憶するよう構成される。少なくとも１つのプロセッサ５０と、メモリ５２と、入出力インターフェース５１とは、バス５３を用いることにより、接続され、互いに通信を行う。システムチップが動作したとき、少なくとも１つのプロセッサ５０は、メモリ５２において記憶されているコンピュータ実行可能命令を実行し、これにより、システムチップは、図２または図８において示されているＡＩ技術の設定方法を実行する。具体的なＡＩ技術の設定方法について、図２または図８の実施形態の関連説明を参照されたく、詳細はここでは再び説明されない。
【０３４６】
本発明の本実施形態において提供されているシステムチップは、ＳＯＣであってよく、または、本発明の実施形態に係るＡＩ技術の設定方法を実行することができる別のチップであってよいことに注意すべきである。このことは本発明の本実施形態において限定されない。
【０３４７】
さらに、図２２において示されているシステムチップは、図２０において示されている無線アクセスデバイスのシステムチップであってよい。
【０３４８】
本発明の本実施形態は、システムチップを提供する。システムチップは、同じキャリア上で設定される必要がある少なくとも２つのＡＩ技術と、少なくとも２つのＡＩ技術の設定情報とを決定してよく、システムチップは、少なくとも２つのＡＩ技術の設定情報をＵＥへ送信してよく、これにより、ＵＥは同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３４９】
図２３において示されているように、本発明の実施形態は、システムチップを提供する。システムチップは、少なくとも１つのプロセッサ６０と、入出力インターフェース６１と、メモリ６２と、バス６３とを備える。
【０３５０】
メモリ６２は、コンピュータ実行可能命令を記憶するよう構成される。少なくとも１つのプロセッサ６０と、メモリ６２と、入出力インターフェース６１とは、バス６３を用いることにより、接続され、互いに通信を行う。システムチップが動作したとき、少なくとも１つのプロセッサ６０は、メモリ６２において記憶されているコンピュータ実行可能命令を実行し、これにより、システムチップは、図２または図８において示されているＡＩ技術の設定方法を実行する具体的なＡＩ技術の設定方法について、図２または図８の実施形態の関連説明を参照されたく、詳細がここでは再び説明されない。
【０３５１】
本発明の本実施形態において提供されているシステムチップは、ＳＯＣであってよく、または本発明の実施形態に係るＡＩ技術の設定方法を実行することができる別のチップであってよいことに注意すべきである。このことは、本発明の本実施形態において限定されない。
【０３５２】
さらに、図２３において示されているシステムチップは、図２１において示されているＵＥのシステムチップであってよい。
【０３５３】
本発明の本実施形態は、システムチップを提供する。システムチップは、基地局により送信された、同じキャリア上で設定される必要がある少なくとも２つのＡＩ技術の設定情報を受信してよく、システムチップは、少なくとも２つＡＩ技術の設定情報に基づき、同じキャリア上で少なくとも２つのＡＩ技術を設定してよい。従って、本発明の本実施形態において提供されているシステムチップは、同じキャリア上で設定された複数のＡＩ技術をサポートすることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３５４】
本発明の実施形態は、無線通信システムを提供する。無線通信システムは、無線アクセスデバイスおよびＵＥを備える。例えば、図１において示されているように、図１は、本発明の本実施形態に係る無線通信システムの構造概略図である。無線アクセスデバイスおよびＵＥは、図２または図８において示されているＡＩ技術の設定方法の手順を実行してよい。具体的に、無線アクセスデバイスの説明について、具体的には、図１４から図１７のうち任意の１つの実施形態における無線アクセスデバイスの関連説明を参照されたく、詳細はここでは再び説明されない。ＵＥの説明について、具体的には、図１８または図１９の実施形態におけるＵＥの関連説明を参照されたく、詳細はここで再び説明されない。
【０３５５】
任意選択的に、本発明の実施形態はさらに、無線通信システムを提供する。無線通信システムは、無線アクセスデバイスを含んでよい。具体的に、無線アクセスデバイスの説明について、具体的には、図１４から図１７のうち任意の１つの実施形態における無線アクセスデバイスの関連説明を参照されたく、詳細はここでは再び説明されない。 
【０３５６】
本発明の実施形態は、無線通信システムを提供する。無線通信システムは、無線アクセスデバイスおよびＵＥを含んでよく、または、無線通信システムは、無線アクセスデバイスを含んでよい。無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の実施形態において提供されている無線通信システムを用いることにより、無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３５７】
簡便かつ簡潔な説明の目的のために、前述の機能モジュールの区分が説明のための例とみなされることは、当業者により明確に理解され得る。実際の応用において、前述の機能は、要求に基づき、異なる機能モジュールに割り当てられ、実装されることができ、すなわち、装置の内部構造は、異なる機能モジュールに分割され、上述した機能の全てまたは一部を実装する。前述のシステム、装置、およびユニットの詳述したワーキング処理について、前述の方法の実施形態における対応する処理を参照してよく、詳細はここでは再び説明されない。
【０３５８】
本出願において提供されているいくつかの実施形態において、開示されているシステム、装置、および方法は、他の方式で実装され得ることが理解されるべきである。例えば、説明されている装置実施形態は単に例である。例えば、モジュールまたはユニットの区分は単に論理的機能の区分であり、実際の実装において他の区分であってよい。例えば、複数のユニットまたは構成要素は、組み合わせられてよく、または、別のシステムに統合されてよく、または、一部の特徴は、無視されてよく、もしくは実行されなくてよい。加えて、表示または記載されている相互連結または直接連結または通信接続は、一部のインターフェースを介して、または装置もしくはユニット間の間接連結もしくは通信接続を介して実装されてよい。 
【０３５９】
別個の部分として説明されているユニットは、物理的に別個であってよく、またはそうでなくてよく、ユニットとして表示されている部分は、物理ユニットであってよく、またはそうでなくてよく、１箇所に位置されてよく、または複数のネットワークユニット上に分散されてよい。ユニットの一部または全ては、実施形態の解決手段の目的を達成するために実際の要求に基づき選択されてよい。
【０３６０】
加えて、本発明の実施形態における機能ユニットは、１つの処理ユニットに統合されてよく、または、ユニットのそれぞれは、物理的に単独で存在してよく、または、２つまたはそれより多いユニットは、１つのユニットに統合されてよい。統合されたユニットは、ソフトウェア機能ユニットの形態で実装されてよい。
【０３６１】
統合されたユニットがソフトウェア機能ユニットの形態で実装され、個別の製品として販売されまたは用いられるとき、統合されたユニットは、コンピュータ可読記憶媒体において記憶されてよい。そのよう理解に基づき、技術的解決手段の全てまたは一部は、ソフトウェア製品の形態で実装されてよい。コンピュータソフトウェア製品は、記憶媒体において記憶され、本発明の実施形態において説明されている方法の段階の全てまたは一部を実行するよう、（パーソナルコンピュータ、サーバ、ネットワークデバイス、または同様のものであってよい）コンピュータデバイスに命令するためのいくつかの命令を含む。記憶媒体は、非一時的（ｎｏｎ−ｔｒａｎｓｉｔｏｒｙ）媒体であり、フラッシュメモリ、取り外し可能なハードディスク、リードオンリメモリ、ランダムアクセスメモリ、磁気ディスク、または光学ディスクなどのプログラムコードを記憶することができる任意の媒体を含む。
【０３６２】
前述の説明は単に、本出願の具体的な実装方式であり、本出願の保護範囲を限定することを意図していない。当業者により、本出願において開示されている技術的範囲内に容易に案出される任意の変形または置き換えは、本出願の保護範囲に含まれるものとする。従って、本出願の保護範囲は、特許請求の範囲の保護範囲にしたがうものとする。
【図１】
2019507558.tif 000003
【図２】
2019507558.tif 000004
【図３】
2019507558.tif 000005
【図３Ａ】
2019507558.tif 000006
【図４】
2019507558.tif 000007
【図５】
2019507558.tif 000008
【図６】
2019507558.tif 000009
【図７】
2019507558.tif 000010
【図８】
2019507558.tif 000011
【図９】
2019507558.tif 000012
【図１０】
2019507558.tif 000013
【図１１】
2019507558.tif 000014
【図１２】
2019507558.tif 000015
【図１３】
2019507558.tif 000016
【図１４】
2019507558.tif 000017
【図１５】
2019507558.tif 000018
【図１６】
2019507558.tif 000019
【図１７】
2019507558.tif 000020
【図１８】
2019507558.tif 000021
【図１９】
2019507558.tif 000022
【図２０】
2019507558.tif 000023
【図２１】
2019507558.tif 000024
【図２２】
2019507558.tif 000025
【図２３】
2019507558.tif 000026
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
エアインターフェース技術（ＡＩ技術）の設定方法であって、
無線アクセスデバイスが、同じキャリア上で設定される必要がある少なくとも２つのＡＩ技術を決定する段階と、
前記無線アクセスデバイスが、前記少なくとも２つのＡＩ技術の設定情報を決定する段階と、
前記無線アクセスデバイスが、前記少なくとも２つのＡＩ技術の前記設定情報をモバイル機器へ送信する段階と
を備え、
前記少なくとも２つのＡＩ技術の前記設定情報は、前記モバイル機器により、前記同じキャリア上で前記少なくとも２つのＡＩ技術を設定するために用いられる、
設定方法。
【請求項２】
前記少なくとも２つのＡＩ技術の前記設定情報は、第１の特定周波数範囲および共通周波数範囲を含み、前記第１の特定周波数範囲は、前記少なくとも２つのＡＩ技術に対応する、前記無線アクセスデバイスにより予め設定された第１の周波数サブ範囲を含み、前記第１の周波数サブ範囲は、前記少なくとも２つのＡＩ技術に対応する制御情報を伝送するために用いられ、前記共通周波数範囲は、前記無線アクセスデバイスにより、前記モバイル機器のリソース要求に基づき、前記少なくとも２つのＡＩ技術に対応するリソースを割り当てるために用いられる、
請求項１に記載の設定方法。
【請求項３】
前記少なくとも２つのＡＩ技術の前記設定情報はさらに、第２の特定周波数範囲を含み、前記第２の特定周波数範囲は、前記少なくとも２つのＡＩ技術のそれぞれに対応する、前記無線アクセスデバイスにより予め設定された第２の周波数サブ範囲を含み、前記第２の周波数サブ範囲は、前記無線アクセスデバイスにより、前記モバイル機器の前記リソース要求に基づき、前記ＡＩ技術に対応するリソースを割り当てるために用いられる、
請求項２に記載の設定方法。
【請求項４】
前記少なくとも２つのＡＩ技術の前記設定情報は、媒体アクセス制御機能ユニット（ＭＡＣ機能ユニット）の設定情報を含み、前記ＭＡＣ機能ユニットは、共通ＭＡＣ機能ユニットおよび少なくとも１つの特定ＭＡＣ機能ユニットのうち少なくとも１つを含み、前記共通ＭＡＣ機能ユニットは、前記少なくとも１つの特定ＭＡＣ機能ユニットに対応するか、または、前記共通ＭＡＣ機能ユニットは、前記少なくとも２つのＡＩ技術に対応し、前記少なくとも１つの特定ＭＡＣ機能ユニットは、前記少なくとも２つのＡＩ技術に対応する、
請求項１に記載の設定方法。
【請求項５】
前記無線アクセスデバイスが、前記少なくとも２つのＡＩ技術の前記設定情報をモバイル機器へ送信する前記段階の後に、前記設定方法はさらに、
前記無線アクセスデバイスが、前記同じキャリア上で前記少なくとも２つのＡＩ技術に対応するリソースを前記モバイル機器に割り当てる段階と、
前記無線アクセスデバイスが、予め設定されたサブキャリア間隔と、前記少なくとも２つのＡＩ技術のそれぞれに対応する伝送時間間隔（ＴＴＩ）の長さとに基づき、リソース割り当て情報のリソース位置を決定する段階であって、前記リソース割り当て情報は、前記ＡＩ技術に対応するリソースを示すために用いられる、段階と、
前記無線アクセスデバイスが、前記リソース位置に基づき、前記リソース割り当て情報を前記モバイル機器へ送信する段階と
を備える、
請求項１から４のいずれか一項に記載の設定方法。
【請求項６】
前記無線アクセスデバイスが、前記少なくとも２つのＡＩ技術の前記設定情報をモバイル機器へ送信する前記段階の後に、前記設定方法はさらに、
前記無線アクセスデバイスが、前記同じキャリア上で前記少なくとも２つのＡＩ技術に対応するリソースを前記モバイル機器に割り当てる段階と、
前記無線アクセスデバイスが、前記少なくとも２つのＡＩ技術のそれぞれのサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記無線アクセスデバイスが、前記リソース位置に基づき、前記リソース割り当て情報を前記モバイル機器へ送信する段階と
を備える、
請求項１から４のいずれか一項に記載の設定方法。
【請求項７】
前記無線アクセスデバイスが、前記少なくとも２つのＡＩ技術の前記設定情報をモバイル機器へ送信する前記段階の後に、前記設定方法はさらに、
前記無線アクセスデバイスが、前記同じキャリア上で前記少なくとも２つのＡＩ技術に対応するリソースを前記モバイル機器に割り当てる段階と、
前記無線アクセスデバイスが、前記少なくとも２つのＡＩ技術のそれぞれに対応する第１の周波数サブ範囲において、前記ＡＩ技術のサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記無線アクセスデバイスが、前記リソース位置に基づき、前記リソース割り当て情報を前記モバイル機器へ送信する段階と
を備える、
請求項１から４のいずれか一項に記載の設定方法。
【請求項８】
前記設定方法はさらに、
前記無線アクセスデバイスが、前記少なくとも２つのＡＩ技術に対応する測定情報を前記モバイル機器へ送信する段階を備え、
前記測定情報は、測定を実行するよう前記モバイル機器に命令するために用いられ、かつ、
前記測定情報は、測定対象を含み、前記測定対象は、各ＡＩ技術に対応する第１の周波数範囲であるか、または、
前記測定情報は、測定対象および測定サブ対象を含み、前記測定対象は、各ＡＩ技術に対応するキャリアであり、前記測定サブ対象は、各ＡＩ技術に対応する第１の周波数範囲である、
請求項１から７のいずれか一項に記載の設定方法。
【請求項９】
前記測定情報はさらに、少なくとも１つのサブフレーム設定情報を含み、前記少なくとも１つのサブフレーム設定情報は、前記少なくとも１つのサブフレーム設定情報により示されたサブフレーム上で測定を実行するよう前記モバイル機器に命令するために用いられる、
請求項８に記載の設定方法。
【請求項１０】
前記設定方法はさらに、
第１のＴＴＩにおいて、前記無線アクセスデバイスが、前記第１の周波数範囲において、前記少なくとも２つのＡＩ技術における第１のＡＩ技術に対応する測定情報をアクティブ化し、前記無線アクセスデバイスが、第２の周波数範囲において、前記第１のＡＩ技術に対応する前記測定情報を非アクティブ化する段階を備える
請求項８に記載の設定方法。
【請求項１１】
前記設定方法はさらに、
前記無線アクセスデバイスが、前記少なくとも２つのＡＩ技術のそれぞれのために同じ物理アップリンク制御チャネル（ＰＵＣＣＨ）を設定する段階、または、
前記無線アクセスデバイスが、前記少なくとも２つのＡＩ技術のそれぞれのために異なるＰＵＣＣＨを設定する段階、または、
前記無線アクセスデバイスが、前記少なくとも２つのＡＩ技術のうちの一部のために異なるＰＵＣＣＨを設定し、前記無線アクセスデバイスが、前記少なくとも２つのＡＩ技術のうちの前記一部以外の他のＡＩ技術のために、前記一部のＡＩ技術のうち少なくとも１つのためのＰＵＣＣＨと同じＰＵＣＣＨを設定する段階を備える、
請求項１から１０のいずれか一項に記載の設定方法。
【請求項１２】
前記設定方法はさらに、
前記無線アクセスデバイスが、前記少なくとも２つのＡＩ技術のうちの一部のために異なる物理ダウンリンク制御チャネル（ＰＤＣＣＨ）／拡張物理ダウンリンク制御チャネル（ＥＰＤＣＣＨ）を設定し、前記無線アクセスデバイスが、前記少なくとも２つのＡＩ技術のうちの前記一部以外の他のＡＩ技術のために、前記一部のＡＩ技術のうち少なくとも１つのためのＰＤＣＣＨ／ＥＰＤＣＣＨと同じＰＤＣＣＨ／ＥＰＤＣＣＨを設定する段階を備え、
前記他のＡＩ技術および前記少なくとも１つのＡＩ技術は、異なるキャリアに対応する、
請求項１から１１のいずれか一項に記載の設定方法。
【請求項１３】
エアインターフェースＡＩ技術の設定方法であって、
モバイル機器が、無線アクセスデバイスにより送信された、同じキャリア上の少なくとも２つのＡＩ技術の設定情報を受信する段階と、
前記モバイル機器が、前記少なくとも２つのＡＩ技術の前記設定情報に基づき、前記同じキャリア上で前記少なくとも２つＡＩ技術を設定する段階と
を備える
設定方法。
【請求項１４】
前記モバイル機器が、前記少なくとも２つのＡＩ技術の前記設定情報に基づき、前記同じキャリア上で前記少なくとも２つのＡＩ技術を設定する前記段階の後に、前記設定方法はさらに、
前記モバイル機器が、予め設定されたサブキャリア間隔と、前記少なくとも２つのＡＩ技術のそれぞれに対応する伝送時間間隔（ＴＴＩ）の長さとに基づき、リソース割り当て情報のリソース位置を決定する段階であって、前記リソース割り当て情報は、前記ＡＩ技術に対応するリソースを示すために用いられる、段階と、
前記モバイル機器が、前記リソース位置に基づき、前記無線アクセスデバイスにより送信された前記リソース割り当て情報を受信する段階とを備える、
請求項１３に記載の設定方法。
【請求項１５】
前記モバイル機器が、前記少なくとも２つのＡＩ技術の前記設定情報に基づき、前記同じキャリア上で前記少なくとも２つのＡＩ技術を設定する前記段階の後に、前記設定方法はさらに、
前記モバイル機器が、ＡＩ技術ごとのサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記モバイル機器が、前記リソース位置に基づき、前記無線アクセスデバイスにより送信された前記リソース割り当て情報を受信する段階とを備える、
請求項１３に記載の設定方法。
【請求項１６】
前記モバイル機器が、前記少なくとも２つのＡＩ技術の前記設定情報に基づき、前記同じキャリア上で前記少なくとも２つのＡＩ技術を設定する前記段階の後に、前記設定方法はさらに、
前記モバイル機器が、前記少なくとも２つのＡＩ技術のそれぞれに対応する第１の特定周波数範囲において、前記ＡＩ技術のサブキャリア間隔と、前記ＡＩ技術のＴＴＩの長さとに基づき、リソース割り当て情報のリソース位置を決定する段階であって、前記リソース割り当て情報は、前記ＡＩ技術に対応するリソースを示すために用いられる、段階と、
前記モバイル機器が、前記リソース位置に基づき、前記無線アクセスデバイスにより送信されたリソース割り当て情報を受信する段階とを備える、
請求項１３に記載の設定方法。
【請求項１７】
無線アクセスデバイスであって、
同じキャリア上で設定される必要がある少なくとも２つのＡＩ技術と、前記少なくとも２つのＡＩ技術の設定情報とを決定するよう構成される決定ユニットと、
前記決定ユニットにより決定された、前記少なくとも２つのＡＩ技術の前記設定情報を、モバイル機器へ送信するよう構成される送信ユニットと
を備え、
前記少なくとも２つのＡＩ技術の前記設定情報は、前記モバイル機器により、前記同じキャリア上で前記少なくとも２つのＡＩ技術を設定するために用いられる、
無線アクセスデバイス。
【請求項１８】
前記少なくとも２つのＡＩ技術の前記設定情報は、第１の特定周波数範囲および共通周波数範囲を含み、前記第１の特定周波数範囲は、前記無線アクセスデバイスにより予め設定された、前記少なくとも２つのＡＩ技術に対応する第１の周波数サブ範囲を含み、前記第１の周波数サブ範囲は、前記少なくとも２つのＡＩ技術に対応する制御情報を伝送するために用いられ、前記共通周波数範囲は、前記無線アクセスデバイスにより、前記モバイル機器のリソース要求に基づき、前記少なくとも２つのＡＩ技術に対応するリソースを割り当てるために用いられる、
請求項１７に記載の無線アクセスデバイス。
【請求項１９】
前記少なくとも２つのＡＩ技術の前記設定情報はさらに、第２の特定周波数範囲を含み、前記第２の特定周波数範囲は、前記無線アクセスデバイスにより予め設定された、前記少なくとも２つのＡＩ技術のそれぞれに対応する第２の周波数サブ範囲を含み、前記第２の周波数サブ範囲は、前記無線アクセスデバイスにより、前記モバイル機器の前記リソース要求に基づき、前記ＡＩ技術に対応するリソースを割り当てるために用いられる、
請求項１８に記載の無線アクセスデバイス。
【請求項２０】
前記少なくとも２つのＡＩ技術の前記設定情報は、媒体アクセス制御機能ユニット（ＭＡＣ機能ユニット）の設定情報を含み、前記ＭＡＣ機能ユニットは、共通ＭＡＣ機能ユニットおよび少なくとも１つの特定ＭＡＣ機能ユニットのうち少なくとも１つを含み、前記共通ＭＡＣ機能ユニットは、前記少なくとも１つの特定ＭＡＣ機能ユニットに対応するか、または、前記共通ＭＡＣ機能ユニットは、前記少なくとも２つのＡＩ技術に対応し、前記少なくとも１つの特定ＭＡＣ機能ユニットは、前記少なくとも２つのＡＩ技術に対応する、
請求項１７に記載の無線アクセスデバイス。
【請求項２１】
前記無線アクセスデバイスはさらに、割り当てユニットを備え、
前記割り当てユニットは、前記送信ユニットが前記少なくとも２つのＡＩ技術の前記設定情報を前記モバイル機器へ送信した後に、前記同じキャリア上で前記少なくとも２つのＡＩ技術に対応するリソースを前記モバイル機器に割り当てるよう構成され、
前記決定ユニットはさらに、予め設定されたサブキャリア間隔と、前記少なくとも２つのＡＩ技術のそれぞれに対応する伝送時間間隔（ＴＴＩ）の長さとに基づき、リソース割り当て情報のリソース位置を決定するよう構成され、前記リソース割り当て情報は、前記ＡＩ技術に対応する、前記割り当てユニットにより割り当てられたリソースを示すために用いられ、
前記送信ユニットはさらに、前記決定ユニットにより決定された前記リソース位置に基づき、前記リソース割り当て情報を前記モバイル機器へ送信するよう構成される、
請求項１７から１９のいずれか一項に記載の無線アクセスデバイス。
【請求項２２】
前記無線アクセスデバイスはさらに、割り当てユニットを備え、
前記割り当てユニットは、前記送信ユニットが前記少なくとも２つのＡＩ技術の前記設定情報を前記モバイル機器へ送信した後に、前記同じキャリア上で前記少なくとも２つのＡＩ技術に対応するリソースを前記モバイル機器に割り当てるよう構成され、
前記決定ユニットはさらに、前記少なくとも２つのＡＩ技術のそれぞれのサブキャリア間隔と、前記ＡＩ技術のＴＴＩの長さとに基づき、リソース割り当て情報のリソース位置を決定するよう構成され、前記リソース割り当て情報は、前記割り当てユニットにより割り当てられた、前記ＡＩ技術に対応するリソースを示すために用いられ、
前記送信ユニットはさらに、前記決定ユニットにより決定された前記リソース位置に基づき、前記リソース割り当て情報を前記モバイル機器へ送信するよう構成される、
請求項１７から１９のいずれか一項に記載の無線アクセスデバイス。
【請求項２３】
前記無線アクセスデバイスはさらに、割り当てユニットを備え、
前記割り当てユニットは、前記送信ユニットが前記少なくとも２つのＡＩ技術の前記設定情報を前記モバイル機器へ送信した後に、前記同じキャリア上で前記少なくとも２つのＡＩ技術に対応するリソースを前記モバイル機器に割り当てるよう構成され、
前記決定ユニットはさらに、前記少なくとも２つのＡＩ技術のそれぞれに対応する第１の周波数サブ範囲において、前記ＡＩ技術のサブキャリア間隔と、前記ＡＩ技術のＴＴＩの長さとに基づき、リソース割り当て情報のリソース位置を決定するよう構成され、前記リソース割り当て情報は、前記割り当てユニットにより割り当てられた、前記ＡＩ技術に対応するリソースを示すために用いられ、
前記送信ユニットはさらに、前記決定ユニットにより決定された前記リソース位置に基づき、前記リソース割り当て情報を前記モバイル機器へ送信するよう構成される、
請求項１７から１９のいずれか一項に記載の無線アクセスデバイス。
【請求項２４】
前記送信ユニットはさらに、前記少なくとも２つのＡＩ技術に対応する測定情報を前記モバイル機器へ送信するよう構成され、前記測定情報は、測定を実行するよう前記モバイル機器に命令するために用いられ、
前記測定情報は、測定対象を含み、前記測定対象は、各ＡＩ技術に対応する第１の周波数範囲であるか、または、
前記測定情報は、測定対象および測定サブ対象を含み、前記測定対象は、各ＡＩ技術に対応するキャリアであり、前記測定サブ対象は、各ＡＩ技術に対応する第１の周波数範囲である、
請求項１７から２３のいずれか一項に記載の無線アクセスデバイス。
【請求項２５】
前記測定情報はさらに、少なくとも１つのサブフレーム設定情報を含み、前記少なくとも１つのサブフレーム設定情報は、前記少なくとも１つのサブフレーム設定情報により示されたサブフレーム上で測定を実行するよう前記モバイル機器に命令するために用いられる、
請求項２４に記載の無線アクセスデバイス。
【請求項２６】
前記無線アクセスデバイスはさらに、アクティブ化ユニットを含み、
前記アクティブ化ユニットは、第１のＴＴＩにおいて、前記第１の周波数範囲において、前記決定ユニットにより決定された前記少なくとも２つのＡＩ技術における第１のＡＩ技術に対応する測定情報をアクティブ化し、第２周波数範囲において、前記第１のＡＩ技術に対応する前記測定情報を非アクティブ化するよう構成される、
請求項２４または２５に記載の無線アクセスデバイス。
【請求項２７】
前記無線アクセスデバイスはさらに、設定ユニットを備え、
前記設定ユニットは、前記決定ユニットにより決定された前記少なくとも２つのＡＩ技術のそれぞれのために同じ物理アップリンク制御チャネル（ＰＵＣＣＨ）を設定するよう構成されるか、または、
前記設定ユニットは、前記決定ユニットにより決定された前記少なくとも２つのＡＩ技術のそれぞれのために異なるＰＵＣＣＨを設定するよう構成されるか、または、
前記設定ユニットは、前記決定ユニットにより決定された前記少なくとも２つのＡＩ技術のうちの一部のために異なるＰＵＣＣＨを設定し、前記少なくとも２つのＡＩ技術のうちの前記一部以外の他のＡＩ技術のために、前記一部のＡＩ技術のうち少なくとも１つのＰＵＣＣＨと同じＰＵＣＣＨを設定するよう構成される、
請求項１７から２６のいずれか一項に記載の無線アクセスデバイス。
【請求項２８】
前記無線アクセスデバイスはさらに、設定ユニットを備え、
前記設定ユニットは、前記決定ユニットにより決定された前記少なくとも２つのＡＩ技術のうちの一部のために異なる物理ダウンリンク制御チャネル（ＰＤＣＣＨ）／拡張物理ダウンリンク制御チャネル（ＥＰＤＣＣＨ）を設定し、前記少なくとも２つのＡＩ技術のうちの前記一部以外の他のＡＩ技術のために、前記一部のＡＩ技術のうち少なくとも１つのＰＤＣＣＨ／ＥＰＤＣＣＨと同じＰＤＣＣＨ／ＥＰＤＣＣＨを設定するよう構成され、前記他のＡＩ技術および前記少なくとも１つのＡＩ技術は、異なるキャリアに対応する、
請求項１７から２７のいずれか一項に記載の無線アクセスデバイス。
【請求項２９】
無線アクセスデバイスにより送信された、同じキャリア上の少なくとも２つのＡＩ技術の設定情報を受信するよう構成される受信ユニットと、
前記受信ユニットにより受信された、前記少なくとも２つのＡＩ技術の前記設定情報に基づき、前記同じキャリア上で前記少なくとも２つＡＩ技術を設定するよう構成される設定ユニットと
を備える
モバイル機器。
【請求項３０】
前記モバイル機器はさらに、決定ユニットを備え、
前記決定ユニットは、前記設定ユニットが前記少なくとも２つのＡＩ技術の前記設定情報に基づき、前記同じキャリア上で前記少なくとも２つのＡＩ技術を設定した後に、予め設定されたサブキャリア間隔と、前記少なくとも２つのＡＩ技術のそれぞれに対応する伝送時間間隔（ＴＴＩ）の長さとに基づき、リソース割り当て情報のリソース位置を決定するよう構成され、前記リソース割り当て情報は、前記ＡＩ技術に対応するリソースを示すために用いられ、
前記受信ユニットはさらに、前記決定ユニットにより決定された前記リソース位置に基づき、前記無線アクセスデバイスにより送信された前記リソース割り当て情報を受信するよう構成される、
請求項２９に記載のモバイル機器。
【請求項３１】
前記モバイル機器はさらに、決定ユニットを備え、
前記決定ユニットは、前記設定ユニットが前記少なくとも２つのＡＩ技術の前記設定情報に基づき、前記同じキャリア上で前記少なくとも２つのＡＩ技術を設定した後に、ＡＩ技術ごとのサブキャリア間隔と、前記ＡＩ技術のＴＴＩの長さとに基づき、リソース割り当て情報のリソース位置を決定するよう構成され、前記リソース割り当て情報は、前記ＡＩ技術に対応するリソースを示すために用いられ、
前記受信ユニットはさらに、前記決定ユニットにより決定された前記リソース位置に基づき、前記無線アクセスデバイスにより送信された前記リソース割り当て情報を受信するよう構成される、
請求項２９に記載のモバイル機器。
【請求項３２】
前記モバイル機器はさらに、決定ユニットを備え、
前記決定ユニットは、前記設定ユニットが前記少なくとも２つのＡＩ技術の前記設定情報に基づき、前記同じキャリア上で前記少なくとも２つのＡＩ技術を設定した後に、前記少なくとも２つのＡＩ技術のそれぞれに対応する第１の特定周波数範囲において、前記ＡＩ技術のサブキャリア間隔と、前記ＡＩ技術のＴＴＩの長さとに基づき、リソース割り当て情報のリソース位置を決定するよう構成され、前記リソース割り当て情報は、前記ＡＩ技術に対応するリソースを示すために用いられ、
前記受信ユニットはさらに、前記決定ユニットにより決定された前記リソース位置に基づき、前記無線アクセスデバイスにより送信された前記リソース割り当て情報を受信するよう構成される、
請求項２９に記載のモバイル機器。
【手続補正２】
【補正対象書類名】明細書
【補正対象項目名】全文
【補正方法】変更
【補正の内容】
【発明の詳細な説明】
【技術分野】
【０００１】
［関連出願の相互参照］  本出願は、２０１６年３月４日に中国特許庁に出願された「エアインターフェース技術の設定方法、装置、および無線通信システム」と題する中国特許出願第２０１６１０１２７９０３．５号に基づく優先権を主張し、当該出願は、その全体が参照されることにより本明細書に組み込まれている。
【０００２】
本発明の実施形態は、通信分野に関し、特に、エアインターフェース技術の設定方法、装置、および無線通信システムに関する。
【背景技術】
【０００３】
通信技術の継続的な発展に伴い、無線通信システムがより多様なサービス要求およびシナリオをサポートするようになる。場合によって、かなり異なるサービス品質（ｑｕａｌｉｔｙ  ｏｆ  ｓｅｒｖｉｃｅ、ＱｏＳ）要求を有するサービスはまた、エアインターフェース（ａｉｒ  ｉｎｔｅｒｆａｃｅ、ＡＩ）技術に対して異なる要求を有する。例えば、モバイルブロードバンド（ｍｏｂｉｌｅ  ｂｒｏａｄｂａｎｄ、ＭＢＢ）サービスおよび超高信頼低遅延通信（ｕｌｔｒａ  ｒｅｌｉａｂｌｅ  ｌｏｗ  ｌａｔｅｎｃｙ  ｃｏｍｍｕｎｉｃａｔｉｏｎ、ＵＲＬＬＣ）サービスは、ＡＩ技術に対して異なる要求を有する。従って、より多様なサービス要求をサポートするため、無線通信システムは、増量するＡＩ技術をサポートする必要がある。
【０００４】
現在の無線通信システムにおいて、基地局がユーザ機器（ｕｓｅｒ  ｅｑｕｉｐｍｅｎｔ、ＵＥ）のためにＡＩ技術を設定する場合、基地局は、１つのキャリア上で１つＡＩ技術のみを設定できる。すなわち、基地局は、ＵＥのために異なるキャリア上でしか異なるＡＩ技術を設定し得ず、これにより、ＵＥは、複数のＡＩ技術を同時に用いることができる。
【０００５】
しかしながら、現在の無線通信システムにおいて、基地局がＵＥのために１つのキャリア上で１つのＡＩ技術のみを設定し得るので、当該キャリア上でのリソース利用率が比較的低い。加えて、オペレータが１つのキャリアのみをサポートする場合、オペレータが複数のＡＩ技術をサポートすることができないので、オペレータは、多様なサービス要求を満たすことができず、当該キャリア上でのリソースの使用柔軟性の低下をもたらす。
【発明の概要】
【０００６】
本発明の実施形態は、エアインターフェース技術の設定方法、装置、および無線通信システムを提供し、ＵＥのために同じキャリア上で複数のＡＩ技術を設定することにおいて無線アクセスデバイスをサポートするための方法を提供し、それにより、同じキャリア上でのリソースの利用率および使用柔軟性を向上させる。
【０００７】
前述の目的を達成するために、以下の技術的解決手段が本発明の実施形態において用いられる。
【０００８】
第１の態様によれば、本発明の実施形態は、ＡＩ技術の設定方法を提供し、当該設定方法は、無線アクセスデバイスが同じキャリア上で設定されることが必要な少なくとも２つのＡＩ技術を決定する段階と、無線アクセスデバイスが少なくとも２つのＡＩ技術の設定情報を決定する段階と、無線アクセスデバイスが少なくとも２つのＡＩ技術の設定情報をユーザ機器ＵＥへ送信する段階とを備え、ここで、少なくとも２つのＡＩ技術の設定情報は、同じキャリア上で少なくとも２つのＡＩ技術を設定するためにＵＥにより用いられる。
【０００９】
本発明の本実施形態において提供されているＡＩ技術の設定方法において、無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されているＡＩ技術の設定方法を用いることにより、無線アクセスデバイスは、ＵＥのために同じキャリア上での複数のＡＩ技術の設定がサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性が向上する。
【００１０】
任意選択的に、本発明の本実施形態において、無線アクセスデバイスが少なくとも２つのＡＩ技術の設定情報をＵＥへ送信する段階の後に、本発明の本実施形態において提供されている設定方法はさらに、無線アクセスデバイスが同じキャリア上で少なくとも２つのＡＩ技術に対応するリソースをＵＥに割り当てる段階と、無線アクセスデバイスが予め設定されたサブキャリア間隔と、少なくとも２つのＡＩ技術のそれぞれに対応する伝送時間間隔ＴＴＩの長さとに基づき、リソース割り当て情報のリソース位置を決定する段階と、無線アクセスデバイスがリソース位置に基づき、リソース割り当て情報をＵＥへ送信する段階とを備え、ここで、リソース割り当て情報は、ＡＩ技術に対応するリソースを示すために用いられる。
【００１１】
任意選択的に、本発明の本実施形態において、無線アクセスデバイスが少なくとも２つのＡＩ技術の設定情報をＵＥへ送信する段階の後に、本発明の本実施形態において提供されている設定方法はさらに、無線アクセスデバイスが同じキャリア上で少なくとも２つのＡＩ技術に対応するリソースをＵＥに割り当てる段階と、無線アクセスデバイスが少なくとも２つのＡＩ技術のそれぞれのサブキャリア間隔と、ＡＩ技術のＴＴＩの長さとに基づき、リソース割り当て情報のリソース位置を決定する段階と、無線アクセスデバイスがリソース位置に基づき、リソース割り当て情報をＵＥへ送信する段階とを備え、ここで、リソース割り当て情報は、ＡＩ技術に対応するリソースを示すために用いられる。
【００１２】
任意選択的に、本発明の本実施形態において、無線アクセスデバイスが少なくとも２つのＡＩ技術の設定情報をＵＥへ送信する段階の後に、本発明の本実施形態において提供されている設定方法はさらに、無線アクセスデバイスが同じキャリア上で少なくとも２つのＡＩ技術に対応するリソースをＵＥに割り当てる段階と、無線アクセスデバイスが少なくとも２つのＡＩ技術のそれぞれに対応する第１の周波数サブ範囲において、ＡＩ技術のサブキャリア間隔と、ＡＩ技術のＴＴＩの長さとに基づき、リソース割り当て情報のリソース位置を決定する段階と、無線アクセスデバイスがリソース位置に基づき、リソース割り当て情報をＵＥへ送信する段階とを備え、ここで、リソース割り当て情報は、ＡＩ技術に対応するリソースを示すために用いられる。
【００１３】
本発明の本実施形態において、無線アクセスデバイスは、前述の３つの方法における予め合意された方法に基づき、リソース割り当て情報のリソース位置を決定してよい。従って、無線アクセスデバイスがリソース位置においてリソース割り当て情報をＵＥへ送信したとき、ＵＥがリソース位置でリソース割り当て情報を受信できることを保証できる。
【００１４】
任意選択的に、本発明の本実施形態において提供されている設定方法はさらに、無線アクセスデバイスが少なくとも２つのＡＩ技術に対応する測定情報をＵＥへ送信する段階を備え、ここで、測定情報は、測定を実行するようＵＥに命令するために用いられる。
【００１５】
本発明の本実施形態において提供されているＡＩ技術の設定方法において、複数のＡＩ技術の場合においてＵＥにより実行される測定をサポートできるので、複数のＡＩ技術の場合においてＵＥの移動管理およびより効率的なリソース割り当てを実現することができる。
【００１６】
任意選択的に、本発明の本実施形態において提供されている設定方法はさらに、第１のＴＴＩにおいて、無線アクセスデバイスが、第１の周波数範囲において、少なくとも２つのＡＩ技術における第１のＡＩ技術に対応する測定情報をアクティブ化し、無線アクセスデバイスが、第２の周波数範囲において、第１のＡＩ技術に対応する測定情報を非アクティブ化する段階を備える。
【００１７】
本発明の本実施形態において提供されているＡＩ技術の設定方法において、ＡＩ技術に対応する測定情報をアクティブ化および非アクティブ化できるので、ＵＥにより実行される測定が各ＡＩ技術に対応する周波数範囲およびＴＴＩにおける変更に柔軟に適応されることができることを保証できる。
【００１８】
任意選択的に、本発明の本実施形態において提供されている設定方法はさらに、無線アクセスデバイスが少なくとも２つのＡＩ技術のそれぞれのために、同じ物理アップリンク制御チャネルＰＵＣＣＨを設定する段階、または、無線アクセスデバイスが少なくとも２つのＡＩ技術のそれぞれのために、異なるＰＵＣＣＨを設定する段階、または、無線アクセスデバイスが少なくとも２つのＡＩ技術のうちの一部のために異なるＰＵＣＣＨを設定し、無線アクセスデバイスが少なくとも２つのＡＩ技術のうちの一部以外の他のＡＩ技術のために、当該一部のＡＩ技術のうち少なくとも１つのＰＵＣＣＨと同じＰＵＣＣＨを設定する段階を備える。
【００１９】
本発明の本実施形態において、無線アクセスデバイスがＵＥのためにＰＵＣＣＨを設定する場合、前述の３つの設定方法における対応する設定方法が、異なる応用シナリオに基づき、選択され得て、それにより、適応してＰＵＣＣＨの数量を低減させ、アップリンク信号の電力ピークを低減させ、異なるＡＩ技術のために用いられる測定の異なる単位を回避する。
【００２０】
さらに、本実施形態において提供されている、無線アクセスデバイスが複数のＡＩ技術のためにＰＵＣＣＨを設定する方法において、ハイブリッド自動反復要求ＨＡＲＱフィードバック、スケジューリング要求、チャネル状態情報ＣＳＩフィードバック、電力制御、および同様のものが、複数のＡＩ技術の場合においてサポートを受けることができる。従って、リソースはより柔軟に割り当てられることができ、それにより、リソース利用率が向上する。
【００２１】
任意選択的に、本発明の本実施形態において提供されている設定方法はさらに、無線アクセスデバイスが、少なくとも２つのＡＩ技術のうちの一部のために、異なる物理ダウンリンク制御チャネルＰＤＣＣＨ／拡張物理ダウンリンク制御チャネルＥＰＤＣＣＨを設定し、無線アクセスデバイスが、少なくとも２つのＡＩ技術のうちの一部以外の他のＡＩ技術のために、当該一部のＡＩ技術のうち少なくとも１つのＰＤＣＣＨ／ＥＰＤＣＣＨと同じＰＤＣＣＨ／ＥＰＤＣＣＨを設定する段階を備え、ここで、当該他のＡＩ技術および当該少なくとも１つのＡＩ技術は、異なるキャリアに対応する。
【００２２】
本実施形態において提供されている、無線アクセスデバイスが複数のＡＩ技術のためにＰＤＣＣＨ／ＥＰＤＣＣＨを設定する方法において、同じＰＤＣＣＨ／ＥＰＤＣＣＨは、同じキャリアまたは異なるキャリア上で異なるＡＩのために設定されてよい。従って、リソースはより柔軟に割り当てられることができ、それにより、リソース利用率が向上する。
【００２３】
第２の態様によれば、本発明の実施形態は、ＡＩ技術の設定方法を提供し、当該設定方法は、ＵＥが、同じキャリア上で、無線アクセスデバイスにより送信された、少なくとも２つのＡＩ技術の設定情報を受信する段階と、ＵＥが、少なくとも２つのＡＩ技術の設定情報に基づき、同じキャリア上で、少なくとも２つのＡＩ技術を設定する段階とを備える。
【００２４】
本発明の本実施形態において提供されているＡＩ技術の設定方法において、ＵＥは、無線アクセスデバイスにより送信された、同じキャリア上で設定される必要がある少なくとも２つのＡＩ技術の設定情報を受信し得て、ＵＥは、少なくとも２つのＡＩ技術の設定情報に基づき、同じキャリア上で少なくとも２つのＡＩ技術を設定し得る。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより同じキャリア上でのリソースの利用率および使用柔軟性を向上させる。
【００２５】
任意選択的に、本発明の本実施形態において、ＵＥが、少なくとも２つのＡＩ技術の設定情報に基づき、同じキャリア上で少なくとも２つのＡＩ技術を設定する段階の後に、本発明の本実施形態において提供されている設定方法はさらに、ＵＥが、予め設定されたサブキャリア間隔と、少なくとも２つのＡＩ技術のそれぞれに対応するＴＴＩの長さとに基づき、リソース割り当て情報のリソース位置を決定する段階と、ＵＥが、リソース位置に基づき、無線アクセスデバイスにより送信されたリソース割り当て情報を受信する段階とを備え、ここで、リソース割り当て情報は、ＡＩ技術に対応するリソースを示すために用いられる。
【００２６】
任意選択的に、本発明の本実施形態において、ＵＥが、少なくとも２つのＡＩ技術の設定情報に基づき、同じキャリア上で少なくとも２つのＡＩ技術を設定する段階の後に、本発明の本実施形態において提供されている設定方法はさらに、ＵＥが、ＡＩ技術ごとのサブキャリア間隔と、ＡＩ技術のＴＴＩの長さとに基づき、リソース割り当て情報のリソース位置を決定する段階と、ＵＥが、リソース位置に基づき、無線アクセスデバイスにより送信されたリソース割り当て情報を受信する段階とを備え、ここで、リソース割り当て情報は、ＡＩ技術に対応するリソースを示すために用いられる。
【００２７】
任意選択的に、本発明の本実施形態において、ＵＥが、少なくとも２つのＡＩ技術の設定情報に基づき、同じキャリア上で少なくとも２つのＡＩ技術を設定する段階の後に、本発明の本実施形態において提供されている設定方法はさらに、ＵＥが、少なくとも２つのＡＩ技術のそれぞれに対応する第１の特定周波数範囲において、ＡＩ技術のサブキャリア間隔とＡＩ技術のＴＴＩの長さとに基づき、リソース割り当て情報のリソース位置を決定する段階と、ＵＥが、リソース位置に基づき、無線アクセスデバイスにより送信されたリソース割り当て情報によりを受信する段階とを備え、ここで、リソース割り当て情報は、ＡＩ技術に対応するリソースを示すために用いられる。
【００２８】
本発明の本実施形態において、無線アクセスデバイスは、前述の３つの方法における予め合意された方法に基づき、リソース割り当て情報のリソース位置を決定してよい。従って、無線アクセスデバイスがリソース位置でリソース割り当て情報をＵＥへ送信したとき、ＵＥがリソース位置でリソース割り当て情報を受信できることを保証できる。さらに、ＵＥは、リソース割り当て情報に基づき、無線アクセスデバイスによりＵＥに割り当てられたリソースを知ることができ、当該リソース上でサービスを伝送できる。
【００２９】
第３の態様によれば、本発明の実施形態は、無線アクセスデバイスを提供し、当該無線アクセスデバイスは、同じキャリア上で設定される必要がある少なくとも２つのＡＩ技術と、少なくとも２つのＡＩ技術の設定情報とを決定するよう構成される決定ユニットと、決定ユニットにより決定された、少なくとも２つのＡＩ技術の設定情報をＵＥへ送信するよう構成される送信ユニットとを備え、ここで、少なくとも２つのＡＩ技術の設定情報は、同じキャリア上で少なくとも２つのＡＩ技術を設定するためにＵＥにより用いられる。
【００３０】
本発明の本実施形態において、無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【００３１】
任意選択的に、本発明の本実施形態において、無線アクセスデバイスはさらに、割り当てユニットを備え、割り当てユニットは、送信ユニットが少なくとも２つのＡＩ技術の設定情報をＵＥへ送信した後に、同じキャリア上で少なくとも２つのＡＩ技術に対応するリソースをＵＥに割り当てるように構成され、決定ユニットはさらに、予め設定されたサブキャリア間隔と少なくとも２つのＡＩ技術のそれぞれに対応するＴＴＩの長さとに基づき、リソース割り当て情報のリソース位置を決定するよう構成され、ここで、リソース割り当て情報は、割り当てユニットにより割り当てられた、ＡＩ技術に対応するリソースを示すために用いられ、送信ユニットはさらに、決定ユニットにより決定されたリソース位置に基づき、リソース割り当て情報をＵＥへ送信するよう構成される。
【００３２】
任意選択的に、本発明の本実施形態において、無線アクセスデバイスはさらに、割り当てユニットを備え、割り当てユニットは、送信ユニットが少なくとも２つのＡＩ技術の設定情報をＵＥへ送信した後に、同じキャリア上で少なくとも２つのＡＩ技術に対応するリソースをＵＥに割り当てるよう構成され、決定ユニットはさらに、少なくとも２つのＡＩ技術のそれぞれのサブキャリア間隔と、ＡＩ技術のＴＴＩの長さとに基づき、リソース割り当て情報のリソース位置を決定するよう構成され、ここで、リソース割り当て情報は、割り当てユニットにより割り当てられた、ＡＩ技術に対応するリソースを示すために用いられ、送信ユニットはさらに、決定ユニットにより決定されたリソース位置に基づき、リソース割り当て情報をＵＥへ送信するよう構成される。
【００３３】
任意選択的に、本発明の本実施形態において、無線アクセスデバイスはさらに、割り当てユニットを備え、割り当てユニットは、送信ユニットが少なくとも２つのＡＩ技術の設定情報をＵＥへ送信した後に、同じキャリア上で少なくとも２つのＡＩ技術に対応するリソースをＵＥに割り当てるよう構成され、決定ユニットはさらに、少なくとも２つのＡＩ技術のそれぞれに対応する第１の周波数サブ範囲において、ＡＩ技術のサブキャリア間隔と、ＡＩ技術のＴＴＩの長さとに基づき、リソース割り当て情報のリソース位置を決定するよう構成され、ここで、リソース割り当て情報は、割り当てユニットにより割り当てられた、ＡＩ技術に対応するリソースを示すために用いられ、送信ユニットはさらに、決定ユニットにより決定されたリソース位置に基づき、リソース割り当て情報をＵＥへ送信するよう構成される。
【００３４】
任意選択的に、本発明の本実施形態において、送信ユニットはさらに、少なくとも２つのＡＩ技術に対応する測定情報をＵＥへ送信するよう構成され、ここで、測定情報は、測定を実行するようＵＥに命令するために用いられる。
【００３５】
任意選択的に、本発明の本実施形態において、無線アクセスデバイスはさらに、アクティブ化ユニットを備え、アクティブ化ユニットは、第１のＴＴＩにおいて、第１の周波数範囲において、決定ユニットにより決定された少なくとも２つのＡＩ技術における第１のＡＩ技術に対応する測定情報をアクティブ化し、第２の周波数範囲において、第１のＡＩ技術に対応する測定情報を非アクティブ化するよう構成される。
【００３６】
任意選択的に、本発明の本実施形態において、無線アクセスデバイスはさらに、設定ユニットを備え、設定ユニットは、決定ユニットにより決定された少なくとも２つのＡＩ技術のそれぞれのために同じＰＵＣＣＨを設定するか、または、決定ユニットにより決定された少なくとも２つのＡＩ技術のそれぞれのために異なるＰＵＣＣＨを設定するか、または、決定ユニットにより決定された少なくとも２つのＡＩ技術のうちの一部のために異なるＰＵＣＣＨを設定し、少なくとも２つのＡＩ技術のうちの一部以外の他のＡＩ技術のために、当該一部のＡＩ技術のうち少なくとも１つのＰＵＣＣＨと同じＰＵＣＣＨを設定するよう構成される。
【００３７】
任意選択的に、本発明の本実施形態において、無線アクセスデバイスはさらに、設定ユニットを備え、設定ユニットは、決定ユニットにより決定された少なくとも２つのＡＩ技術のうちの一部のために異なるＰＤＣＣＨ／ＥＰＤＣＣＨを設定し、少なくとも２つのＡＩ技術のうちの一部以外の他のＡＩ技術のために、当該一部のＡＩ技術のうち少なくとも１つのＰＤＣＣＨ／ＥＰＤＣＣＨと同じＰＤＣＣＨ／ＥＰＤＣＣＨを設定するよう構成され、ここで、当該他のＡＩ技術および当該少なくとも１つのＡＩ技術は、異なるキャリアに対応する。
【００３８】
第３の態様の任意選択的な実装方式の技術的効果について、第１の態様の対応する任意選択的な実装方式の技術的効果の関連説明を参照されたく、詳細はここでは再び説明されない。
【００３９】
第４の態様によれば、本発明の実施形態はＵＥを提供し、当該ＵＥは、無線アクセスデバイスにより送信された、同じキャリア上の少なくとも２つのＡＩ技術の設定情報を受信するよう構成される受信ユニットと、受信ユニットにより受信された、少なくとも２つのＡＩ技術の設定情報に基づき、同じキャリア上で少なくとも２つのＡＩ技術を設定するよう構成される設定ユニットとを備える。
【００４０】
本発明の本実施形態において、ＵＥは、無線アクセスデバイスにより送信された、同じキャリア上で設定される必要がある少なくとも２つのＡＩ技術の設定情報を受信してよく、ＵＥは、少なくとも２つのＡＩ技術の設定情報に基づき、同じキャリア上で少なくとも２つのＡＩ技術を設定してよい。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【００４１】
任意選択的に、本発明の本実施形態において、ＵＥはさらに、決定ユニットを備え、決定ユニットは、設定ユニットが少なくとも２つのＡＩ技術の設定情報に基づき、同じキャリア上で少なくとも２つのＡＩ技術を設定した後に、予め設定されたサブキャリア間隔と、少なくとも２つのＡＩ技術のそれぞれに対応するＴＴＩの長さとに基づき、リソース割り当て情報のリソース位置を決定するよう構成され、ここで、リソース割り当て情報は、ＡＩ技術に対応するリソースを示すために用いられ、受信ユニットはさらに、決定ユニットにより決定されたリソース位置に基づき、無線アクセスデバイスにより送信されたリソース割り当て情報を受信するよう構成される。
【００４２】
任意選択的に、本発明の本実施形態において、ＵＥはさらに、決定ユニットを備え、決定ユニットは、設定ユニットが、少なくとも２つのＡＩ技術の設定情報に基づき、同じキャリア上で少なくとも２つのＡＩ技術を設定した後に、ＡＩ技術ごとのサブキャリア間隔と、ＡＩ技術のＴＴＩの長さとに基づき、リソース割り当て情報のリソース位置を決定するよう構成され、ここで、リソース割り当て情報は、ＡＩ技術に対応するリソースを示すために用いられ、受信ユニットはさらに、決定ユニットにより決定されたリソース位置に基づき、無線アクセスデバイスにより送信されたリソース割り当て情報を受信するよう構成される。
【００４３】
任意選択的に、本発明の本実施形態において、ＵＥはさらに、決定ユニットを備え、決定ユニットは、設定ユニットが少なくとも２つのＡＩ技術の設定情報に基づき、同じキャリア上で少なくとも２つのＡＩ技術を設定した後に、少なくとも２つのＡＩ技術のそれぞれに対応する第１の特定周波数範囲において、ＡＩ技術のサブキャリア間隔と、ＡＩ技術のＴＴＩの長さとに基づき、リソース割り当て情報のリソース位置を決定するよう構成され、ここで、リソース割り当て情報は、ＡＩ技術に対応するリソースを示すために用いられ、受信ユニットはさらに、決定ユニットにより決定されたリソース位置に基づき、無線アクセスデバイスにより送信されたリソース割り当て情報を受信するよう構成される。
【００４４】
第４の態様の任意選択的な実装方式の技術的効果について、第２の態様の対応する任意選択的な実装方式の技術的効果の関連説明を参照されたく、詳細はここでは再び説明されない。
【００４５】
任意選択的に、第１から第４の態様において、可能な実装方式が以下である。少なくとも２つのＡＩ技術の設定情報は、第１の特定周波数範囲および共通周波数範囲を含み、第１の特定周波数範囲は、無線アクセスデバイスにより予め設定された、少なくとも２つのＡＩ技術に対応する第１の周波数サブ範囲を含み、第１の周波数サブ範囲は、少なくとも２つのＡＩ技術に対応する制御情報を伝送するために用いられ、共通周波数範囲は、ＵＥのリソース要求に基づき、少なくとも２つのＡＩ技術に対応するリソースを割り当てるために無線アクセスデバイスにより用いられる。
【００４６】
さらに、第１から第４の態様において、前述の可能な実装方式に基づき、他の可能な実装方式が以下である。少なくとも２つのＡＩ技術の設定情報はさらに、第２の特定周波数範囲を含み、第２の特定周波数範囲は、無線アクセスデバイスにより予め設定された、少なくとも２つのＡＩ技術のそれぞれに対応する第２の周波数サブ範囲を含み、第２周波数サブ範囲は、ＵＥのリソース要求に基づき、ＡＩ技術に対応するリソースを割り当てるために無線アクセスデバイスにより用いられる。
【００４７】
第１の特定周波数範囲、第２の特定周波数範囲、および共通周波数範囲は、同じキャリア上の周波数範囲である。第１の特定周波数範囲における第１の周波数サブ範囲および第２の特定周波数範囲における第２の周波数サブ範囲は両方とも、無線アクセスデバイスにより予め設定される。共通周波数範囲は、少なくとも２つのＡＩ技術に共通する周波数範囲であってよい。すなわち、無線アクセスデバイスは、ＵＥのリソース要求に基づき、共通周波数範囲において、少なくとも２つのＡＩ技術に対応するリソースをリアルタイムでＵＥに動的に割り当て得る。
【００４８】
任意選択的に、第１から第４の態様において、少なくとも２つのＡＩ技術の設定情報は、媒体アクセス制御ＭＡＣ機能ユニットの設定情報を含み、ＭＡＣ機能ユニットは、共通ＭＡＣ機能ユニットおよび少なくとも１つの特定ＭＡＣ機能ユニットのうち少なくとも１つを含み、共通ＭＡＣ機能ユニットは、少なくとも１つの特定ＭＡＣ機能ユニットに対応するか、または、共通ＭＡＣ機能ユニットは、少なくとも２つのＡＩ技術に対応し、少なくとも１つの特定ＭＡＣ機能ユニットは、少なくとも２つのＡＩ技術に対応する。
【００４９】
さらに、第１から第４の態様において、少なくとも２つのＡＩ技術の設定情報はさらに、少なくとも２つのＡＩ技術と論理チャネルとの間のマッピング関係を含む。
【００５０】
任意選択的に、ＭＡＣ機能ユニットは、以下のいくつかの具体的な実現形式を有する。
【００５１】
ａ．ＭＡＣ機能ユニットは、１つの共通ＭＡＣ機能ユニットを含む。
【００５２】
ｂ．ＭＡＣ機能ユニットは、少なくとも１つの特定ＭＡＣ機能ユニットを含む。
【００５３】
ｃ．ＭＡＣ機能ユニットは、１つの共通ＭＡＣ機能ユニットおよび少なくとも１つの特定ＭＡＣ機能ユニットを含む。
【００５４】
本発明の実施形態において、ＵＥは、無線アクセスデバイスにより送信された設定情報に基づき、ＵＥにおけるＭＡＣ機能ユニットを前述の３つの形態に設定し、これにより、ＵＥは、同じキャリア上での少なくとも２つのＡＩ技術の使用においてサポートを受けることができ、それにより、同じキャリア上でのリソースの利用率および使用柔軟性が向上する。
【００５５】
任意選択的に、第１および第３の態様において、測定情報は、測定対象を含み、測定対象は、各ＡＩ技術に対応する第１の周波数範囲である。代替的に、測定情報は、測定対象および測定サブ対象を含み、測定対象は、各ＡＩ技術に対応するキャリアであり、測定サブ対象は、各ＡＩ技術に対応する第１の周波数範囲である。
【００５６】
さらに、第１および第３の態様において、測定情報はさらに、少なくとも１つのサブフレーム設定情報を含み、少なくとも１つのサブフレーム設定情報は、少なくとも１つのサブフレーム設定情報により示されたサブフレーム上で測定を実行するようＵＥに命令するために用いられる。
【００５７】
前述の説明に関連して、本発明の実施形態において、可能な実装方式が以下である。測定情報は、１つまたは少なくとも２つの測定対象を含んでよい。測定情報が１つの測定対象を含むとき、少なくとも２つのＡＩ技術の全てが測定対象に対応する。測定情報が少なくとも２つの測定対象を含むとき、各ＡＩ技術は、１つの測定対象に対応する。
【００５８】
他の可能な実装方式が以下である。測定情報は、１つまたは少なくとも２つの測定対象および測定サブ対象を含んでよい。具体的には、以下のいくつかの組み合わせが含まれてよい。
【００５９】
Ａ．測定情報は、１つの測定対象および１つの測定サブ対象を含む。少なくとも２つのＡＩ技術の全ては、測定対象および測定サブ対象に対応する。
【００６０】
Ｂ．測定情報は、１つの測定対象および少なくとも２つの測定サブ対象を含む。少なくとも２つのＡＩ技術の全ては、測定対象に対応し、各ＡＩ技術は、１つの測定サブ対象に対応する。
【００６１】
Ｃ．測定情報は、少なくとも２つの測定対象および少なくとも２つの測定サブ対象を含む。各ＡＩ技術は、１つの測定対象および１つの測定サブ対象に対応する。
【００６２】
本発明の本実施形態において提供されているＡＩ技術の設定方法において、ＵＥにより実行された測定が複数のＡＩ技術の場合においてサポートを受けることができるので、ＵＥの移動管理およびより効率的なリソース割り当てが複数のＡＩ技術の場合において実現されることができる。
【００６３】
第５の態様によれば、本発明の実施形態は、無線アクセスデバイスを提供する。無線アクセスデバイスは、少なくとも１つのプロセッサと、トランシーバと、メモリと、システムバスとを備える。
【００６４】
メモリは、コンピュータ実行可能命令を記憶するよう構成される。少なくとも１つのプロセッサと、メモリと、トランシーバとは、システムバスを用いることにより、接続され、互いに通信を行う。無線アクセスデバイスが動作したとき、少なくとも１つのプロセッサは、メモリにおいて記憶されているコンピュータ実行可能命令を実行し、これにより、無線アクセスデバイスは、第１の態様または第１の態様の任意選択的な実装方式のうち任意の１つに係るＡＩ技術の設定方法を実行する。
【００６５】
第６の態様によれば、本発明の実施形態は、コンピュータ可読記憶媒体を提供する。コンピュータ可読記憶媒体は、１つまたは複数のプログラムを記憶する。１つまたは複数のプログラムは、命令を含む。無線アクセスデバイスの少なくとも１つのプロセッサが命令を実行したとき、無線アクセスデバイスは、第１の態様または第１の態様の任意選択的な実装方式のうち任意の１つに係るＡＩ技術の設定方法を実行する。
【００６６】
第７の態様によれば、本発明の実施形態は、システムチップを提供する。システムチップは、少なくとも１つのプロセッサと、入出力インターフェースと、メモリと、バスとを備える。
【００６７】
メモリは、コンピュータ実行可能命令を記憶するよう構成される。少なくとも１つのプロセッサと、メモリと、入出力インターフェースとは、バスを用いることにより、接続され、互いに通信を行う。システムチップが動作したとき、少なくとも１つのプロセッサは、メモリにおいて記憶されているコンピュータ実行可能命令を実行し、これにより、システムチップは、第１の態様または第１の態様の任意選択的な実装方式のうち任意の１つに係るＡＩ技術の設定方法を実行する。
【００６８】
第５、第６、および第７の態様の技術的効果について、第１および第３の態様の技術的効果の関連説明を参照されたく、詳細はここでは再び説明されない。
【００６９】
第８の態様によれば、本発明の実施形態は、ＵＥを提供する。ＵＥは、少なくとも１つのプロセッサと、トランシーバと、メモリと、システムバスとを備える。
【００７０】
メモリは、コンピュータ実行可能命令を記憶するよう構成される。少なくとも１つのプロセッサと、メモリと、トランシーバとは、システムバスを用いることにより、接続され、互いに通信を行う。ＵＥが動作したとき、少なくとも１つのプロセッサは、メモリにおいて記憶されているコンピュータ実行可能命令を実行し、これにより、ＵＥは、第２の態様または第２の態様の任意選択的な実装方式のうち任意の１つに係るＡＩ技術の設定方法を実行する。
【００７１】
第９の態様によれば、本発明の実施形態は、コンピュータ可読記憶媒体を提供する。コンピュータ可読記憶媒体は、１つまたは複数のプログラムを記憶する。１つまたは複数のプログラムは、命令を含む。ＵＥの少なくとも１つのプロセッサが命令を実行したとき、ＵＥは、第２の態様または第２の態様の任意選択的な実装方式のうち任意の１つに係るＡＩ技術の設定方法を実行する。
【００７２】
第１０の態様によれば、本発明の実施形態は、システムチップを提供する。システムチップは、少なくとも１つのプロセッサと、入出力インターフェースと、メモリと、バスとを備える。
【００７３】
メモリは、コンピュータ実行可能命令を記憶するよう構成される。少なくとも１つのプロセッサと、メモリと、入出力インターフェースとは、バスを用いることにより、接続され、互いに通信を行う。システムチップが動作したとき、少なくとも１つのプロセッサは、メモリにおいて記憶されているコンピュータ実行可能命令を実行し、これにより、システムチップは、第２の態様または第２の態様の任意選択的な実装方式のうち任意の１つに係るＡＩ技術の設定方法を実行する。
【００７４】
第８、第９、および第１０の態様の技術的効果について、第２および第４の態様の技術的効果の関連説明を参照されたく、詳細はここでは再び説明されない。
【００７５】
第７および第１０の態様におけるシステムチップは、システムオンチップ（ｓｙｓｔｅｍ  ｏｎ  ａ  ｃｈｉｐ、ＳＯＣ）であってよく、または、本発明の実施形態に係るＡＩ技術の設定方法を実行できる別のチップであってよい。
【００７６】
さらに、第７の態様におけるシステムチップは、本発明の実施形態における無線アクセスデバイスのシステムチップであってよく、第１０の態様のシステムチップは、本発明の実施形態におけるＵＥのシステムチップであってよい。
【００７７】
第１１の態様によれば、本発明の実施形態は、無線通信システムを提供する。無線通信システムは、第３の態様に係る無線アクセスデバイスと、第４の態様に係るＵＥとを備える。代替的に、無線通信システムは、第５の態様に係る無線アクセスデバイスと、第６の態様に係るＵＥとを備える。
【００７８】
第１２の態様によれば、本発明の実施形態は、無線通信システムを提供する。無線通信システムは、第３の態様に係る無線アクセスデバイスを備える。代替的に、無線通信システムは、第５の態様に係る無線アクセスデバイスを備える。
【００７９】
本発明の実施形態において提供されている無線通信システムにおいて、無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の実施形態において提供されているＡＩ技術の設定方法を用いることにより、無線アクセスデバイスは、ＵＥのための同じキャリア上での複数のＡＩ技術の設定においてサポートを受けることができ、これにより、複数のＡＩ技術をより柔軟に使用し、無線通信システムにおいて複数のＡＩ技術を使用することが必要な応用シナリオにより良好に適応され、それにより、同じキャリア上でのリソースの利用率および使用柔軟性を向上させる。
【図面の簡単な説明】
【００８０】
【図１】本発明の実施形態に係る無線通信システムの構造概略図である。
【００８１】
【図２】本発明の実施形態に係るＡＩ技術の設定方法の第１の概略図である。
【００８２】
【図３】本発明の実施形態に係る設定情報の第１の概略図である。
【００８３】
【図３Ａ】本発明の実施形態に係る設定情報の第２の概略図である。
【００８４】
【図４】本発明の実施形態に係る設定情報の第３の概略図である。
【００８５】
【図５】本発明の実施形態に係る設定情報の第４の概略図である。
【００８６】
【図６】本発明の実施形態に係る設定情報の第５の概略図である。
【００８７】
【図７】本発明の実施形態に係る設定情報の第６の概略図である。
【００８８】
【図８】本発明の実施形態に係るＡＩ技術の設定方法の第２の概略図である。
【００８９】
【図９】本発明の実施形態に係るＡＩ技術に対応する測定情報のアクティブ化および非アクティブ化の概略図である。
【００９０】
【図１０】本発明の実施形態に係る基地局による、ＡＩ技術のためのＰＵＣＣＨの設定の第１の概略図である。
【００９１】
【図１１】本発明の実施形態に係る基地局による、ＡＩ技術のためのＰＵＣＣＨの設定の第２の概略図である。
【００９２】
【図１２】本発明の実施形態に係る基地局による、ＡＩ技術のためのＰＵＣＣＨの設定の第３の概略図である。
【００９３】
【図１３】本発明の実施形態に係る基地局による、ＡＩ技術のためのＰＤＣＣＨ／ＥＰＤＣＣＨの設定の概略図である。
【００９４】
【図１４】本発明の実施形態に係る無線アクセスデバイスの第１の概略構造図である。
【００９５】
【図１５】本発明の実施形態に係る無線アクセスデバイスの第２の構造概略図である。
【００９６】
【図１６】本発明の実施形態に係る無線アクセスデバイスの第３の概略構造図である。
【００９７】
【図１７】本発明の実施形態に係る無線アクセスデバイスの第４の概略構造図である。
【００９８】
【図１８】本発明の実施形態に係るＵＥの第１の概略構造図である。
【００９９】
【図１９】本発明の実施形態に係るＵＥの第２の構造概略図である。
【０１００】
【図２０】本発明の実施形態に係る無線アクセスデバイスのハードウェア概略図である。
【０１０１】
【図２１】本発明の実施形態に係るＵＥのハードウェア概略図である。
【０１０２】
【図２２】本発明の実施形態に係るシステムチップの第１のハードウェア概略図である。
【０１０３】
【図２３】本発明の実施形態に係るシステムチップの第２のハードウェア概略図である。
【発明を実施するための形態】
【０１０４】
本明細書における「および／または」という用語は、関連する対象物を説明するために関連関係のみを説明し、３つの関係が存在し得ることを表す。例えば、Ａおよび／またはＢは、Ａのみが存在する、ＡおよびＢの両方が存在する、およびＢのみが存在するという３つの場合を表す。加えて、本明細書における「／」という記号は概して、関連する対象物の間の「または」という関係を示す。例えば、Ａ／Ｂは、ＡまたはＢと理解されてよい。
【０１０５】
本発明の実施形態における明細書および特許請求の範囲において、「第１」、「第２」、「第３」、「第４」などの用語は、異なる対象物を区別することを意図しているが、対象物の特定の順序を示すものではない。例えば、第１の特定周波数範囲、第２の特定周波数範囲、および同様のものは、特定周波数範囲の特定の順序を説明することではなく、異なる特定周波数範囲を区別することを意図する。
【０１０６】
本発明の実施形態において、別段の記載がない限り、以下の実施形態において現れている「複数の」は、２つまたは２つより多いことを意味する。例えば、複数の無線アクセスデバイスは、２つまたはそれより多い無線アクセスデバイスを意味する。本発明の以下の実施形態において、「複数の」および「少なくとも２つ」は、同じ意味を表してよい。両方とも、２つまたは２つより多いことを表すことができ、置き換え可能である。
【０１０７】
加えて、本発明の実施形態において、「例示的な」または「例えば」という表現は、例、図示、または説明を与えることを表すために用いられる。本発明の実施形態における、「例示的な」または「例えば」として説明されている任意の実施形態または設計方式は、より好ましいもの、または、別の実施形態または設計方式よりも多い利点を有しているものとして解釈されるべきではない。正確にいうと、「例示的な」または「例えば」という表現、または同様の表現の使用は、具体的な方式で関連するコンセプトを表すことを意図する。
【０１０８】
加えて、「備える」、「含む」、「有する」という用語、および本発明の実施形態の説明において言及されているそれらの任意の他の派生語は、非排他的な包含をカバーすることを意図する。例えば、一連の段階またはユニットを含む処理、方法、システム、製品、またはデバイスは、列挙されている段階またはユニットに限定されず、任意選択的に、列挙されていない別の段階またはユニットをさらに含むか、または、任意選択的に、処理、方法、製品、またはデバイスの別の固有の段階またはユニットをさらに含む。
【０１０９】
以下の記載において、限定するためではなく、説明するために、特定システム構造、インターフェース、技術などの具体的な詳細が提供され、本出願に対する十分な理解を容易にする。しかしながら、本出願はこれらの具体的な詳細がなくても他の実施形態において実装され得ることを、当業者であれば認識するべきである。他の場合において、周知の装置、回路、および方法の詳述されている説明が省略され、これにより、本出願は、不必要な詳細により不明瞭にされることなく、説明される。
【０１１０】
本発明の以下の実施形態において、「サービス」および「データ」は、同様の意味を有し、置き換え可能である。例えば、ＵＥおよび無線アクセスデバイスがサービスを伝送することは、ＵＥおよび無線アクセスデバイスがデータを伝送することであると理解されてよい。代替的に、ＵＥおよび無線アクセスデバイスがデータを伝送することは、ＵＥおよび無線アクセスデバイスがサービスを伝送することであると理解されてよい。
【０１１１】
本発明の実施形態において、ＵＥおよび無線アクセスデバイスの間で伝送されるサービス／データは、シグナリングおよびユーザデータを含んでよい。このことは、本発明の実施形態において具体的に限定されない。
【０１１２】
本発明の実施形態において提供されているＡＩ技術の設定方法は、無線通信システムに適用されてよい。無線通信システムは、１つまたは複数の無線アクセスデバイスと、無線アクセスデバイスによりサービスを提供されるＵＥとを含んでよい。ＵＥが無線アクセスデバイス／いくつかの無線アクセスデバイスのカバレージ内に位置し得るので、ＵＥにサービスを提供する１つまたは複数のサービングセルが存在し得る。ＵＥにサービスを提供する複数のサービングセルが存在する場合、ＵＥは、キャリアアグリゲーション（ｃａｒｒｉｅｒ  ａｇｇｒｅｇａｔｉｏｎ、ＣＡ）モード、デュアルコネクティビティ（ｄｕａｌ  ｃｏｎｎｅｃｔｉｖｉｔｙ、ＤＣ）モード（すなわち、ＣＡにおけるキャリアが複数の基地局により提供される）、または、多地点協調（ｃｏｏｒｄｉｎａｔｅｄ  ｍｕｌｔｉｐｌｅ  ｐｏｉｎｔ、ＣｏＭＰ）送受信モードにおいて動作し得る。少なくとも１つのサービングセルは、少なくとも２つのＡＩ技術を提供してよく、無線アクセスデバイスは、ＵＥのために少なくとも２つのＡＩ技術のうち１つまたは複数を設定してよい。無線アクセスデバイスにより用いられる、ＵＥのためにＡＩ技術を設定する方法は、従来技術における方法と同じであり、詳細はここでは説明されない。本発明の実施形態は、無線アクセスデバイスがＵＥのために少なくとも２つのＡＩ技術を設定する例を用いることのみにより、説明される。
【０１１３】
本発明の実施形態において提供される無線通信システムは、ユニバーサル移動体通信システム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）、符号分割多重接続（ｃｏｄｅ  ｄｉｖｉｓｉｏｎ  ｍｕｌｔｉｐｌｅ  ａｃｃｅｓｓ、ＣＤＭＡ）システム、無線ローカルエリアネットワーク（ｗｉｒｅｌｅｓｓ  ｌｏｃａｌ  ａｒｅａ  ｎｅｔｗｏｒｋ、ＷＬＡＮ）システム、第５世代移動通信（ｔｈｅ  ５ｔｈ  ｇｅｎｅｒａｔｉｏｎ  ｍｏｂｉｌｅ  ｃｏｍｍｕｎｉｃａｔｉｏｎ、５Ｇ）技術を用いる通信システム、または同様のものであってよい。
【０１１４】
図１において示されているように、図１は、本発明の実施形態に係る可能な無線通信システムの構造概略図である。図１において示されている無線通信システムにおいて、無線アクセスデバイス１が、本発明の本実施形態において提供されているＡＩ技術の設定方法を用いることにより、ＵＥ２のためにＡＩ技術を設定する。例えば、無線アクセスデバイスが少なくとも２つのＡＩ技術をサポートできるものと仮定する。無線アクセスデバイスは、少なくとも２つのＡＩ技術の設定情報を決定し、少なくとも２つのＡＩ技術の設定情報をＵＥへ送信することにより、ＵＥのために少なくとも２つのＡＩ技術を設定し得る。無線アクセスデバイスがＵＥのために少なくとも２つのＡＩ技術を設定した後に、ＵＥおよび無線アクセスデバイスは、少なくとも２つのＡＩ技術を用いてサービスを伝送し得る。
【０１１５】
本発明の本実施形態において、無線アクセスデバイスは、基地局、分散型基地局、クラウド無線アクセスネットワーク（ｃｌｏｕｄ   ＲＡＮ、ＣＲＡＮ）デバイス、無線アクセスネットワークコントローラおよび基地局を含むアクセスネットワークデバイス、または同様のものであってよい。分散型基地局またはＣＲＡＮデバイスは、ベースバンドユニット（ｂａｓｅ  ｂａｎｄ  ｕｎｉｔ、ＢＢＵ）、および遠隔無線ユニット（ｒｅｍｏｔｅ  ｒａｄｉｏ  ｕｎｉｔ、ＲＲＵ）を含んでよい。ＣＲＡＮデバイスは、フレキシブルプロトコルレイヤリングを有するＣＲＡＮデバイスであってもよい。フレキシブルプロトコルレイヤリングを有するＣＲＡＮデバイスは具体的に、進化型ＢＢＵおよび進化型ＲＲＵを含んでよい。進化型ＢＢＵおよび進化型ＲＲＵはそれぞれ、無線プロトコル層の一部または全てを有してよい。無線プロトコル層は、パケットデータコンバージェンスプロトコル（ｐａｃｋｅｔ  ｄａｔａ  ｃｏｎｖｅｒｇｅｎｃｅ  ｐｒｏｔｏｃｏｌ、ＰＤＣＰ）層、無線リンク制御（ｒａｄｉｏ  ｌｉｎｋ  ｃｏｎｔｒｏｌ、ＲＬＣ）層、媒体アクセス制御（ｍｅｄｉａ  ａｃｃｅｓｓ  ｃｏｎｔｒｏｌ、ＭＡＣ）層、および物理層（ｐｈｙｓｉｃａｌ  ｌａｙｅｒ、ＰＨＹ）を含む。ＲＲＵはさらに、無線周波数（ｒａｄｉｏ  ｆｒｅｑｕｅｎｃｙ、ＲＦ）部分を含む。
【０１１６】
ＵＥは、無線端末であってよい。無線端末は、音声および／またはデータ接続性をユーザに提供するデバイス、無線接続機能を有するハンドヘルドデバイス、または無線モデムと接続される別の処理デバイスを指してよい。無線端末は、無線アクセスネットワーク（Ｒａｄｉｏ  Ａｃｃｅｓｓ  Ｎｅｔｗｏｒｋ、ＲＡＮ）を用いることにより、１つまたは複数のコアネットワークと通信を行ってよい。無線端末は、（「セルラ」電話とも称される）携帯電話などのモバイル端末、およびモバイル端末を有するコンピュータであってよく、例えば、無線アクセスネットワークと音声および／またはデータを交換する、ポータブルモバイル装置、ポケットサイズのモバイル装置、ハンドヘルドモバイル装置、コンピュータ内蔵モバイル装置、または車載型モバイル装置であってよい。例えば、無線端末は、パーソナル通信サービス（ｐｅｒｓｏｎａｌ  ｃｏｍｍｕｎｉｃａｔｉｏｎ  ｓｅｒｖｉｃｅ、ＰＣＳ）電話、コードレス電話、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）ステーション、またはパーソナルデジタルアシスタント（ｐｅｒｓｏｎａｌ  ｄｉｇｉｔａｌ  ａｓｓｉｓｔａｎｔ、ＰＤＡ）などのデバイスであってよい。無線端末は、システム、加入者ユニット（ｓｕｂｓｃｒｉｂｅｒ  ｕｎｉｔ）、加入者局（ｓｕｂｓｃｒｉｂｅｒ  ｓｔａｔｉｏｎ）、移動局（ｍｏｂｉｌｅ  ｓｔａｔｉｏｎ）、移動体（ｍｏｂｉｌｅ）、遠隔局（ｒｅｍｏｔｅ  ｓｔａｔｉｏｎ）、アクセスポイント（ａｃｃｅｓｓ  ｐｏｉｎｔ）、遠隔端末（ｒｅｍｏｔｅ  ｔｅｒｍｉｎａｌ）、アクセス端末（ａｃｃｅｓｓ  ｔｅｒｍｉｎａｌ）、ユーザ端末（ｕｓｅｒ  ｔｅｒｍｉｎａｌ）、ユーザエージェント（ｕｓｅｒ  ａｇｅｎｔ）、またはユーザ機器（ｕｓｅｒ  ｅｑｕｉｐｍｅｎｔ）とも称されてよい。
【０１１７】
本発明の実施形態において提供されているＡＩ技術の設定方法をより明確にかつ簡便に説明するために、以下の方法の実施形態の全ては、無線アクセスデバイスが基地局である例を用いることにより説明される。もちろん、以下の方法の実施形態における基地局は代替的に、前述の分散型基地局、ＣＲＡＮデバイス、または、無線アクセスネットワークコントローラおよび基地局を含むアクセスネットワークデバイスと置き換えられてよく、詳細は、本発明の実施形態において再び説明されない。
【０１１８】
例えば、図１において示されている無線通信システムの構造概略図に基づき、本発明の実施形態は、図２において示されているように、ＡＩ技術の設定方法を提供する。方法は、以下の段階を備えてよい。
【０１１９】
Ｓ１０１：基地局が、同じキャリア上で設定される必要がある少なくとも２つのＡＩ技術を決定する。
【０１２０】
Ｓ１０２：基地局が、少なくとも２つのＡＩ技術の設定情報を決定する。
【０１２１】
Ｓ１０３：基地局が、少なくとも２つのＡＩ技術の設定情報をＵＥへ送信する。
【０１２２】
Ｓ１０４：ＵＥが、基地局により送信された少なくとも２つのＡＩ技術の設定情報を受信する。
【０１２３】
Ｓ１０５：ＵＥが、少なくとも２つのＡＩ技術の設定情報に基づき、同じキャリア上で少なくとも２つのＡＩ技術を設定する。
【０１２４】
本発明の本実施形態において提供されているＡＩ技術の設定方法において、基地局は、同じキャリア上で設定される必要がある少なくとも２つのＡＩ技術と、少なくとも２つのＡＩ技術の設定情報とを決定してよく、基地局は、少なくとも２つのＡＩ技術の設定情報をＵＥへ送信してよく、これにより、ＵＥは、同じキャリア上で少なくとも２つのＡＩ技術を設定する。従って、本発明の本実施形態において提供されているＡＩ技術の設定方法を用いることにより、基地局は、ＵＥのための同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０１２５】
本発明の本実施形態において複数のＡＩ技術を使用する必要がある応用シナリオは、複数のＡＩ技術が１つのキャリア上で使用されるシナリオを含んでよく、または複数のＡＩ技術が複数のキャリア（ＣＡシナリオ、ＤＣシナリオ、ＣｏＭＰシナリオ、または同様のもの）上で使用されるシナリオを含んでよい。複数のＡＩ技術が複数のキャリア上で使用されるシナリオにおいて、複数のＡＩ技術は、複数のキャリアのうち少なくとも１つで使用される。
【０１２６】
本発明の本実施形態において、基地局は、少なくとも２つのＡＩ技術をサポートする。ＡＩ技術は、無線インターフェース技術（ｒａｄｉｏ  ｉｎｔｅｒｆａｃｅ  ｔｅｃｈｎｏｌｏｇｙ、ＲＩＴ）、または無線インターフェースプロトコル（ｒａｄｉｏ  ｉｎｔｅｒｆａｃｅ  ｐｒｏｔｏｃｏｌ、ＲＩＰ）とも称されてよい。ＡＩ技術は通常、多重接続（ｍｕｌｔｉｐｌ  ａｃｃｅｓｓ）方式、変調および符号化方式（ｍｏｄｕｌａｔｉｏｎ  ａｎｄ  ｃｏｄｉｎｇ  ｓｃｈｅｍｅ、ＭＣＳ）、フレーム構造（ｆｒａｍｅ  ｓｔｒｕｃｔｕｒｅ）、物理チャネル（ｐｈｙｓｉｃａｌ  ｃｈａｎｎｅｌ）、トランスポートチャンネル（ｔｒａｎｓｐｏｒｔ  ｃｈａｎｎｅｌ）、論理チャネル（ｌｏｇｉｃａｌ  ｃｈａｎｎｅｌ）、ＭＡＣ、ＲＬＣ、ＰＤＣＰ、無線リソース制御（ｒａｄｉｏ  ｒｅｓｏｕｒｃｅ  ｃｏｎｔｒｏｌ、ＲＲＣ）、および同様のものを含んでよい。
【０１２７】
前述の多重接続方式は、時間分割多重接続（ｔｉｍｅ  ｄｉｖｉｓｉｏｎ  ｍｕｌｔｉｐｌｅ  ａｃｃｅｓｓ、ＴＤＭＡ）方式、周波数分割多重接続（ｆｒｅｑｕｅｎｃｙ  ｄｉｖｉｓｉｏｎ  ｍｕｌｔｉｐｌｅ  ａｃｃｅｓｓ、ＦＤＭＡ）方式、符号分割多重接続（ｃｏｄｅ  ｄｉｖｉｓｉｏｎ  ｍｕｌｔｉｐｌｅ  ａｃｃｅｓｓ、ＣＤＭＡ）、直交周波数分割多重接続（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ、ＯＦＤＭＡ）方式、単一キャリア周波数分割多重接続（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ、ＳＣ−ＦＤＭＡ）方式、および同様のものを含んでよい。
【０１２８】
前述のフレーム構造は通常、物理層上でデータを伝送するフォーマットおよび対応するパラメータを指す。異なる無線通信システムは通常、それぞれの特定のフレーム構造を用いる。例えば、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）ロングタームエボリューション（Ｌｏｎｇ  Ｔｅｒｍ  Ｅｖｏｌｕｔｉｏｎ、ＬＴＥ）システムのフレーム構造は、周波数分割多重化（ｆｒｅｑｕｅｎｃｙ  ｄｉｖｉｓｉｏｎ  ｍｕｌｔｉｐｌｅｘｉｎｇ、ＦＤＤ）のために用いられるタイプＩ（Ｔｙｐｅ  Ｉ）のフレーム構造、および時間分割多重化（ｔｉｍｅ  ｄｉｖｉｓｉｏｎ  ｍｕｌｔｉｐｌｅｘｉｎｇ、ＴＤＤ）のために用いられるタイプＩＩ（Ｔｙｐｅ  ＩＩ）のフレーム構造を含む。タイプＩのフレーム構造およびタイプＩＩのフレーム構造はそれぞれ、１ｍｓの長さを有する１０個のサブフレーム（ｓｕｂｆｒａｍｅ）を含む。タイプＩのフレーム構造とタイプＩＩのフレーム構造との間の主な差異は、特殊サブフレームがタイプＩＩのフレーム構造に導入されているという点にある。特殊サブフレームは、ダウンリンクパイロットタイムスロット（ｄｏｗｎｌｉｎｋ  ｐｉｌｏｔ  ｔｉｍｅ  ｓｌｏｔ、ＤｗＰＴＳ）、ガード間隔（ｇｕａｒｄ  ｐｅｒｉｏｄ、ＧＰ）、およびアップリンクパイロットタイムスロット（ｕｐｌｉｎｋ  ｐｉｌｏｔ  ｔｉｍｅ  ｓｌｏｔ、ＵｐＰＴＳ）という３つの特殊タイムスロットを含む。ＤｗＰＴＳは常に、ダウンリンクデータを送信するために用いられ、ＵｐＰＴＳは常に、アップリンクデータを送信するために用いられ、ＧＰは、ダウンリンクからアップリンクへの変換のためのガード時間間隔である。タイプＩのフレーム構造におけるサブフレームは、異なる周波数範囲に基づき、アップリンクサブフレームおよびダウンリンクサブフレームに分類される。アップリンクサブフレームおよびダウンリンクサブフレームは、任意の伝送時間間隔（ｔｒａｎｓｍｉｓｓｉｏｎ  ｔｉｍｅ  ｉｎｔｅｒｖａｌ、ＴＴＩ）で同時に用いられることができる。タイプＩＩのフレーム構造におけるサブフレームは、アップリンクサブフレームおよびダウンリンクサブフレームに分類される。アップリンクサブフレームまたはダウンリンクサブフレームのみが任意のＴＴＩで用いられることができ、１つのＴＴＩの時間長さは、１つのサブフレームの時間長さに等しい。
【０１２９】
本発明の本実施形態において、少なくとも２つのＡＩ技術は、前述の複数のＡＩ技術のうち少なくとも１つがその他のＡＩ技術と異なることを意味する。例えば、基地局が、少なくとも２つのフレーム構造、例えば、タイプＩのフレーム構造およびタイプＩＩのフレーム構造をサポートする場合、基地局は、少なくとも２つのＡＩ技術をサポートするとみなされてよい。基地局が、少なくとも１つのフレーム構造および少なくとも１つの多重接続方式、例えば、タイプＩのフレーム構造およびＣＤＭＡ方式をサポートする場合、基地局が少なくとも２つのＡＩ技術をサポートするともみなされてよい。
【０１３０】
本発明の本実施形態において、Ｓ１０１において基地局により決定された、同じキャリア上で設定される必要がある少なくとも２つのＡＩ技術は、基地局によりサポートを受けることができる少なくとも２つのＡＩ技術である。
【０１３１】
Ｓ１０２において、基地局が、同じキャリア上で設定される必要がある少なくとも２つのＡＩ技術を決定した後に、基地局は、少なくとも２つのＡＩ技術の設定情報を決定してよい。Ｓ１０３において示されているように、基地局は、少なくとも２つのＡＩ技術の設定情報をＵＥへ送信し、これにより、Ｓ１０４よびＳ１０５において示されているように、ＵＥは、少なくとも２つのＡＩ技術の設定情報に基づき、同じキャリア上で少なくとも２つのＡＩ技術を設定する。
【０１３２】
任意選択的に、本発明の本実施形態において、１つのキャリア上で少なくとも２つのＡＩ技術の設定をサポートするために、対応する技術的サポートも物理層上で必要とされる。例えば、物理層上で、フィルタリングを用いた直交分割多重化（ｆｉｌｔｅｒｅｄ  ｏｒｔｈｏｇｏｎａｌ  ｄｉｖｉｓｉｏｎ  ｍｕｌｔｉｐｌｅｘｉｎｇ、ｆｉｌｔｅｒｅｄ  ＯＦＤＭ）技術が、異なるＡＩ技術を分離させるために用いられる。異なるＡＩ技術は、異なるＯＦＤＭパラメータ、例えば、異なるサブキャリア間隔、異なるサブフレームの長さ、および異なるサイクリックプレフィックス（ｃｙｃｌｉｃ  ｐｒｅｆｉｘ、ＣＰ）の長さを用いることにより設定されてよい。より高次のレイヤのプロトコル機能の点から、対応する技術的サポートも必要とされる。例えば、適したＭＡＣプロトコルが、異なるサービス特徴に基づき、サービスをＡＩ技術に一致させる必要があり、それにより、無線リソースを複数の異なるＡＩ技術に割り当てる。
【０１３３】
本発明の本実施形態において、少なくとも２つのＡＩ技術の設定情報は、以下のうち１つであってよい。
【０１３４】
（１）少なくとも２つのＡＩ技術の設定情報は、第１の特定周波数範囲および共通周波数範囲を含む。第１の特定周波数範囲は、基地局により予め設定された、少なくとも２つのＡＩ技術に対応する第１の周波数サブ範囲を含む。第１の周波数サブ範囲は、少なくとも２つのＡＩ技術に対応する制御情報を伝送するために用いられる。共通周波数範囲は、ＵＥのリソース要求に基づき、少なくとも２つのＡＩ技術に対応するリソースを割り当てるために基地局により用いられる。
【０１３５】
前述の（１）において、第１の特定周波数範囲および共通周波数範囲は、同じキャリア上の周波数範囲である。１つまたは少なくとも２つの第１の周波数サブ範囲が存在し得る。１つの第１の周波数サブ範囲が存在するとき、第１の周波数サブ範囲は、少なくとも２つのＡＩ技術に対応する制御情報を伝送するために用いられてよい。すなわち、少なくとも２つのＡＩ技術に対応する制御情報は全て、第１の周波数サブ範囲において伝送される。少なくとも２つの第１の周波数サブ範囲が存在するとき、少なくとも２つの第１の周波数サブ範囲は、少なくとも２つのＡＩ技術と一対一の対応関係にある。すなわち、１つの第１の周波数サブ範囲は、１つのＡＩ技術に対応する制御情報を伝送するために用いられる。代替的に、少なくとも２つの第１の周波数サブ範囲が存在するとき、少なくとも２つの第１の周波数サブ範囲のうち１つは、少なくとも２つのＡＩ技術のうちの一部に対応し、少なくとも２つの第１の周波数サブ範囲における、当該１つの第１の周波数サブ範囲以外の他の第１の周波数サブ範囲は、少なくとも２つのＡＩ技術における、当該一部のＡＩ技術以外の他のＡＩ技術に対応する。
【０１３６】
制御情報は、各ＡＩ技術に対応する、基地局によりＵＥに割り当てられたリソース割り当て情報を示すために用いられてよい。制御情報は、物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）、または拡張ＰＤＣＣＨ（ｅｎｈａｎｃｅｄ  ＰＤＣＣＨ、ＥＰＤＣＣＨ）を用いることにより示されてよい。すなわち、基地局は、ＰＤＣＣＨまたはＥＰＤＣＣＨを用いることにより、各ＡＩ技術に対応するリソース割り当て情報をＵＥへ送信してよい。
【０１３７】
第１の特定周波数範囲における第１の周波数サブ範囲は、基地局により予め設定される。共通周波数範囲は、少なくとも２つのＡＩ技術に共通する周波数範囲であってよい。すなわち、基地局は、少なくとも２つのＡＩ技術に対応するリソースを、ＵＥのリソース要求に基づき、共通周波数範囲において、リアルタイムでＵＥに動的に割り当ててよい。
【０１３８】
例えば、図３において示されているように、基地局は、キャリア上の第１の特定周波数範囲において、第１の周波数サブ範囲Ａおよび第１の周波数サブ範囲Ｂを予め設定してよい。第１の周波数サブ範囲Ａは、ＡＩ−１に対応する制御情報を伝送するために用いられ、第１の周波数サブ範囲Ｂは、ＡＩ−２に対応する制御情報を伝送するために用いられる。基地局は、ＵＥのリソース要求に基づき、キャリア上の共通周波数範囲においてリアルタイムでリソースを動的に割り当ててよい。例えば、ある時点において、基地局は、ＵＥのリソース要求に基づき、キャリア上の共通周波数範囲においてＡＩ−１に対応するリソース１およびＡＩ−２に対応するリソース２をＵＥに割り当ててよい。別の時刻において、基地局は、ＵＥのリソース要求に基づき、キャリア上の共通周波数範囲において、ＡＩ−１に対応するリソース２およびＡＩ−２に対応するリソース１をＵＥに割り当ててよい。このように、共通周波数範囲におけるリソースは、ＵＥのリソース要求に基づき、リアルタイムで動的に割り当てられることができ、それにより、リソース利用率を向上させ、より柔軟なリソース使用方式を提供する。
【０１３９】
前述の（１）において言及されている周波数範囲は代替的に、時間範囲であってよいことに注意すべきである。言い換えれば、本発明の本実施形態において提供されているＡＩ技術の設定方法において、時間範囲は代替的に、少なくとも２つのＡＩ技術のために設定されてよい。具体的には、第１の特定時間範囲および共通時間範囲は、少なくとも２つのＡＩ技術のために設定されてよい。言い換えれば、本発明の本実施形態において提供されている少なくとも２つのＡＩ技術の設定情報は、第１の特定時間範囲および共通時間範囲を含んでよい。第１の特定時間範囲は、基地局により予め設定された、少なくとも２つのＡＩ技術に対応する第１の時間サブ範囲を含む。第１の時間サブ範囲は、少なくとも２つのＡＩ技術に対応する制御情報を伝送するために用いられる。共通時間範囲は、ＵＥのリソース要求に基づき、少なくとも２つのＡＩ技術に対応するリソースを割り当てるために基地局により用いられる。
【０１４０】
共通周波数範囲は具体的に、ＵＥのリソース要求に基づき、少なくとも２つのＡＩ技術に対応する周波数リソースを割り当てるために基地局により用いられることが理解され得る。共通時間範囲は具体的に、ＵＥのリソース要求に基づき、少なくとも２つのＡＩ技術に対応する時間リソースを割り当てるために基地局により用いられる。
【０１４１】
例えば、図３Ａにおいて示されているように、基地局は、キャリア上の第１の特定時間範囲において、第１の時間サブ範囲ＡＡおよび第１の時間サブ範囲ＢＢを予め設定してよい。第１の時間サブ範囲ＡＡは、ＡＩ−１に対応する制御情報を伝送するために用いられ、第１の時間サブ範囲ＢＢは、ＡＩ−２に対応する制御情報を伝送するために用いられる。基地局は、ＵＥのリソース要求に基づき、キャリア上の共通時間範囲において、リアルタイムでリソースを動的に割り当ててよい。例えば、ある時点において、基地局は、ＵＥのリソース要求に基づき、キャリア上の共通時間範囲においてＡＩ−１に対応するリソース１ＡおよびＡＩ−２に対応するリソース２ＡをＵＥに割り当ててよい。別の時刻において、基地局は、ＵＥのリソース要求に基づき、キャリア上の共通時間範囲においてＡＩ−１に対応するリソース２ＡおよびＡＩ−２に対応するリソース１ＡをＵＥに割り当ててよい。このように、共通時間範囲におけるリソースは、ＵＥのリソース要求に基づき、リアルタイムで動的に割り当てられることができ、それにより、リソース利用率を向上させ、より柔軟なリソース使用方式を提供する。
【０１４２】
時間範囲の他の説明について、前述の実施形態における第１の周波数範囲および第１の周波数サブ範囲の関連説明を参照されたく、詳細はここでは再び説明されない。
【０１４３】
本発明の本実施形態において提供されているＡＩ技術の設定方法において、周波数範囲および時間範囲は代替的に、少なくとも２つのＡＩ技術のために設定されてよい。具体的には、第１の特定周波数範囲、共通周波数範囲、第１の特定時間範囲、および共通時間範囲は、少なくとも２つのＡＩ技術のために設定されてよい。言い換えれば、少なくとも２つのＡＩ技術の設定情報は、第１の特定周波数範囲、共通周波数範囲、第１の特定時間範囲、および共通時間範囲を含んでよい。
【０１４４】
本発明の本実施形態において提供されているＡＩ技術の設定方法において、少なくとも２つのＡＩ技術の設定情報の具体的な内容は、実際の使用要求に基づき決定されてよい。このことは、本発明の本実施形態において限定されない。
【０１４５】
（２）少なくとも２つのＡＩ技術の設定情報は、第１の特定周波数範囲、第２の特定周波数範囲、および共通周波数範囲を含む。第１の特定周波数範囲は、基地局により予め設定された、少なくとも２つのＡＩ技術に対応する第１の周波数サブ範囲を含む。第１の周波数サブ範囲は、少なくとも２つのＡＩ技術に対応する制御情報を伝送するために用いられる。第２の特定周波数範囲は、基地局により予め設定された、少なくとも２つのＡＩ技術のそれぞれに対応する第２の周波数サブ範囲を含む。第２の周波数サブ範囲は、ＵＥのリソース要求に基づき、ＡＩ技術に対応するリソースを割り当てるために基地局により用いられる。共通周波数範囲は、ＵＥのリソース要求に基づき、少なくとも２つのＡＩ技術に対応するリソースを割り当てるために、基地局により用いられる。
【０１４６】
前述の（２）において、第１の特定周波数範囲、第２の特定周波数範囲、および共通周波数範囲は、同じキャリア上の周波数範囲である。第２の特定周波数範囲における第２の周波数サブ範囲も、基地局により予め設定される。
【０１４７】
第１の特定周波数範囲、第１の周波数サブ範囲、および共通周波数範囲の説明について、具体的には、前述の（１）における第１の特定周波数範囲、第１の周波数サブ範囲、および共通周波数範囲の関連説明を参照されたく、詳細はここでは再び説明されない。
【０１４８】
少なくとも２つの第２の周波数サブ範囲が存在し得る。少なくとも２つの第２の周波数サブ範囲が存在するとき、少なくとも２つの第２の周波数サブ範囲は、少なくとも２つのＡＩ技術と一対一の対応関係にある。すなわち、１つの第２の周波数サブ範囲は、ＵＥのリソース要求に基づき、１つのＡＩ技術に対応するリソースを伝送するために基地局により用いられる。代替的に、少なくとも２つの第２の周波数サブ範囲が存在するとき、少なくとも２つの第２の周波数サブ範囲のうち１つが少なくとも２つのＡＩ技術のうちの一部に対応し、少なくとも２つの第２の周波数サブ範囲における、当該１つの第２の周波数サブ範囲以外の他の第２の周波数サブ範囲は、少なくとも２つのＡＩ技術における、当該一部のＡＩ技術以外の他のＡＩ技術に対応する。
【０１４９】
基地局が第２の周波数サブ範囲においてＡＩ技術に対応するリソースをＵＥに割り当てたとき、第２の周波数サブ範囲におけるリソースがＵＥのリソース要求を満たすことができない場合、基地局はさらに、共通周波数範囲において、ＡＩ技術に対応するリソースをＵＥに割り当ててよいことに注意すべきである。
【０１５０】
例えば、図４において示されているように、基地局は、キャリア上の第１の特定周波数範囲において、第１の周波数サブ範囲Ａおよび第１の周波数サブ範囲Ｂを予め設定してよい。第１の周波数サブ範囲Ａは、ＡＩ−１に対応する制御情報を伝送するために用いられ、第１の周波数サブ範囲Ｂは、ＡＩ−２に対応する制御情報を伝送するために用いられる。基地局は、キャリア上の第２の特定周波数範囲において、第２の周波数サブ範囲Ｃおよび第２の周波数サブ範囲Ｄを予め設定してよい。第２の周波数サブ範囲Ｃは、ＵＥのリソース要求に基づき、ＡＩ−１に対応するリソース１を割り当てるために基地局により用いられ、第２の周波数サブ範囲Ｄは、ＵＥのリソース要求に基づき、ＡＩ−２に対応するリソース２を割り当てるために基地局により用いられる。基地局は、ＵＥのリソース要求に基づき、キャリア上の共通周波数範囲において、リアルタイムでリソースを動的に割り当ててよい。例えば、ＴＴＩにおいて、第２の周波数サブ範囲Ｃおよび第２の周波数サブ範囲ＤにおけるリソースがＵＥのリソース要求を満たすことができない場合、基地局はさらに、キャリア上の共通周波数範囲において、ＡＩ−１に対応するリソース３およびＡＩ−２に対応するリソース４をＵＥに割り当ててよい。別の時刻において、第２の周波数サブ範囲Ｃおよび第２の周波数サブ範囲ＤにおけるリソースがまだＵＥのリソース要求を満たすことができない場合、基地局はさらに、キャリア上の共通周波数範囲において、ＡＩ−１に対応するリソース４およびＡＩ−２に対応するリソース３をＵＥに割り当ててよい。このように、共通周波数範囲におけるリソースは、ＵＥのリソース要求に基づき、リアルタイムで動的に割り当てられることができ、それにより、リソース利用率を向上させ、より柔軟なリソース使用方式を提供する。
【０１５１】
前述の（２）において言及されている周波数範囲は代替的に、時間範囲であってよいことに注意すべきである。言い換えれば、本発明の本実施形態において提供されているＡＩ技術の設定方法において、時間範囲は代替的に、少なくとも２つのＡＩ技術のために設定されてよい。具体的には、第１の特定時間範囲、第２の特定時間範囲、および共通時間範囲は、少なくとも２つのＡＩ技術のために設定されてよい。言い換えれば、本発明の本実施形態において提供されている少なくとも２つのＡＩ技術の設定情報は、第１の特定時間範囲、第２の特定時間範囲、および共通時間範囲を含んでよい。第２の特定時間範囲は、基地局により予め設定された、少なくとも２つのＡＩ技術のそれぞれに対応する第２の時間サブ範囲を含み、第２の時間サブ範囲は、ＵＥのリソース要求に基づき、ＡＩ技術に対応するリソースを割り当てるために基地局により用いられる。
【０１５２】
第２の時間サブ範囲は具体的に、ＵＥのリソース要求に基づき、ＡＩ技術に対応する時間リソースを割り当てるために基地局により用いられることが理解され得る。
【０１５３】
第１の特定時間範囲および共通時間範囲の説明について、前述の（１）における第１の特定時間範囲および共通時間範囲の関連説明を参照されたく、詳細はここでは再び説明されない。
【０１５４】
本発明の本実施形態において提供されているＡＩ技術の設定方法において、周波数範囲および時間範囲は代替的に、少なくとも２つのＡＩ技術のために設定されてよい。具体的には、第１の特定周波数範囲、第２の特定周波数範囲、共通周波数範囲、第１の特定時間範囲、第２の特定時間範囲、および共通時間範囲は、少なくとも２つのＡＩ技術のために設定されてよい。言い換えれば、少なくとも２つのＡＩ技術の設定情報は、第１の特定周波数範囲、第２の特定周波数範囲、共通周波数範囲、第１の特定時間範囲、第２の特定時間範囲、および共通時間範囲を含んでよい。
【０１５５】
本発明の本実施形態において提供されているＡＩ技術の設定方法において、少なくとも２つのＡＩ技術の設定情報の具体的な内容は、実際の使用要求に基づき、決定されてよい。このことは、本発明の本実施形態において限定されない。
【０１５６】
（３）少なくとも２つのＡＩ技術の設定情報は、ＭＡＣ機能ユニットの設定情報を含む。ＭＡＣ機能ユニットは、共通ＭＡＣ機能ユニットおよび少なくとも１つの特定ＭＡＣ機能ユニットのうち少なくとも１つを含む。共通ＭＡＣ機能ユニットは、少なくとも１つの特定ＭＡＣ機能ユニットに対応するか、または共通ＭＡＣ機能ユニットは、少なくとも２つのＡＩ技術に対応する。少なくとも１つの特定ＭＡＣ機能ユニットは、少なくとも２つのＡＩ技術に対応する。
【０１５７】
任意選択的に、少なくとも２つのＡＩ技術の設定情報はさらに、少なくとも２つのＡＩ技術と論理チャネルとの間のマッピング関係を含む。
【０１５８】
前述の（３）において、ＭＡＣ機能ユニットは、以下のいくつかの具体的な実現形式を有する。
【０１５９】
ａ．ＭＡＣ機能ユニットは、１つの共通ＭＡＣ機能ユニットを含む。
【０１６０】
図５において示されているように、本実施形態において、ＭＡＣ機能ユニットは、１つの共通ＭＡＣ機能ユニットのみを含んでよい。共通ＭＡＣ機能ユニットは、少なくとも２つのＡＩ技術に対応する。すなわち、共通ＭＡＣ機能ユニットは、少なくとも２つのＡＩ技術に対応する情報を処理するために用いられる。
【０１６１】
ｂ．ＭＡＣ機能ユニットは、少なくとも１つの特定ＭＡＣ機能ユニットを含む。
【０１６２】
図６において示されているように、本実施形態において、ＭＡＣ機能ユニットは、少なくとも１つの特定ＭＡＣ機能ユニットを含んでよい。少なくとも１つの特定ＭＡＣ機能ユニットは、少なくとも２つのＡＩ技術に対応する。すなわち、少なくとも１つの特定ＭＡＣ機能ユニットは、少なくとも２つのＡＩ技術に対応する情報を処理するために用いられる。図６において、２つのＡＩ技術、および２つの特定ＭＡＣ機能ユニットを含むＭＡＣ機能ユニットのみを例として説明のために用いる。図６において、２つの特定ＭＡＣ機能ユニットは、２つのＡＩ技術と一対一の対応関係にあり、各特定ＭＡＣ機能ユニットは、１つのＡＩ技術に対応する情報を処理するために用いられる。ＭＡＣ機能ユニットが２つより多い特定ＭＡＣ機能ユニットを含む場合は、図６における場合と同様であり、詳細はここでは再び説明されない。
【０１６３】
具体的には、ＭＡＣ機能ユニットが１つの特定ＭＡＣ機能ユニットのみを含むとき、特定ＭＡＣ機能ユニットの機能は、前述のａにおける共通ＭＡＣ機能ユニットの機能と同じであり、詳細はここでは再び説明されない。ＭＡＣ機能ユニットが少なくとも２つの特定ＭＡＣ機能ユニットを含むとき、少なくとも２つの特定ＭＡＣ機能ユニットは、少なくとも２つのＡＩ技術と一対一の対応関係にある。言い換えれば、各特定ＭＡＣ機能ユニットは、１つのＡＩ技術に対応し、各特定ＭＡＣ機能ユニットは、１つのＡＩ技術に対応する情報を処理するために用いられる。
【０１６４】
ｃ．ＭＡＣ機能ユニットは、１つの共通ＭＡＣ機能ユニットおよび少なくとも１つの特定ＭＡＣ機能ユニットを含む。
【０１６５】
図７において示されているように、本実施形態において、ＭＡＣ機能ユニットは、１つの共通ＭＡＣ機能ユニットおよび少なくとも１つの特定ＭＡＣ機能ユニットを含んでよい。共通ＭＡＣ機能ユニットは、少なくとも１つの特定ＭＡＣ機能ユニットに対応し、少なくとも１つの特定ＭＡＣ機能ユニットは、少なくとも２つのＡＩ技術と一対一の対応関係にある。図７において、２つのＡＩ技術および２つの特定ＭＡＣ機能ユニットのみを例として説明のために用いる。図７において、２つの特定ＭＡＣ機能ユニットは、２つのＡＩ技術と一対一の対応関係にあり、各特定ＭＡＣ機能ユニットは、１つのＡＩ技術に対応する情報を処理するために用いられる。ＭＡＣ機能ユニットが２つより多い特定ＭＡＣ機能ユニットを含む場合は、図７における場合と同様であり、詳細はここでは再び説明されない。
【０１６６】
少なくとも１つの特定ＭＡＣ機能ユニットの具体的な説明について、前述のｂにおける少なくとも１つの特定ＭＡＣ機能ユニットの関連説明を参照されたく、詳細はここでは再び説明されない。
【０１６７】
加えて、図５、図６、および図７はさらに、論理チャネル（ｌｏｇｉｃ  ｃｈａｎｎｅｌ、ＬＣＨ）と少なくとも２つのＡＩ技術との間の対応関係を示す。例えば、図５において示されているように、ＬＣＨ１、ＬＣＨ２、ＬＣＨ３、およびＬＣＨ４は全て、ＡＩ−１およびＡＩ−２に対応する。図６および図７において示されているように、ＬＣＨ１およびＬＣＨ２はＡＩ−２に対応し、ＬＣＨ３およびＬＣＨ４はＡＩ−１に対応する。 
【０１６８】
図５、図６、および図７は、例として、１つのキャリア（例えば、キャリア１またはＣＣ１）のみを用いることにより説明されることに注意すべきである。実際の応用において、複数のキャリアがさらに含まれてよく、ＡＩ−１およびＡＩ−２などの少なくとも２つのＡＩ技術が、各キャリア上で用いられる。
【０１６９】
本発明の本実施形態において、ＵＥは、基地局により送信された設定情報に基づき、ＵＥにおけるＭＡＣ機能ユニットを前述の３つの形態に設定し、これにより、ＵＥは、同じキャリア上での少なくとも２つのＡＩ技術の使用においてサポートを受けることができ、それにより、同じキャリア上でのリソースの利用率および使用柔軟性が向上する。
【０１７０】
任意選択的に、本発明の本実施形態において、基地局は、ＲＲＣ接続再設定メッセージを用いることにより、少なくとも２つのＡＩ技術の設定情報をＵＥへ送信してよい。
【０１７１】
具体的には、まず、基地局は、最初にＵＥのためにＡＩ−１を設定する。例えば、ＡＩ−１は、ロングタームエボリューション（ｌｏｎｇ  ｔｅｒｍ  ｅｖｏｌｕｔｉｏｎ、ＬＴＥ）システムによりサポートを受けるＡＩ技術であってよい。そして、ＵＥは、従来技術に従って、基地局へのＲＲＣ接続を確立する（従来技術におけるＲＲＣ接続確立処理を参照されたく、詳細はここでは説明されない）。最後に、基地局は、ＲＲＣ接続再設定メッセージをＵＥへ送信する。ＲＲＣ接続再設定メッセージは、設定される必要がある少なくとも２つのＡＩ技術の設定情報を含む。
【０１７２】
例えば、少なくとも２つのＡＩ技術のそれぞれが位置するキャリアのインデックス（すなわち、ＡＩ技術とセルとの間の関連、ここで、インデックスは、例えば、キャリア１またはＣＣ１である）、各ＡＩ技術に対応するセルの物理セル識別子、各ＡＩ技術に対応するＥＰＤＣＣＨの設定情報、各ＡＩ技術に対応する物理共有チャネル（ｐｈｙｓｉｃａｌ  ｓｈａｒｅｄ  ｃｈａｎｎｅｌ、ＰＳＣＨ）の設定情報、各ＡＩ技術に対応するＰＵＣＣＨの設定情報、サウンディング参照信号（ｓｏｕｎｄｉｎｇ  ｒｅｆｅｒｅｎｃｅ  ｓｉｇｎａｌ、ＳＲＳ）の設定情報、無線リソース管理（ｒａｄｉｏ  ｒｅｓｏｕｒｃｅ  ｍａｎａｇｅｍｅｎｔ、ＲＲＭ）測定の設定情報、チャネル状態情報（ｃｈａｎｎｅｌ  ｓｔａｔｅ  ｉｎｆｏｒｍａｔｉｏｎ、ＣＳＩ）測定の設定情報、クロスキャリアスケジューリングの設定情報、および同様のものは、ＲＲＣ接続再設定メッセージにおけるＡＩ技術追加／変更メッセージリスト（ＡＩＴｏＡｄｄＭｏｄＬｉｓｔ）において示されてよい。前述の設定情報は、ＡＩ技術の設定情報に関連付けられる。ＡＩ技術の設定情報は主に、フレーム構造、多重接続方式、および波形などの最も基本の物理層設定情報を含む。加えて、基地局は、各ＡＩ技術のユニバーサル無線リソース設定情報を、システム情報（ｓｙｓｔｅｍ  ｉｎｆｏｒｍａｔｉｏｎ、ＳＩ）に追加してよい。
【０１７３】
任意選択的に、基地局はさらに、ＡＩ技術に対して、アクティブ化または非アクティブ化動作を実行してよい。例えば、ＵＥがＡＩ−１を用いることによりサービス伝送を完了した後に、ＵＥがＡＩ−１に対して他のサービス要求を一時的に有しない場合、基地局は、ＵＥのためにＡＩ−１を非アクティブ化してよい。さらに、基地局がＡＩ−１を非アクティブ化した後に、ＵＥは、これ以上、ＡＩ−１を用いることにより基地局と通信を行わない。例えば、ＵＥは、これ以上、ＡＩ−１を用いることによりデータを受信しないか、または、これ以上、ＡＩ−１を用いることによりデータを送信しない。ある期間後に、ＵＥがさらにＡＩ−１に対して他のサービス要求を有する場合、基地局は再び、ＵＥのためにＡＩ−１をアクティブ化してよい。
【０１７４】
さらに、ＵＥがセル１におけるＡＩ−１を用いるものと仮定する。ＵＥがセル１からセル２へハンドオーバされたとき、セル２にサービスを提供する基地局は、ＵＥのためにＡＩ−２を設定してよい。加えて、ＵＥが任意のサービスのためにＡＩ−２を使用しないとき、基地局は、ＡＩ−２と、基地局によりＵＥに割り当てられた、ＡＩ−２に対応するリソースとを削除してよい。
【０１７５】
本発明の本実施形態において、基地局は、ＡＩ技術をアクティブ化または非アクティブ化してよく、基地局は、必要とされないＡＩと、ＡＩ技術に対応するリソースとを削除してよい。従って、複数のＡＩ技術の使用柔軟性を向上させることができ、基地局が複数のＡＩ技術をサポートするとき、キャリア上でリソースを比較的柔軟に用いることができ、それにより、リソース利用率を向上させる。
【０１７６】
任意選択的に、図２に関連して、図８において示されているように、本発明の本実施形態において提供されているＡＩ技術の設定方法はさらに、以下の段階を含んでよい。
【０１７７】
Ｓ１０６：基地局が、同じキャリア上で少なくとも２つのＡＩ技術に対応するリソースをＵＥに割り当てる。
【０１７８】
Ｓ１０７：基地局が、リソース割り当て情報のリソース位置を決定し、ここで、リソース割り当て情報は、各ＡＩ技術に対応するリソースを示すために用いられる。
【０１７９】
本発明の本実施形態において、Ｓ１０７は具体的に、以下のうち１つとして実装されてよい。
【０１８０】
Ｓ１０７ａ：基地局は、予め設定されたサブキャリア間隔と少なくとも２つのＡＩ技術のそれぞれに対応するＴＴＩの長さとに基づき、リソース割り当て情報のリソース位置を決定し、ここで、リソース割り当て情報は、ＡＩ技術に対応するリソースを示すために用いられる。
【０１８１】
例えば、少なくとも２つのＡＩ技術がＡＩ−１およびＡＩ−２を含むものと仮定する。この場合、Ｓ１０７ａにおける方法を用いることにより、基地局は、予め設定されたサブキャリア間隔とＡＩ−１に対応するＴＴＩの長さとに基づき、ＡＩ−１に対応するリソース割り当て情報のリソース位置を決定してよい。リソース割り当て情報は、ＡＩ−１に対応するリソースを示すために用いられる。それに対応して、基地局は、予め設定されたサブキャリア間隔とＡＩ−２に対応するＴＴＩの長さとに基づき、ＡＩ−２に対応するリソース割り当て情報のリソース位置を決定してよい。リソース割り当て情報は、ＡＩ−２に対応するリソースを示すために用いられる。
【０１８２】
Ｓ１０７ｂ：基地局は、少なくとも２つのＡＩ技術のそれぞれのサブキャリア間隔とＡＩ技術のＴＴＩの長さとに基づき、リソース割り当て情報のリソース位置を決定し、ここで、リソース割り当て情報は、ＡＩ技術に対応するリソースを示すために用いられる。
【０１８３】
例えば、少なくとも２つのＡＩ技術がＡＩ−１およびＡＩ−２を含むものと仮定する。この場合、Ｓ１０７ｂにおける方法を用いることにより、基地局は、ＡＩ−１のサブキャリア間隔とＡＩ−１のＴＴＩの長さとに基づき、ＡＩ−１のリソース割り当て情報のリソース位置を決定してよい。リソース割り当て情報は、ＡＩ−１に対応するリソースを示すために用いられる。それに対応して、基地局は、ＡＩ−２のサブキャリア間隔とＡＩ−２のＴＴＩの長さとに基づき、ＡＩ−２のリソース割り当て情報のリソース位置を決定してよい。リソース割り当て情報は、ＡＩ−２に対応するリソースを示すために用いられる。
【０１８４】
Ｓ１０７ｃ：基地局は、少なくとも２つのＡＩ技術のそれぞれに対応する第１の周波数サブ範囲において、ＡＩ技術のサブキャリア間隔とＡＩ技術のＴＴＩの長さとに基づき、リソース割り当て情報のリソース位置を決定し、ここで、リソース割り当て情報は、ＡＩ技術に対応するリソースを示すために用いられる。
【０１８５】
例えば、少なくとも２つのＡＩ技術がＡＩ−１およびＡＩ−２を含むものと仮定する。この場合、Ｓ１０７ｃにおける方法を用いることにより、基地局は、ＡＩ−１のサブキャリア間隔とＡＩ−１のＴＴＩの長さとに基づき、ＡＩ−１に対応する第１の周波数サブ範囲においてＡＩ−１のリソース割り当て情報のリソース位置を決定してよい。リソース割り当て情報は、ＡＩ−１に対応するリソースを示すために用いられる。それに対応して、基地局は、ＡＩ−２に対応する第１の周波数サブ範囲において、ＡＩ−２のサブキャリア間隔とＡＩ−２のＴＴＩの長さとに基づき、ＡＩ−２のリソース割り当て情報のリソース位置を決定してよい。リソース割り当て情報は、ＡＩ−２に対応するリソースを示すために用いられる。
【０１８６】
Ｓ１０７ａおよびＳ１０７ｂは、１つの第１の周波数サブ範囲が存在する場合に対応し、Ｓ１０７ｃは、少なくとも２つの第１の周波数サブ範囲が存在する場合に対応することに注意すべきである。
【０１８７】
Ｓ１０８：基地局が、リソース位置に基づき、リソース割り当て情報をＵＥへ送信する。
【０１８８】
Ｓ１０９：ＵＥが、リソース割り当て情報のリソース位置を決定し、ここで、リソース割り当て情報は、各ＡＩ技術に対応するリソースを示すために用いられる。
【０１８９】
Ｓ１０９において、ＵＥにより用いられる、リソース割り当て情報のリソース位置を決定する方法は、Ｓ１０７において示されている、基地局により用いられる、リソース割り当て情報のリソース位置を決定する方法と同様である。具体的な説明について、Ｓ１０７ａ、Ｓ１０７ｂ、およびＳ１０７ｃにおける関連説明を参照されたく、詳細はここでは再び説明されない。
【０１９０】
本発明の本実施形態におけるＳ１０６からＳ１０８およびＳ１０９の実行順序に対して限定が課されないことに注意すべきである。すなわち、本発明の本実施形態において、Ｓ１０６からＳ１０８がまず実行されてよく、Ｓ１０９が次に実行されてよく、または、Ｓ１０９がまず実行されてよく、Ｓ１０６からＳ１０８が次に実行されてよい。代替的に、Ｓ１０６からＳ１０８およびＳ１０９は、同時に実行されてよい。
【０１９１】
Ｓ１１０：ＵＥが、リソース位置に基づき、基地局により送信されたリソース割り当て情報を受信する。
【０１９２】
基地局が各ＡＩ技術に対応するリソース割り当て情報のリソース位置を決定した後に、基地局は、リソース位置に基づき、リソース割り当て情報をＵＥへ送信してよい。それに対応して、ＵＥが各ＡＩ技術に対応するリソース割り当て情報のリソース位置を決定した後に、ＵＥは、リソース位置に基づき、基地局により送信されたリソース割り当て情報を受信してよく、これにより、ＵＥは、リソース割り当て情報に基づき、各ＡＩ技術に対応するリソースを決定してよい。
【０１９３】
本発明の本実施形態において、基地局およびＵＥは、リソース割り当て情報のリソース位置を決定するための方法に対して予め合意してよい。すなわち、基地局およびＵＥは、同じ方法を用いてリソース割り当て情報のリソース位置を決定することに予め合意してよい。例えば、基地局およびＵＥは、Ｓ１０７ａにおいて示されている方法を用いてリソース割り当て情報のリソース位置を決定することに予め合意してよく、基地局およびＵＥは、Ｓ１０７ｂにおいて示されている方法を用いてリソース割り当て情報のリソース位置を決定することに予め合意してよく、または、基地局およびＵＥは、Ｓ１０７ｃにおいて示されている方法を用いてリソース割り当て情報のリソース位置を決定することに予め合意してよい。具体的には、合意／選択は、実際の使用要求に基づき、実行されてよい。このことは、本発明の本実施形態において限定されない。
【０１９４】
本発明の本実施形態において、基地局およびＵＥは、予め合意された方法に基づき、リソース割り当て情報のリソース位置を決定してよい。従って、基地局がリソース位置でリソース割り当て情報をＵＥへ送信したとき、ＵＥは、リソース位置でリソース割り当て情報を受信することができる。さらに、ＵＥは、リソース割り当て情報に基づき、基地局によりＵＥに割り当てられたリソースを知ることができ、当該リソース上でサービスを伝送することができる。
【０１９５】
任意選択的に、Ｓ１１０の後に、本発明の本実施形態において提供されているＡＩ技術の設定方法はさらに、以下の段階を含んでよい。
【０１９６】
Ｓ２０１：ＵＥが、リソース割り当て情報により示されたリソースを決定する。
【０１９７】
Ｓ２０２：ＵＥおよび基地局が、リソース上でサービスを伝送する。
【０１９８】
本発明の本実施形態において、ＵＥが基地局により送信されたリソース割り当て情報を受信した後に、ＵＥは、リソース割り当て情報により示されたリソースを決定してよい。具体的には、リソース割り当て情報により示されたリソースは、サービスを伝送するためにＵＥおよび基地局により用いられ、通常、ＵＥおよび基地局は、物理ダウンリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）、または物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を用いることにより、サービスを伝送してよい。従って、ＵＥは、ＰＤＳＣＨまたはＰＵＳＣＨ上でリソース割り当て情報により示されたリソースを決定してよい。ＵＥおよび基地局がダウンリンクサービスを伝送する場合、ＵＥおよび基地局は、ＰＤＳＣＨ上でダウンリンクサービスを伝送してよい。ＵＥおよび基地局がアップリンクサービスを伝送する場合、ＵＥおよび基地局は、ＰＵＳＣＨ上でアップリンクサービスを伝送してよい。
【０１９９】
任意選択的に、本発明の本実施形態において、Ｓ２０１は具体的に、Ｓ２０１ａ、Ｓ２０１ｂ、およびＳ２０１ｃのうち少なくとも１つとして実装されてよい。
【０２００】
Ｓ２０１ａ：ＵＥが、予め設定されたサブキャリア間隔と、少なくとも２つのＡＩ技術のそれぞれに対応するＴＴＩの長さとに基づき、リソース割り当て情報により示されたリソースを決定する。
【０２０１】
Ｓ２０１ｂ：ＵＥが、少なくとも２つのＡＩ技術のそれぞれのサブキャリア間隔と、ＡＩ技術のＴＴＩの長さとに基づき、リソース割り当て情報により示されたリソースを決定する。
【０２０２】
Ｓ２０１ｃ：ＵＥが、少なくとも２つのＡＩ技術のそれぞれに対応する第２の周波数サブ範囲において、ＡＩ技術のサブキャリア間隔とＡＩ技術のＴＴＩの長さとに基づき、リソース割り当て情報により示されたリソースを決定する。
【０２０３】
Ｓ２０１ａの説明について、具体的には、Ｓ１０７ａにおける関連説明を参照されたい。Ｓ２０１ｂの説明について、具体的には、Ｓ１０７ｂにおける関連説明を参照されたい。Ｓ２０１ｃの説明について、具体的には、Ｓ１０７ｃにおける関連説明を参照されたい。詳細はここでは再び説明されない。
【０２０４】
任意選択的に、図２に関連して、本発明の本実施形態において提供されているＡＩ技術の設定方法はさらに、以下の段階を含んでよい。
【０２０５】
Ｓ１１１：基地局が、少なくとも２つのＡＩ技術に対応する測定情報をＵＥへ送信し、ここで、測定情報は、測定を実行するようＵＥに命令するために用いられる。
【０２０６】
任意選択的に、本発明の本実施形態において、測定情報は具体的に、以下のいくつかの可能な実装方式形態を有してよい。
【０２０７】
一可能な実装方式が、測定情報は測定対象を含み、測定対象は各ＡＩ技術に対応する第１の周波数範囲であることである。
【０２０８】
本発明の本実施形態において、測定情報は、１つまたは少なくとも２つの測定対象を含んでよい。測定情報が１つの測定対象を含むとき、少なくとも２つのＡＩ技術の全てが測定対象に対応する。測定情報が少なくとも２つの測定対象を含むとき、各ＡＩ技術は、１つの測定対象に対応する。
【０２０９】
例えば、１つの測定対象が存在する場合、１つの第１の周波数範囲が存在する。ＡＩ技術ごとに、ＵＥは、第１の周波数範囲において測定を実行し得る。少なくとも２つの測定対象が存在する場合、少なくとも２つの第１の周波数範囲が存在する。ＡＩ技術ごとに、ＵＥは、ＡＩ技術に対応する第１の周波数範囲において測定を実行し得る。
【０２１０】
他の可能な実装方式が、測定情報は、測定対象および測定サブ対象を含み、測定対象は、各ＡＩ技術に対応するキャリアであり、測定サブ対象は、各ＡＩ技術に対応する第１の周波数範囲であることである。
【０２１１】
本発明の本実施形態において、測定情報は、１つまたは少なくとも２つの測定対象および測定サブ対象を含んでよい。具体的に、以下のいくつかの組み合わせが含まれてよい。
【０２１２】
Ａ．測定情報は、１つの測定対象および１つの測定サブ対象を含む。少なくとも２つのＡＩ技術の全ては、測定対象および測定サブ対象に対応する。
【０２１３】
例えば、１つの測定対象および１つの測定サブ対象が存在する場合、１つのキャリアおよび１つの第１の周波数範囲が存在する。ＡＩ技術ごとに、ＵＥは、キャリア上で第１の周波数範囲において測定を実行してよい。
【０２１４】
Ｂ．測定情報は、１つの測定対象および少なくとも２つの測定サブ対象を含む。少なくとも２つのＡＩ技術の全ては、測定対象に対応し、各ＡＩ技術は、１つの測定サブ対象に対応する。
【０２１５】
例えば、１つの測定対象および少なくとも２つの測定サブ対象が存在する場合、１つのキャリアおよび少なくとも２つの第１の周波数範囲が存在する。ＡＩ技術ごとに、ＵＥはキャリア上のＡＩ技術に対応する第１の周波数範囲において測定を実行してよい。
【０２１６】
Ｃ．測定情報は、少なくとも２つの測定対象および少なくとも２つの測定サブ対象を含む。各ＡＩ技術が１つの測定対象および１つの測定サブ対象に対応する。
【０２１７】
例えば、少なくとも２つの測定対象および少なくとも２つの測定サブ対象が存在する場合、少なくとも２つのキャリアおよび少なくとも２つの第１の周波数範囲が存在する。ＡＩ技術ごとに、ＵＥは、キャリア上でＡＩ技術に対応する第１の周波数範囲において測定を実行してよい。
【０２１８】
任意選択的に、本発明の本実施形態において、測定情報はさらに、少なくとも１つのサブフレーム設定情報を含んでよく、少なくとも１つのサブフレーム設定情報は、少なくとも１つのサブフレーム設定情報により示されたサブフレーム上で測定を実行するようＵＥに命令するために用いられる。
【０２１９】
例えば、測定情報が１つのサブフレーム設定情報を含むとき、全てのＡＩ技術は、サブフレーム設定情報に対応する。すなわち、ＡＩ技術ごとに、ＵＥは、サブフレーム設定情報により示されたサブフレーム上で測定を実行する。測定情報が少なくとも２つのサブフレーム設定情報を含むとき、各ＡＩ技術は、１つのサブフレーム設定情報に対応する。すなわち、ＡＩ技術ごとに、ＵＥは、ＡＩ技術に対応するサブフレーム設定情報により示されたサブフレーム上で測定を実行する。
【０２２０】
本発明の本実施形態において提供されているＡＩ技術の設定方法において、複数のＡＩ技術の場合にＵＥにより実行されている測定をサポートすることができるので、ＵＥ移動管理およびより効率的なリソース割り当てを複数のＡＩ技術の場合に実装することができる。
【０２２１】
任意選択的に、図２に関連して、本発明の本実施形態において提供されているＡＩ技術の設定方法はさらに、以下の段階を含んでよい。
【０２２２】
Ｓ１１２：第１のＴＴＩにおいて、基地局が、第１の周波数範囲において少なくとも２つのＡＩ技術における第１のＡＩ技術に対応する測定情報をアクティブ化し、第２の周波数範囲において第１のＡＩ技術に対応する測定情報を非アクティブ化する。
【０２２３】
本発明の本実施形態において、基地局が第１のＴＴＩにおいて、第１の周波数範囲を第１のＡＩ技術に割り当てるものと仮定する。すなわち、第１のＴＴＩにおいて、ＵＥは、通信のために第１の周波数範囲において第１のＡＩ技術を用いる。第１のＴＴＩにおいて、基地局は、第１の周波数範囲において、第１のＡＩ技術に対応する、（測定対象、または測定対象および測定サブ対象を含む）測定情報をアクティブ化し、第２の周波数範囲（第１のＴＴＩの前に基地局により第１のＡＩ技術に割り当てられた周波数範囲）において、第１のＡＩ技術に対応する測定情報を非アクティブ化する。基地局が第２のＴＴＩにおいて第２の周波数範囲を第１のＡＩ技術に割り当てるものと仮定する。すなわち、第２のＴＴＩにおいて、ＵＥは、通信のために第２の周波数範囲において第１のＡＩ技術を用いる。第２のＴＴＩにおいて、基地局は、第２の周波数範囲において、第１のＡＩ技術に対応する測定情報をアクティブ化し、第１の周波数範囲（第２のＴＴＩの前に第１のＴＴＩにおいて基地局により第１のＡＩ技術に割り当てられた周波数範囲）において、第１のＡＩ技術に対応する測定情報を非アクティブ化する。このように、ＵＥにより実行される測定が各ＡＩ技術に対応する周波数範囲およびＴＴＩにおける変更に柔軟に適応されることができることを保証できる。
【０２２４】
第１のＡＩ技術に対応する測定情報を基地局によりアクティブ化することは具体的には、第１のＡＩ技術に対応する測定対象、または、第１のＡＩ技術に対応する測定対象および測定サブ対象を基地局によりアクティブ化することであってよい。第１のＡＩ技術に対応する測定情報を基地局により非アクティブ化することは具体的に、第１のＡＩ技術に対応する測定対象、または、第１のＡＩ技術に対応する測定対象および測定サブ対象を基地局により非アクティブ化することであってよい。
【０２２５】
第１の周波数範囲および第２の周波数範囲は、前述の共通周波数範囲における２つの周波数範囲であってよい。
【０２２６】
例えば、図９において示されているように、図９は、ＴＴＩにおいて、本発明の実施形態に係る、周波数範囲におけるＡＩ技術のアクティブ化、および、別の周波数範囲（ＴＴＩの前に基地局によりＡＩ技術に割り当てられｒた周波数範囲）におけるＡＩ技術の非アクティブ化の概略図である。
【０２２７】
図９において、ＡＩ技術がＡＩ−１であり、基地局がＴＴＩ−１において周波数範囲１をＡＩ−１に割り当て、かつ、基地局がＴＴＩ−２において周波数範囲２をＡＩ−１に割り当てるものと仮定する。ＴＴＩ−２において、基地局は、周波数範囲２においてＡＩ−１に対応する測定情報をアクティブ化し、周波数範囲１においてＡＩ−１に対応する測定情報を非アクティブ化する必要がある。基地局がさらにＴＴＩ−３において周波数範囲１をＡＩ−１に割り当てるものと仮定する。ＴＴＩ−３において、基地局は、周波数範囲１においてＡＩ−１に対応する測定情報をアクティブ化し、周波数範囲２においてＡＩ−１に対応する測定情報を非アクティブ化する必要がある。
【０２２８】
ＵＥにより実行される測定は、ＲＲＭ測定、ＣＳＩ測定、および同様のものを含んでよいことに注意すべきである。Ｓ１１１およびＳ１１２において説明される内容は全て、ＲＲＭ測定についてのものである。ＣＳＩ測定において、ＡＩ技術ごとに、基地局は、ＡＩ技術に基づき、ＣＳＩ測定帯域幅範囲において全帯域幅測定およびサブバンド測定を設定してよい。サブバンド測定において、各サブバンドは、ＡＩ技術のための測定帯域幅の一部である。複数のサブバンドの和が、ＡＩ技術の測定帯域幅未満であるか、またはＡＩ技術の測定帯域幅に等しい。
【０２２９】
さらに、ＲＲＭ測定は、移動管理を実行するためにＵＥにより用いられてよく、ＣＳＩ測定は、リソースをＵＥに動的に割り当てるために基地局により用いられてよい。
【０２３０】
本発明の本実施形態において提供されているＡＩ技術の設定方法において、ＡＩ技術に対応する測定情報をアクティブ化および非アクティブ化することができるので、ＵＥにより実行される測定が各ＡＩ技術に対応する周波数範囲おおびＴＴＩにおける変更に柔軟に適応されることができることを保証できる。
【０２３１】
本発明の本実施形態において提供されているＡＩ技術の設定方法は、基地局間ハンドオーバシナリオ、デュアルコネクティビティシナリオ、または基地局間のキャリアアグリゲーションシナリオに適用されてよい。基地局間ハンドオーバシナリオは、例として用いられる。ＵＥにサービスを提供する現在の基地局が基地局１であるものと仮定する。基地局１の信号品質が予め設定された条件を満たさない（例えば、基地局１の信号品質が予め設定された信号品質閾値未満である）と基地局１が決定したとき、基地局１は、基地局１に隣接する（基地局２であると仮定される）基地局の信号品質を測定するようＵＥを設定する必要がある。基地局１が基地局２の信号品質を測定するようＵＥを設定する前に、基地局１はまず、基地局２によりサポートを受ける少なくとも２つのＡＩ技術の測定設定情報を取得する必要がある。
【０２３２】
例えば、本発明の本実施形態において提供されているＡＩ技術の設定方法はさらに、Ｓ１およびＳ２を含んでよい。
【０２３３】
Ｓ１：基地局１が、要求メッセージを基地局２へ送信し、ここで、要求メッセージは、基地局２によりサポートを受ける少なくとも２つのＡＩ技術の測定設定情報を要求するために用いられる。
【０２３４】
基地局２によりサポートを受ける少なくとも２つのＡＩ技術の測定設定情報は、基地局２のサービングセルおよび基地局２の近接セル（すなわち、基地局２のサービングセルに隣接するセル）によりサポートあれる少なくとも２つのＡＩ技術の測定設定情報である。基地局２のサービングセルおよび基地局２の近接セルによりサポートを受ける少なくとも２つのＡＩ技術は、基地局２のサービングセルおよび基地局２の近接セルによりサポートを受けるＡＩ技術の一部または全てを含んでよい。
【０２３５】
本発明の本実施形態において、要求メッセージは、測定設定情報を基地局１により取得する必要がある少なくとも２つのＡＩ技術の識別子を含んでよい。基地局２が基地局１により送信された要求メッセージを受信した後に、基地局２は、要求メッセージにおいて保持されている識別子に基づき、測定設定情報を基地局１により取得する必要がある少なくとも２つのＡＩ技術を決定してよい。
【０２３６】
任意選択的に、本発明の本実施形態において、測定設定情報を基地局１により取得する必要がある少なくとも２つのＡＩ技術の識別子は、少なくとも２つのＡＩ技術のインデックス、少なくとも２つのＡＩ技術のＩＤ、または同様のものであってよい。具体的には、識別子は、実際の使用要求に基づき、決定されてよい。このことは、本発明の本実施形態において限定されない。測定設定情報を基地局１により取得する必要がある少なくとも２つのＡＩ技術の識別子は、基地局２のサービングセルおよび基地局２の近接セルによりサポートを受けるＡＩ技術の一部または全ての識別子を含んでよいことが理解され得る。
【０２３７】
任意選択的に、本発明の本実施形態において、Ｓ１における要求メッセージは、基地局１と基地局２との間のＸ２インターフェースを確立するためのＸ２確立要求メッセージにおいて保持されてよい。すなわち、基地局１は、要求メッセージをＸ２確立要求メッセージに追加することにより、要求メッセージを基地局２へ送信してよい。
【０２３８】
任意選択的に、本発明の本実施形態において、Ｓ１における要求メッセージは、基地局１と基地局２との間のＸ２インターフェースを用いることにより送信されてよい。すなわち、基地局１は、基地局１と基地局２との間のＸ２インターフェースを用いることにより、要求メッセージを基地局２へ送信してよい。
【０２３９】
Ｓ２：基地局２が、第１の応答メッセージを基地局１へ送信し、ここで、第１の応答メッセージは、基地局２によりサポートを受ける少なくとも２つのＡＩ技術の測定設定情報を戻すために用いられる。
【０２４０】
任意選択的に、本発明の本実施形態において、基地局２によりサポートを受ける少なくとも２つのＡＩ技術の測定設定情報は、基地局２のサービングセル基地局２の近接セルによりサポートを受ける少なくとも２つのＡＩ技術に対応する周波数セグメント、少なくとも２つのＡＩ技術に対応する周波数セグメントと、中心周波数セグメントとの間のオフセット、少なくとも２つのＡＩ技術の測定帯域幅、少なくとも２つのＡＩ技術の測定領域の上方および下方境界、少なくとも２つのＡＩ技術に対応する測定信号の位置、少なくとも２つのＡＩ技術に対応する測定時刻、および同様のもののうち少なくとも１つであってよい。
【０２４１】
測定時刻は、サブフレーム、符号、タイムスロット（ｓｌｏｔ）、またはミニスロット（ｍｉｎｉ−ｓｌｏｔ）などの、測定のために用いられることができる任意の時間単位であってよい。具体的には、時間単位は、実際の使用要求に基づき、決定されてよい。このことは本発明の本実施形態において限定されない。
【０２４２】
任意選択的に、本発明の本実施形態において、Ｓ２における第１の応答メッセージは、基地局１と基地局２との間のＸ２インターフェースを確立するためのＸ２確立応答メッセージにおいて保持されてよい。すなわち、基地局２は、第１の応答メッセージをＸ２確立応答メッセージに追加することにより、第１の応答メッセージを基地局１へ送信してよい。
【０２４３】
任意選択的に、本発明の本実施形態において、Ｓ２における第１の応答メッセージは、基地局１と基地局２との間のＸ２インターフェースを用いることにより送信されてよい。すなわち、基地局２は、基地局１と基地局２との間のＸ２インターフェースを用いることにより、第１の応答メッセージを基地局１へ送信してよい。
【０２４４】
任意選択的に、本発明の本実施形態において、基地局２は、基地局１の信号品質を測定するようＵＥを設定する必要があってもよい。例えば、可能な実装方式が、Ｓ１は以下のＳ１０と置き換えられてよいことである。
【０２４５】
Ｓ１０：基地局１が、要求メッセージおよび基地局１によりサポートを受ける少なくとも２つのＡＩ技術の測定設定情報を、基地局２へ送信する。
【０２４６】
基地局１によりサポートを受ける少なくとも２つのＡＩ技術の測定設定情報は、基地局１のサービングセルおよび基地局１近接セルによりサポートを受ける少なくとも２つのＡＩ技術に対応する周波数セグメント、少なくとも２つのＡＩ技術に対応する周波数セグメントと中心周波数セグメントとの間のオフセット、少なくとも２つのＡＩ技術の測定帯域幅、少なくとも２つのＡＩ技術の測定領域の上方および下方境界、少なくとも２つのＡＩ技術に対応する測定信号の位置、ならびに少なくとも２つのＡＩ技術の対応する測定時刻のうち少なくとも１つであってよい。
【０２４７】
測定時刻の説明について、基地局２によりサポートを受ける少なくとも２つのＡＩ技術の測定設定情報における測定時刻の関連説明を参照されたく、詳細はここでは再び説明されない。
【０２４８】
基地局１により基地局２へ送信される要求メッセージの説明について、Ｓ１において基地局１により基地局２へ送信される要求メッセージの関連説明を参照されたい。基地局１によりサポートを受ける少なくとも２つのＡＩ技術の測定設定情報の他の説明について、Ｓ１において基地局２によりサポートを受ける少なくとも２つのＡＩ技術の測定設定情報の関連説明を参照されたい。詳細はここで再び説明されない。
【０２４９】
任意選択的に、本発明の本実施形態において、基地局２は、基地局１の信号品質を測定するようＵＥを設定する必要があってもよい。例えば、別の可能な実装方式が、Ｓ１は以下のＳ１１と置き換えられてよく、Ｓ２は以下のＳ２１と置き換えられてよいということである。
【０２５０】
Ｓ１１：基地局１が、基地局１によりサポートを受ける少なくとも２つのＡＩ技術の測定設定情報を基地局２へ送信する。
【０２５１】
Ｓ２１：基地局２が、第２の応答メッセージを基地局１へ送信し、ここで、第２の応答メッセージは、基地局２が基地局１によりサポートを受ける少なくとも２つのＡＩ技術の測定設定情報を成功に受信されていることを確認するために用いられる。
【０２５２】
基地局１によりサポートを受ける少なくとも２つのＡＩ技術の測定設定情報の説明について、Ｓ１において基地局２によりサポートを受ける少なくとも２つのＡＩ技術の測定設定情報の関連説明、およびＳ１０において基地局１によりサポートを受ける少なくとも２つのＡＩ技術測定設定情報の関連説明を参照されたく、詳細はここでは再び説明されない。
【０２５３】
本発明の本実施形態において、Ｓ２１は実行されなくてよいことに注意すべきである。言い換えれば、基地局１がＳ１１を実行した後に、基地局１は、ある期間（例えば、予め設定された期間）において、基地局２により送信された第２の応答メッセージを受信しない場合、基地局１は代替的に、基地局２が基地局１によりサポートを受ける少なくとも２つのＡＩ技術の測定設定情報を成功に受信しているとみなしてよい。
【０２５４】
任意選択的に、基地局２によりサポートを受ける少なくとも２つのＡＩ技術の測定設定情報が変更されたとき、本発明の本実施形態において提供されているＡＩ技術の設定方法はさらに、以下の段階を含んでよい。
【０２５５】
Ｓ３：基地局２が、第１の設定変更メッセージを基地局１へ送信し、ここで、第１の設定変更メッセージは、基地局２によりサポートを受ける少なくとも２つのＡＩ技術の測定設定情報が変更されたことを示すために用いられる。
【０２５６】
任意選択的に、本発明の本実施形態において、基地局２によりサポートを受ける少なくとも２つのＡＩ技術の変更された測定設定情報について、Ｓ２において基地局２によりサポートを受ける少なくとも２つのＡＩ技術の測定設定情報の関連説明を参照されたく、詳細はここでは再び、説明されない。
【０２５７】
本発明の本実施形態において、Ｓ３における第１の設定変更メッセージは、基地局設定更新メッセージにおいて保持されてよい。すなわち、基地局２は、第１の設定変更メッセージを基地局設定更新メッセージに追加することにより、第１の設定変更メッセージを基地局１へ送信してよい。
【０２５８】
本発明の本実施形態において、基地局１によりサポートを受ける少なくとも２つのＡＩ技術の測定設定情報が変更されたとき、基地局１は代替的に、第２の設定変更メッセージを基地局２へ送信してよいことが理解され得る。第２の設定変更メッセージは、基地局１によりサポートを受ける少なくとも２つのＡＩ技術の測定設定情報が変更されたことを示すために用いられる。
【０２５９】
第２の設定変更メッセージの説明について、Ｓ３における第１の設定変更メッセージの関連説明を参照されたく、詳細はここでは再び、説明されない。
【０２６０】
任意選択的に、図２に関連して、本発明の本実施形態において提供されているＡＩ技術の設定方法はさらに、以下の段階を含んでよい。
【０２６１】
Ｓ１１３：基地局が、少なくとも２つのＡＩ技術のそれぞれのために同じ物理アップリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を設定する。
【０２６２】
本実施形態において、基地局は、各ＡＩ技術のために同じＰＵＣＣＨを設定する。すなわち、基地局は、キャリア上で共通のＰＵＣＣＨを設定する。共通ＰＵＣＣＨは、各ＡＩ技術に対応する、ハイブリッド自動反復要求（ｈｙｂｒｉｄ  ａｕｔｏｍａｔｉｃ  ｒｅｔｒａｎｓｍｉｓｓｉｏｎ  ｒｅｑｕｅｓｔ、ＨＡＲＱ）フィードバック、スケジューリング要求、ＣＳＩフィードバック、および同様のものを送信するために用いられる。本実施形態において、１つの共通ＰＵＣＣＨのみが１つのキャリア上で用いられるので、アップリンク信号の電力ピークが比較的低い。しかしながら、ＡＩ技術のために用いられる測定の単位が異なるので、測定の異なるユニットが異なるＡＩ技術のために用いられる場合に対処する必要がある。例えば、ＡＩ−１のために用いられるＴＴＩが１ミリ秒であり、ＡＩ−２のために用いられるＴＴＩが０．１ミリ秒である。共通ＰＵＣＣＨが１ミリ秒のＴＴＩ、または、０．１ミリ秒のＴＴＩをサポートするとき、対応する特殊処理は、異なるＴＴＩが用いられるＡＩ技術に対して実行される必要があり、これにより、共通ＰＵＣＣＨによりサポートを受けるＴＴＩに適応される。
【０２６３】
例えば、図１０において示されているように、基地局は、キャリア（例えば、キャリア１またはＣＣ１）上でＡＩ−１、ＡＩ−２、およびＡＩ−３のために同じＰＵＣＣＨを設定する。
【０２６４】
代替的に、Ｓ１１３は、以下の段階と置き換えられてよい。
【０２６５】
Ｓ１１３ａ：基地局が、少なくとも２つのＡＩ技術のそれぞれのために異なるＰＵＣＣＨを設定する。
【０２６６】
ＰＵＣＣＨの説明について、Ｓ１１３におけるＰＵＣＣＨの関連説明を参照されたく、詳細はここでは再び説明されない。
【０２６７】
本実施形態において、Ｓ１１３と比較すると、Ｓ１１３ａにおいて、基地局は、各ＡＩ技術のために異なるＰＵＣＣＨを設定し、これにより、測定の異なる単位が異なるＡＩ技術のために用いられるといった問題を回避し、それにより、実装の複雑さを低減する。例えば、図１１において示されているように、基地局は、キャリア（例えば、キャリア１またはＣＣ１）上でＡＩ−１、ＡＩ−２、およびＡＩ−３のために異なるＰＵＣＣＨを設定する。例えば、基地局は、ＡＩ−１のためにＰＵＣＣＨ１を、ＡＩ−２のためにＰＵＣＣＨ２を、ＡＩ−３のためにＰＵＣＣＨ３を設定する。
【０２６８】
代替的に、Ｓ１１３は、以下の段階と置き換えられてよい。
【０２６９】
Ｓ１１３ｂ：基地局が、少なくとも２つのＡＩ技術の一部のために異なるＰＵＣＣＨを設定し、少なくとも２つのＡＩ技術の一部以外の他のＡＩ技術のために、当該一部のＡＩ技術のうち少なくとも１つのＰＵＣＣＨと同じＰＵＣＣＨを設定する。
【０２７０】
ＰＵＣＣＨの説明について、Ｓ１１３におけるＰＵＣＣＨの関連説明を参照されたく、詳細はここでは再び説明されない。
【０２７１】
本実施形態において、基地局は、一部のＡＩ技術のために異なるＰＵＣＣＨを設定し、他のＡＩ技術のために、当該一部のＡＩ技術のうち少なくとも１つのＰＵＣＣＨと同じＰＵＣＣＨを設定する。同じＰＵＣＣＨが設定されたＡＩ技術について、測定の異なる単位がＡＩ技術のために用いられるという問題を回避することができるのみならず、アップリンク信号の電力ピークも比較的低い。加えて、Ｓ１１３ａと比較すると、本実施形態において、ＰＵＣＣＨの合計数量を低減することができる。
【０２７２】
例えば、図１２において示されているように、基地局は、１つのキャリア（例えば、キャリア１またはＣＣ１）上のＡＩ−１、および別のキャリア（例えば、キャリア２またはＣＣ２）上のＡＩ−２のために同じＰＵＣＣＨを設定し、かつ、当該別のキャリア（例えば、キャリア２またはＣＣ２）上のＡＩ−３のために、ＡＩ−１およびＡＩ−２のために設定したＰＵＣＣＨと異なるＰＵＣＣＨを設定する。例えば、基地局は、ＡＩ−１およびＡＩ−２のためにＰＵＣＣＨ１を設定し、ＡＩ−３のためにＰＵＣＣＨ３を設定する。
【０２７３】
図１２は、ＡＩ−１が１つのキャリアに位置し、ＡＩ−２およびＡＩ−３が別のキャリアに位置する例のみを用いることにより説明されることに注意すべきである。実際の応用において、代替的に、より多くのＡＩ技術がさらに存在してよく、複数のＡＩ技術は、１つのキャリアまたは異なるキャリアに位置してよい。複数のＡＩ技術が１つのキャリアまたは異なるキャリアに位置するかは、実際の使用要求に基づき、具体的に設定されてよい。このことは本発明の本実施形態において限定されない。
【０２７４】
さらに、前述の２つのキャリア上のＡＩ技術は、同じものまたは異なるものであってよい。代替的に、ＡＩ技術のうちの一部が同じものであってよい。このことは本発明の本実施形態において具体的に限定されない。
【０２７５】
任意選択的に、基地局が複数のＰＵＣＣＨを設定したとき、ＵＥは、複数のＰＵＣＣＨおよび物理アップリンク共有チャネル（ｐｈｙｓｉｃａｌ  ｕｐｌｉｎｋ  ｓｈａｒｅｄ  ｃｈａｎｎｅｌ、ＰＵＳＣＨ）を同時に送信した場合、ＵＥは、ＵＥの最大伝送電力、またはＵＥが位置するセルの最大伝送電力から複数のＰＵＣＣＨの電力とＰＵＳＣＨの電力の和を引いたものを用いることにより、ＵＥの電力ヘッドルーム（ｐｏｗｅｒ  ｈｅａｄｒｏｏｍ、ＰＨ）情報を取得し、ＰＨ情報を電力ヘッドルームレポート（ｐｏｗｅｒ  ｈｅａｄｒｏｏｍ  ｒｅｐｏｒｔ、ＰＨＲ）に追加することにより、ＰＨ情報を基地局へ送信してよい。
【０２７６】
具体的に、ＵＥは、各ＡＩ技術に対応するＰＨ情報、または、アクティブ化された状態にあるＡＩ技術に対応するＰＨ情報、または、最も高い優先順位を有するＡＩ技術に対応するＰＨ情報を電力ヘッドルームレポートに追加してよい。
【０２７７】
基地局が、本実施形態において提供されている、複数のＡＩ技術のためにＰＵＣＣＨを設定する方法において、ＨＡＲＱフィードバック、スケジューリング要求、ＣＳＩフィードバック、電力制御、および同様のものは、複数のＡＩ技術の場合においてサポートを受けることができる。従って、リソースは、より柔軟に割り当てられることができ、それにより、リソース利用率を向上させる。
【０２７８】
任意選択的に、図２に関連して、本発明の本実施形態において提供されているＡＩ技術の設定方法はさらに、以下の段階を含んでよい。
【０２７９】
Ｓ１１４：基地局が、少なくとも２つのＡＩ技術のうちの一部のために異なるＰＤＣＣＨ／ＥＰＤＣＣＨを設定し、少なくとも２つのＡＩ技術のうちの一部以外の他のＡＩ技術のために、当該一部のＡＩ技術のうち少なくとも１つのためのＰＤＣＣＨ／ＥＰＤＣＣＨと同じＰＤＣＣＨ／ＥＰＤＣＣＨを設定する。
【０２８０】
当該他のＡＩ技術および当該少なくとも１つのＡＩ技術は、異なるキャリアに対応する。
【０２８１】
Ｓ１１４におけるＰＤＣＣＨ／ＥＰＤＣＣＨを設定するために基地局により用いられる方法は、Ｓ１１３ｂにおけるＰＵＣＣＨを設定するために基地局により用いられる方法と同様であることに注意すべきである。具体的な説明について、Ｓ１１３ｂにおけるＰＵＣＣＨを設定するために基地局により用いられる方法の関連説明を参照されたく、詳細はここでは再び説明されない。
【０２８２】
例えば、図１３において示されているように、基地局は、１つのキャリア（例えば、キャリア１またはＣＣ１）上のＡＩ−１および別のキャリア（例えば、キャリア２またはＣＣ２）上のＡＩ−３のために同じＰＤＣＣＨ／ＥＰＤＣＣＨを設定し、かつ、当該別のキャリア（例えば、キャリア２またはＣＣ２）上のＡＩ−２のために、ＡＩ−１およびＡＩ−３のために設定されたＰＤＣＣＨ／ＥＰＤＣＣＨと異なるＰＤＣＣＨ／ＥＰＤＣＣＨを設定する。例えば、基地局は、ＡＩ−１およびＡＩ−３のためにＰＤＣＣＨ１／ＥＰＤＣＣＨ１を設定し、ＡＩ−２のためにＰＤＣＣＨ２／ＥＰＤＣＣＨ２を設定する。
【０２８３】
図１３は、ＡＩ−１が１つのキャリアに位置し、ＡＩ−２およびＡＩ−３が別のキャリアに位置する例のみを用いることにより、説明されることに注意すべきである。実際の応用において、代替的に、複数のＡＩ技術がさらに存在してよく、複数のＡＩ技術は、１つのキャリアまたは異なるキャリアに位置してよい。複数のＡＩ技術が１つのキャリアまたは異なるキャリアに位置するかは、実際の使用要求に基づき、具体的に設定されてよい。このことは本発明の本実施形態において限定されない。
【０２８４】
さらに、前述の２つのキャリア上のＡＩ技術は、同じものまたは異なるものであってよい。代替的に、ＡＩ技術のうちの一部が同じものであってよい。このことは本発明の本実施形態において具体的に限定されない。
【０２８５】
基地局が、本実施形態において提供されている複数のＡＩ技術のためにＰＤＣＣＨ／ＥＰＤＣＣＨを設定する方法において、同じＰＤＣＣＨ／ＥＰＤＣＣＨは、同じキャリアまたは異なるキャリア上で異なるＡＩのために設定されてよい。従って、リソースは、より柔軟に割り当てられることができ、それにより、リソース利用率を向上させる。
【０２８６】
図１４において示されているように、本発明の実施形態は、無線アクセスデバイスを提供する。無線アクセスデバイスは、前述の方法における無線アクセスデバイスにより実行される段階を実行するよう構成される。無線アクセスデバイスは、対応する段階に対応するモジュールを含んでよい。例えば、無線アクセスデバイスは、同じキャリア上で設定される必要がある少なくとも２つのＡＩ技術と、少なくとも２つのＡＩ技術の設定情報とを決定するよう構成される決定ユニット１０と、決定ユニット１０により決定された、少なくとも２つのＡＩ技術の設定情報をＵＥへ送信するよう構成される送信ユニット１１であって、少なくとも２つのＡＩ技術の設定情報は、同じキャリア上で少なくとも２つのＡＩ技術を設定するためにＵＥにより用いられる、送信ユニット１１とを含んでよい。
【０２８７】
任意選択的に、少なくとも２つのＡＩ技術の設定情報は、第１の特定周波数範囲および共通周波数範囲を含み、第１の特定周波数範囲は、無線アクセスデバイスにより予め設定された、少なくとも２つのＡＩ技術に対応する第１の周波数サブ範囲を含み、第１の周波数サブ範囲は、少なくとも２つのＡＩ技術に対応する制御情報を伝送するために用いられ、共通周波数範囲は、ＵＥのリソース要求に基づき、少なくとも２つのＡＩ技術に対応するリソースを割り当てるように無線アクセスデバイスにより用いられる。
【０２８８】
任意選択的に、少なくとも２つのＡＩ技術の設定情報はさらに、第２の特定周波数範囲を含み、第２の特定周波数範囲は、無線アクセスデバイスにより予め設定された、少なくとも２つのＡＩ技術のそれぞれに対応する第２の周波数サブ範囲を含み、第２の周波数サブ範囲は、ＵＥのリソース要求に基づき、ＡＩ技術に対応するリソースを割り当てるために無線アクセスデバイスにより用いられる。
【０２８９】
任意選択的に、少なくとも２つのＡＩ技術の設定情報は、媒体アクセス制御ＭＡＣ機能ユニットの設定情報を含み、ＭＡＣ機能ユニットは、共通ＭＡＣ機能ユニットおよび少なくとも１つの特定ＭＡＣ機能ユニットのうち少なくとも１つを含み、共通ＭＡＣ機能ユニットは、少なくとも１つの特定ＭＡＣ機能ユニットに対応するか、または、共通ＭＡＣ機能ユニットは、少なくとも２つのＡＩ技術に対応し、少なくとも１つの特定ＭＡＣ機能ユニットは、少なくとも２つのＡＩ技術に対応する。
【０２９０】
任意選択的に、図１４に関連して、図１５において示されているように、無線アクセスデバイスはさらに、割り当てユニット１２を含んでよい。
【０２９１】
割り当てユニット１２は、送信ユニット１１が少なくとも２つのＡＩ技術の設定情報をＵＥへ送信した後に、同じキャリア上で少なくとも２つのＡＩ技術に対応するリソースをＵＥに割り当てるよう構成される。
【０２９２】
決定ユニット１０はさらに、予め設定されたサブキャリア間隔と、少なくとも２つのＡＩ技術のそれぞれに対応する伝送時間間隔ＴＴＩの長さとに基づき、リソース割り当て情報のリソース位置を決定するよう構成される。リソース割り当て情報は、割り当てユニット１２により割り当てられた、ＡＩ技術に対応するリソースを示すために用いられ。
【０２９３】
送信ユニット１１はさらに、決定ユニット１０により決定されたリソース位置に基づき、リソース割り当て情報をＵＥへ送信するよう構成される。
【０２９４】
任意選択的に、図１４に関連して、図１５において示されているように、無線アクセスデバイスはさらに、割り当てユニット１２を含んでよい。
【０２９５】
割り当てユニット１２は、送信ユニット１１が少なくとも２つのＡＩ技術の設定情報をＵＥへ送信した後に、同じキャリア上で少なくとも２つのＡＩ技術に対応するリソースをＵＥに割り当てるよう構成される。
【０２９６】
決定ユニット１０はさらに、少なくとも２つのＡＩ技術のそれぞれのサブキャリア間隔と、ＡＩ技術のＴＴＩの長さとに基づき、リソース割り当て情報のリソース位置を決定するよう構成される。リソース割り当て情報は、割り当てユニット１２により割り当てられた、ＡＩ技術に対応するリソースを示すために用いられる。
【０２９７】
送信ユニット１１はさらに、決定ユニット１０により決定されたリソース位置に基づき、リソース割り当て情報をＵＥへ送信するよう構成される。
【０２９８】
任意選択的に、図１４に関連して、図１５において示されているように、無線アクセスデバイスはさらに、割り当てユニット１２を含んでよい。
【０２９９】
割り当てユニット１２は、送信ユニット１１が少なくとも２つのＡＩ技術の設定情報をＵＥへ送信した後に、同じキャリア上で少なくとも２つのＡＩ技術に対応するリソースをＵＥに割り当てるよう構成される。
【０３００】
決定ユニット１０はさらに、ＡＩ技術のサブキャリア間隔とＡＩ技術のＴＴＩの長さとに基づき、少なくとも２つのＡＩ技術のそれぞれに対応する第１の周波数サブ範囲において、リソース割り当て情報のリソース位置を決定するよう構成される。リソース割り当て情報は、割り当てユニット１２により割り当てられた、ＡＩ技術に対応するリソースを示すために用いられる。
【０３０１】
送信ユニット１１はさらに、決定ユニット１０により決定されたリソース位置に基づき、リソース割り当て情報をＵＥへ送信するよう構成される。
【０３０２】
任意選択的に、送信ユニット１１はさらに、少なくとも２つのＡＩ技術に対応する測定情報をＵＥへ送信するよう構成される。測定情報は、測定を実行するようＵＥに命令するために用いられる。
【０３０３】
任意選択的に、測定情報は、測定対象を含み、測定対象は、各ＡＩ技術に対応する第１の周波数範囲である。代替的に、測定情報は、測定対象および測定サブ対象を含み、測定対象は、各ＡＩ技術に対応するキャリアであり、測定サブ対象は、各ＡＩ技術に対応する第１の周波数範囲である。
【０３０４】
任意選択的に、測定情報はさらに、少なくとも１つのサブフレーム設定情報を含み、少なくとも１つのサブフレーム設定情報は、少なくとも１つのサブフレーム設定情報により示されたサブフレーム上で測定を実行するようＵＥに命令するために用いられる。
【０３０５】
任意選択的に、図１４に関連して、図１６において示されているように、無線アクセスデバイスはさらに、アクティブ化ユニット１３を含んでよい。
【０３０６】
アクティブ化ユニット１３は、第１のＴＴＩにおいて、第１の周波数範囲において、決定ユニット１０により決定された少なくとも２つのＡＩ技術における第１のＡＩ技術に対応する測定情報をアクティブ化し、第２の周波数範囲において、第１のＡＩ技術に対応する測定情報を非アクティブ化するよう構成される。
【０３０７】
任意選択的に、図１４に関連して、図１７において示されているように、無線アクセスデバイスはさらに、設定ユニット１４を含んでよい。
【０３０８】
設定ユニット１４は、決定ユニット１０により決定された少なくとも２つのＡＩ技術のそれぞれのために同じＰＵＣＣＨを設定するよう構成されるか、または、設定ユニット１４は、決定ユニット１０により決定された少なくとも２つのＡＩ技術のそれぞれのために異なるＰＵＣＣＨを設定するよう構成されるか、または、設定ユニット１４は、決定ユニット１０により決定された少なくとも２つのＡＩ技術のうちの一部のために異なるＰＵＣＣＨを設定し、少なくとも２つのＡＩ技術のうちの一部以外の他のＡＩ技術のために、当該一部のＡＩ技術のうち少なくとも１つのためのＰＵＣＣＨと同じＰＵＣＣＨを設定するよう構成される。
【０３０９】
任意選択的に、図１４に関連して、図１７において示されているように、無線アクセスデバイスはさらに、設定ユニット１４を含んでよい。
【０３１０】
設定ユニット１４は、決定ユニット１０により決定された少なくとも２つのＡＩ技術のうちの一部のために異なるＰＤＣＣＨ／ＥＰＤＣＣＨを設定し、少なくとも２つのＡＩ技術のうちの一部以外の他のＡＩ技術のために、当該一部のＡＩ技術のうち少なくとも１つのためのＰＤＣＣＨ／ＥＰＤＣＣＨと同じＰＤＣＣＨ／ＥＰＤＣＣＨを設定するよう構成される。当該他のＡＩ技術および当該少なくとも１つのＡＩ技術は、異なるキャリアに対応する。
【０３１１】
本実施形態における無線アクセスデバイスは、図２または図８において示されているＡＩ技術の設定方法における無線アクセスデバイスに対応してよく、本実施形態における無線アクセスデバイスのモジュールの区分および／または機能は全て、図２または図８において示されている方法の手順を実装することを意図していることが理解され得る。繰り返しを回避するために、詳細はここでは再びさらに説明される。
【０３１２】
本発明の本実施形態は、無線アクセスデバイスを提供する。無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３１３】
図１８において示されているように、本発明の実施形態は、ＵＥを提供する。ＵＥは、前述の方法におけるＵＥにより実行される段階を実行するよう構成される。ＵＥは、対応する段階に対応するモジュールを備えてよい。例えば、ＵＥは、無線アクセスデバイスにより送信された、同じキャリア上の少なくとも２つのＡＩ技術の設定情報を受信するよう構成される受信ユニット２０と、受信ユニット２０により受信された、少なくとも２つのＡＩ技術の設定情報に基づき、同じキャリア上で少なくとも２つのＡＩ技術を設定するよう構成される設定ユニット２１とを備えてよい。
【０３１４】
任意選択的に、図１８に関連して、図１９において示されているように、ＵＥはさらに、決定ユニット２２を含んでよい。
【０３１５】
決定ユニット２２は、設定ユニット２１が少なくとも２つのＡＩ技術の設定情報に基づき、同じキャリア上で少なくとも２つのＡＩ技術を設定した後に、予め設定されたサブキャリア間隔と少なくとも２つのＡＩ技術のそれぞれに対応する伝送時間間隔ＴＴＩの長さとに基づき、リソース割り当て情報のリソース位置を決定するよう構成される。リソース割り当て情報は、ＡＩ技術に対応するリソースを示すために用いられる。受信ユニット２０はさらに、決定ユニット２２により決定されたリソース位置に基づき、無線アクセスデバイスにより送信されたリソース割り当て情報を受信するよう構成される。
【０３１６】
任意選択的に、図１８に関連して、図１９において示されているように、ＵＥはさらに、決定ユニット２２を含んでよい。
【０３１７】
決定ユニット２２は、設定ユニット２１が少なくとも２つのＡＩ技術の設定情報に基づき、同じキャリア上で少なくとも２つのＡＩ技術を設定した後に、ＡＩ技術ごとのサブキャリア間隔と、ＡＩ技術のＴＴＩの長さとに基づき、リソース割り当て情報のリソース位置を決定するよう構成される。リソース割り当て情報は、ＡＩ技術に対応するリソースを示すために用いられる。受信ユニット２０はさらに、決定ユニット２２により決定されたリソース位置に基づき、無線アクセスデバイスにより送信されたリソース割り当て情報を受信するよう構成される。
【０３１８】
任意選択的に、図１８に関連して、図１９において示されているように、ＵＥはさらに、決定ユニット２２を含んでよい。
【０３１９】
決定ユニット２２は、設定ユニット２１が少なくとも２つのＡＩ技術の設定情報に基づき、同じキャリア上で少なくとも２つのＡＩ技術を設定した後に、少なくとも２つのＡＩ技術のそれぞれに対応する第１の特定周波数範囲において、ＡＩ技術のサブキャリア間隔とＡＩ技術のＴＴＩの長さとに基づき、リソース割り当て情報のリソース位置を決定するよう構成される。リソース割り当て情報は、ＡＩ技術に対応するリソースを示すために用いられる。受信ユニット２０はさらに、決定ユニット２２により決定されたリソース位置に基づき、無線アクセスデバイスにより送信されたリソース割り当て情報を受信するよう構成される。
【０３２０】
本実施形態におけるＵＥは、図２または図８において示されているＡＩ技術の設定方法におけるＵＥに対応してよく、本実施形態にけるＵＥのモジュールの区分および／または機能は全て図２または図８において示されている方法の手順を実装することを意図することが理解され得る。繰り返しを回避するために、詳細はここでは再びさらに説明されない。
【０３２１】
本発明の本実施形態は、ＵＥを提供する。ＵＥは、基地局により送信された、同じキャリア上で設定される必要がある少なくとも２つのＡＩ技術の設定情報を受信してよく、ＵＥは、少なくとも２つのＡＩ技術の設定情報に基づき、同じキャリア上で少なくとも２つのＡＩ技術を設定してよい。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３２２】
図２０において示されているように、本発明の実施形態は、無線アクセスデバイスを提供する。無線アクセスデバイスは、少なくとも１つのプロセッサ３０と、トランシーバ３１と、メモリ３２と、システムバス３３とを備える。
【０３２３】
メモリ３２は、コンピュータ実行可能命令を記憶するよう構成される。少なくとも１つのプロセッサ３０と、メモリ３２と、トランシーバ３１とは、システムバス３３を用いることにより、接続され、互いに通信を行う。無線アクセスデバイスが動作したとき、少なくとも１つのプロセッサ３０は、メモリ３２において記憶されているコンピュータ実行可能命令を実行し、これにより、無線アクセスデバイスは、図２または図８において示されているＡＩ技術の設定方法を実行する。具体的なＡＩ技術の設定方法について、図２または図８の実施形態の関連説明を参照されたく、詳細はここで再び説明されない。
【０３２４】
本実施形態はさらに、記憶媒体を提供する。記憶媒体は、メモリ３２を含んでよい。
【０３２５】
少なくとも１つのプロセッサ３０は、中央演算処理装置（ｃｅｎｔｒａｌ  ｐｒｏｃｅｓｓｉｎｇ  ｕｎｉｔ、ＣＰＵ）であってよい。少なくとも１つのプロセッサ３０は代替的に、別の汎用プロセッサ、デジタル信号プロセッサ（ｄｉｇｉｔａｌ  ｓｉｇｎａｌ  ｐｒｏｃｅｓｓｉｎｇ、ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）もしくは別のプログラマブルロジックデバイス、ディスクリートゲートもしくはトランジスタロジックデバイス、個別のハードウェア構成要素、または同様のものであってよい。汎用プロセッサは、マイクロプロセッサであってよく、またはプロセッサは、任意の従来のプロセッサまたは同様のものであってよい。
【０３２６】
少なくとも１つのプロセッサ３０は、専用プロセッサであってよい。専用プロセッサは、ベースバンドプロセッサチップ、無線周波数処理チップ、および同様のもののうち少なくとも１つを含んでよい。さらに、専用プロセッサはさらに、無線アクセスデバイスの別の専用処理機能を有するチップを含んでよい。
【０３２７】
メモリ３２は、例えば、ランダムアクセスメモリ（ｒａｎｄｏｍ−ａｃｃｅｓｓ  ｍｅｍｏｒｙ、ＲＡＭ）のような揮発性メモリ（ｖｏｌａｔｉｌｅ  ｍｅｍｏｒｙ）を含んでよい。メモリ３２は代替的に、例えば、リードオンリメモリ（ｒｅａｄ−ｏｎｌｙ  ｍｅｍｏｒｙ、ＲＯＭ）、フラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、またはソリッドステートドライブ（ｓｏｌｉｄ−ｓｔａｔｅ  ｄｒｉｖｅ、ＳＳＤ）のような不揮発性メモリ（ｎｏｎ−ｖｏｌａｔｉｌｅ  ｍｅｍｏｒｙ）を含んでよい。メモリ３２は代替的に、前述のメモリの組み合わせを含んでよい。
【０３２８】
システムバス３３は、データバス、電力バス、コントロールバス、信号ステータスバス、および同様のものを含んでよい。本実施形態において、明確な説明の目的のために、全てのバスは、図２０においてシステムバス３３と示される。
【０３２９】
トランシーバ３１は具体的に、無線アクセスデバイスにおけるトランシーバであってよい。トランシーバは、無線トランシーバであってよい。例えば、無線トランシーバは、無線アクセスデバイスのアンテナ、または同様のものであってよい。少なくとも１つのプロセッサ３０は、トランシーバ３１を用いることにより、ＵＥなどの別のデバイスへデータを送信するか、またはＵＥなどの別のデバイスからデータを受信する。
【０３３０】
具体的な実装過程において、図２または図８において示されている方法の手順における段階は、メモリ３２においてソフトウェア形式で記憶されているコンピュータ実行可能命令を実行することにより、ハードウェア形式でプロセッサ３０により実行されてよい。繰り返しを回避するために、詳細はここでは再び説明されない。
【０３３１】
任意選択的に、本発明の実施形態はさらに、コンピュータ可読記憶媒体を提供する。コンピュータ可読記憶媒体は、１つまたは複数のプログラムを記憶する。１つまたは複数のプログラムは命令を含む。無線アクセスデバイスの少なくとも１つのプロセッサが命令を実行したとき、無線アクセスデバイスは、図２または図８において示されているＡＩ技術の設定方法を実行する。具体的なＡＩ技術の設定方法について、図２または図８の実施形態の関連説明を参照されたく、詳細はここでは再び説明されない。
【０３３２】
本発明の本実施形態は、無線アクセスデバイスを提供する。無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の本実施形態において提供されている無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３３３】
図２１において示されているように、本発明の実施形態は、ＵＥを提供する。ＵＥは、少なくとも１つのプロセッサ４０と、トランシーバ４１と、メモリ４２と、システムバス４３とを備える。
【０３３４】
メモリ４２は、コンピュータ実行可能命令を記憶するよう構成される。少なくとも１つのプロセッサ４０と、メモリ４２と、トランシーバ４１とは、システムバス４３を用いることにより、接続され、互いに通信を行う。ＵＥが動作したとき、少なくとも１つのプロセッサ４０は、メモリ４２において記憶されているコンピュータ実行可能命令を実行し、これにより、ＵＥは、図２または図８において示されているＡＩ技術の設定方法を実行する。具体的なＡＩ技術の設定方法について、図２または図８の実施形態の関連説明を参照されたく、詳細はここでは再び説明されない。
【０３３５】
本実施形態はさらに、記憶媒体を提供する。記憶媒体は、メモリ４２を含んでよい。
【０３３６】
少なくとも１つのプロセッサ４０は、ＣＰＵであってよく、または少なくとも１つのプロセッサ４０は、別の汎用プロセッサ、ＤＳＰ、ＡＳＩＣ、ＦＰＧＡもしくは別のプログラマブルロジックデバイス、ディスクリートゲートもしくはトランジスタロジックデバイス、個別のハードウェア構成要素、または同様のものであってよい。汎用プロセッサは、マイクロプロセッサであってよく、またはプロセッサは、任意の従来のプロセッサまたは同様のものであってよい。
【０３３７】
少なくとも１つのプロセッサ４０は、専用プロセッサであってよい。専用プロセッサは、ベースバンドプロセッサチップ、無線周波数処理チップ、および同様のもののうち少なくとも１つを含んでよい。さらに、専用プロセッサはさらに、ＵＥの別の専用処理機能を有するチップを含んでよい。
【０３３８】
メモリ４２は、例えば、ＲＡＭのような揮発性メモリを含んでよい。メモリ４２は代替的に、例えば、ＲＯＭ、フラッシュメモリ、ＨＤＤ、またはＳＳＤのような不揮発性メモリを含んでよい。メモリ４２は代替的に、前述のメモリの組み合わせを含んでよい。
【０３３９】
システムバス４３は、データバス、電力バス、コントロールバス、信号ステータスバス、および同様のものを含んでよい。本実施形態において、明確な説明の目的のために、全てのバスは、図２１においてシステムバス４３と示される。
【０３４０】
トランシーバ４１は具体的に、ＵＥにおけるトランシーバであってよい。トランシーバは、無線トランシーバであってよい。例えば、無線トランシーバは、ＵＥのアンテナ、または同様のものであってよい。少なくとも１つのプロセッサ４０は、トランシーバ４１を用いることにより、無線アクセスデバイスなどの別のデバイスへデータを送信するか、または無線アクセスデバイスなどの別のデバイスからデータを受信する。
【０３４１】
具体的な実装過程において、図２または図８において示されている方法の手順における段階は、メモリ４２においてソフトウェア形式で記憶されているコンピュータ実行可能命令を実行することにより、ハードウェア形式でプロセッサ４０において実行されてよい。繰り返しを回避するために、詳細はここでは再び説明されない。
【０３４２】
任意選択的に、本発明の実施形態はさらに、コンピュータ可読記憶媒体を提供する。コンピュータ可読記憶媒体は、１つまたは複数のプログラムを記憶する。１つまたは複数のプログラムは、命令を含む。ＵＥの少なくとも１つのプロセッサが命令を実行したとき、ＵＥは、図２または図８において示されているＡＩ技術の設定方法を実行する。具体的なＡＩ技術の設定方法について、図２または図８の実施形態の関連説明を参照されたく、詳細はここでは再び説明されない。
【０３４３】
本発明の本実施形態は、ＵＥを提供する。ＵＥは、基地局により送信された、同じキャリア上で設定される必要がある少なくとも２つのＡＩ技術の設定情報を受信してよく、ＵＥは、少なくとも２つのＡＩ技術の設定情報に基づき、同じキャリア上で少なくとも２つのＡＩ技術を設定してよい。従って、本発明の本実施形態において提供されているＵＥは、同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３４４】
図２２において示されているように、本発明の実施形態は、システムチップを提供する。システムチップは、少なくとも１つのプロセッサ５０と、入出力インターフェース５１と、メモリ５２と、バス５３とを備える。
【０３４５】
メモリ５２は、コンピュータ実行可能命令を記憶するよう構成される。少なくとも１つのプロセッサ５０と、メモリ５２と、入出力インターフェース５１とは、バス５３を用いることにより、接続され、互いに通信を行う。システムチップが動作したとき、少なくとも１つのプロセッサ５０は、メモリ５２において記憶されているコンピュータ実行可能命令を実行し、これにより、システムチップは、図２または図８において示されているＡＩ技術の設定方法を実行する。具体的なＡＩ技術の設定方法について、図２または図８の実施形態の関連説明を参照されたく、詳細はここでは再び説明されない。
【０３４６】
本発明の本実施形態において提供されているシステムチップは、ＳＯＣであってよく、または、本発明の実施形態に係るＡＩ技術の設定方法を実行することができる別のチップであってよいことに注意すべきである。このことは本発明の本実施形態において限定されない。
【０３４７】
さらに、図２２において示されているシステムチップは、図２０において示されている無線アクセスデバイスのシステムチップであってよい。
【０３４８】
本発明の本実施形態は、システムチップを提供する。システムチップは、同じキャリア上で設定される必要がある少なくとも２つのＡＩ技術と、少なくとも２つのＡＩ技術の設定情報とを決定してよく、システムチップは、少なくとも２つのＡＩ技術の設定情報をＵＥへ送信してよく、これにより、ＵＥは同じキャリア上で少なくとも２つのＡＩ技術を設定する。従って、本発明の本実施形態において提供されているシステムチップは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３４９】
図２３において示されているように、本発明の実施形態は、システムチップを提供する。システムチップは、少なくとも１つのプロセッサ６０と、入出力インターフェース６１と、メモリ６２と、バス６３とを備える。
【０３５０】
メモリ６２は、コンピュータ実行可能命令を記憶するよう構成される。少なくとも１つのプロセッサ６０と、メモリ６２と、入出力インターフェース６１とは、バス６３を用いることにより、接続され、互いに通信を行う。システムチップが動作したとき、少なくとも１つのプロセッサ６０は、メモリ６２において記憶されているコンピュータ実行可能命令を実行し、これにより、システムチップは、図２または図８において示されているＡＩ技術の設定方法を実行する具体的なＡＩ技術の設定方法について、図２または図８の実施形態の関連説明を参照されたく、詳細がここでは再び説明されない。
【０３５１】
本発明の本実施形態において提供されているシステムチップは、ＳＯＣであってよく、または本発明の実施形態に係るＡＩ技術の設定方法を実行することができる別のチップであってよいことに注意すべきである。このことは、本発明の本実施形態において限定されない。
【０３５２】
さらに、図２３において示されているシステムチップは、図２１において示されているＵＥのシステムチップであってよい。
【０３５３】
本発明の本実施形態は、システムチップを提供する。システムチップは、基地局により送信された、同じキャリア上で設定される必要がある少なくとも２つのＡＩ技術の設定情報を受信してよく、システムチップは、少なくとも２つＡＩ技術の設定情報に基づき、同じキャリア上で少なくとも２つのＡＩ技術を設定してよい。従って、本発明の本実施形態において提供されているシステムチップは、同じキャリア上で設定された複数のＡＩ技術をサポートすることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３５４】
本発明の実施形態は、無線通信システムを提供する。無線通信システムは、無線アクセスデバイスおよびＵＥを備える。例えば、図１において示されているように、図１は、本発明の本実施形態に係る無線通信システムの構造概略図である。無線アクセスデバイスおよびＵＥは、図２または図８において示されているＡＩ技術の設定方法の手順を実行してよい。具体的に、無線アクセスデバイスの説明について、具体的には、図１４から図１７のうち任意の１つの実施形態における無線アクセスデバイスの関連説明を参照されたく、詳細はここでは再び説明されない。ＵＥの説明について、具体的には、図１８または図１９の実施形態におけるＵＥの関連説明を参照されたく、詳細はここで再び説明されない。
【０３５５】
任意選択的に、本発明の実施形態はさらに、無線通信システムを提供する。無線通信システムは、無線アクセスデバイスを含んでよい。具体的に、無線アクセスデバイスの説明について、具体的には、図１４から図１７のうち任意の１つの実施形態における無線アクセスデバイスの関連説明を参照されたく、詳細はここでは再び説明されない。 
【０３５６】
本発明の実施形態は、無線通信システムを提供する。無線通信システムは、無線アクセスデバイスおよびＵＥを含んでよく、または、無線通信システムは、無線アクセスデバイスを含んでよい。無線アクセスデバイスは、同じキャリア上で設定される必要がある少なくとも２つのＡＩ技術と、少なくとも２つのＡＩ技術の設定情報とを決定してよく、無線アクセスデバイスは、少なくとも２つのＡＩ技術の設定情報をＵＥへ送信してよく、これにより、ＵＥは、同じキャリア上で少なくとも２つのＡＩ技術を設定する。従って、本発明の実施形態において提供されている無線通信システムを用いることにより、無線アクセスデバイスは、ＵＥのために同じキャリア上での複数のＡＩ技術の設定においてサポートを受けることができ、これにより、複数のＡＩ技術をより柔軟に使用し、無線通信システムにおいて複数のＡＩ技術を使用する必要がある応用シナリオにより良好に適応され、それにより、同じキャリア上でのリソースの利用率および使用柔軟性を向上させる。
【０３５７】
簡便かつ簡潔な説明の目的のために、前述の機能モジュールの区分が説明のための例とみなされることは、当業者により明確に理解され得る。実際の応用において、前述の機能は、要求に基づき、異なる機能モジュールに割り当てられ、実装されることができ、すなわち、装置の内部構造は、異なる機能モジュールに分割され、上述した機能の全てまたは一部を実装する。前述のシステム、装置、およびユニットの詳述したワーキング処理について、前述の方法の実施形態における対応する処理を参照してよく、詳細はここでは再び説明されない。
【０３５８】
本出願において提供されているいくつかの実施形態において、開示されているシステム、装置、および方法は、他の方式で実装され得ることが理解されるべきである。例えば、説明されている装置実施形態は単に例である。例えば、モジュールまたはユニットの区分は単に論理的機能の区分であり、実際の実装において他の区分であってよい。例えば、複数のユニットまたは構成要素は、組み合わせられてよく、または、別のシステムに統合されてよく、または、一部の特徴は、無視されてよく、もしくは実行されなくてよい。加えて、表示または記載されている相互連結または直接連結または通信接続は、一部のインターフェースを介して、または装置もしくはユニット間の間接連結もしくは通信接続を介して実装されてよい。 
【０３５９】
別個の部分として説明されているユニットは、物理的に別個であってよく、またはそうでなくてよく、ユニットとして表示されている部分は、物理ユニットであってよく、またはそうでなくてよく、１箇所に位置されてよく、または複数のネットワークユニット上に分散されてよい。ユニットの一部または全ては、実施形態の解決手段の目的を達成するために実際の要求に基づき選択されてよい。
【０３６０】
加えて、本発明の実施形態における機能ユニットは、１つの処理ユニットに統合されてよく、または、ユニットのそれぞれは、物理的に単独で存在してよく、または、２つまたはそれより多いユニットは、１つのユニットに統合されてよい。統合されたユニットは、ソフトウェア機能ユニットの形態で実装されてよい。
【０３６１】
統合されたユニットがソフトウェア機能ユニットの形態で実装され、個別の製品として販売されまたは用いられるとき、統合されたユニットは、コンピュータ可読記憶媒体において記憶されてよい。そのよう理解に基づき、技術的解決手段の全てまたは一部は、ソフトウェア製品の形態で実装されてよい。コンピュータソフトウェア製品は、記憶媒体において記憶され、本発明の実施形態において説明されている方法の段階の全てまたは一部を実行するよう、（パーソナルコンピュータ、サーバ、ネットワークデバイス、または同様のものであってよい）コンピュータデバイスに命令するためのいくつかの命令を含む。記憶媒体は、非一時的（ｎｏｎ−ｔｒａｎｓｉｔｏｒｙ）媒体であり、フラッシュメモリ、取り外し可能なハードディスク、リードオンリメモリ、ランダムアクセスメモリ、磁気ディスク、または光学ディスクなどのプログラムコードを記憶することができる任意の媒体を含む。
【０３６２】
前述の説明は単に、本出願の具体的な実装方式であり、本出願の保護範囲を限定することを意図していない。当業者により、本出願において開示されている技術的範囲内に容易に案出される任意の変形または置き換えは、本出願の保護範囲に含まれるものとする。従って、本出願の保護範囲は、特許請求の範囲の保護範囲にしたがうものとする。
【国際調査報告】
2019507558.tif 000027
2019507558.tif 000028
2019507558.tif 000029
2019507558.tif 000030